(57)【要約】【課題】端末のモビリティタイプを決定するための好適な通信手続きを提供する。【解決手段】第１の識別情報はコアネットワークのサポートするモビリティタイプを示す情報であって、第２の識別情報は前記コアネットワークに許可されたモビリティタイプを示す情報であって、  本発明の端末装置の通信制御方法は、少なくとも前記第１の識別情報及び／又は前記第２の識別情報を含んだデフォルトＥＰＳベアラコンテキストアクティブ化要求メッセージを、基地局装置を介してコアネットワークから受信するステップを有する。【選択図】図２２
2019068113.tif 000002
【特許請求の範囲】
【請求項１】
端末装置の通信制御方法であって、
第１の識別情報はコアネットワークのサポートするモビリティタイプを示す情報であって、
第２の識別情報は前記コアネットワークに許可されたモビリティタイプを示す情報であって、
少なくとも前記第１の識別情報及び／又は前記第２の識別情報を含んだ第１のデフォルトＥＰＳベアラコンテキストアクティブ化要求メッセージを、基地局装置を介してコアネットワークから受信するステップ
を有することを特徴とする端末装置の通信制御方法。
【請求項２】
前記第１のデフォルトＥＰＳベアラコンテキストアクティブ化要求メッセージの受信に基づいて、前記第２の識別情報の示すモビリティタイプに対応した第１のＰＤＮ（Ｐａｃｋｅｔ  Ｄａｔａ  Ｎｅｔｗｏｒｋ）コネクションを確立するステップ
を更に有することを特徴とする請求項１に記載の端末装置の通信制御方法。
【請求項３】
第３の識別情報は前記端末装置がサポートするモビリティタイプを示す情報であって、
第４の識別情報は前記端末装置が要求するモビリティタイプを示す情報であって、
少なくとも前記第３の識別情報及び／又は前記第４の識別情報を含んだＰＤＮ（Ｐａｃｋｅｔ  Ｄａｔａ  Ｎｅｔｗｏｒｋ）接続要求メッセージを、前記基地局装置を介して前記コアネットワークに送信するステップ
を更に有することを特徴とする請求項１又は２に記載の端末装置の通信制御方法。
【請求項４】
第５の識別情報は前記コアネットワークに許可されたモビリティタイプを示す情報であり、且つ前記第１の識別情報とは異なるモビリティタイプであって、
少なくとも前記第１の識別情報及び／又は前記第５の識別情報を含んだ第２のデフォルトＥＰＳベアラコンテキストアクティブ化要求メッセージを、前記基地局を介して前記コアネットワークから受信するステップと、
前記第５の識別情報の示すモビリティタイプに対応した第２のＰＤＮコネクションを確立するステップ
を更に有することを特徴とする請求項２に記載の端末装置の通信制御方法。
【請求項５】
前記第１のＰＤＮコネクションに対するモビリティタイプを変更するために、少なくとも前記第１の識別情報及び／又は前記２の識別情報とは異なるモビリティタイプを含むＥＰＳベアラコンテキスト変更要求を、前記基地局装置を介して前記コアネットワークから受信するステップ
を更に有することを特徴とする請求項２に記載の端末装置の通信制御方法。
【請求項６】
前記第１のＰＤＮコネクションに対するモビリティタイプを変更するために、少なくとも前記第１の識別情報及び／又は前記２の識別情報とは異なるモビリティタイプを含むベアラリソース変更要求を、前記基地局装置を介して前記コアネットワークに送信するステップ
を更に有することを特徴とする請求項２に記載の端末装置の通信制御方法。
【請求項７】
ＭＭＥ（Ｍｏｂｉｌｉｔｙ  Ｍａｎａｇｅｍｅｎｔ  Ｅｎｔｉｔｙ）の通信制御方法であって、
第１の識別情報はコアネットワークのサポートするモビリティタイプを示す情報であって、
第２の識別情報は前記コアネットワークが許可するモビリティタイプを示す情報であっ
て、
少なくとも前記第１の識別情報及び／又は前記第２の識別情報を含んだ第１のデフォルトＥＰＳベアラコンテキストアクティブ化要求メッセージを、基地局装置を介して端末装置に送信するステップ
を有することを特徴とするＭＭＥの通信制御方法。
【請求項８】
前記第１のデフォルトＥＰＳベアラコンテキストアクティブ化要求メッセージの受信に基づいて前記端末装置が確立する第１のＰＤＮ（Ｐａｃｋｅｔ  Ｄａｔａ  Ｎｅｔｗｏｒｋ）コネクションと、前記第２の識別情報の示すモビリティタイプとを対応づけて記憶するステップ
を更に有することを特徴とする請求項７に記載のＭＭＥの通信制御方法。
【請求項９】
第３の識別情報は前記端末装置がサポートするモビリティタイプを示す情報であって、
第４の識別情報は前記端末装置が要求するモビリティタイプを示す情報であって、
少なくとも前記第３の識別情報及び／又は前記第４の識別情報を含んだＰＤＮ（Ｐａｃｋｅｔ  Ｄａｔａ  Ｎｅｔｗｏｒｋ）接続要求メッセージを、前記基地局装置を介して前記端末装置から受信するステップ
を更に有することを特徴とする請求項７又は８に記載のＭＭＥの通信制御方法。
【請求項１０】
第５の識別情報は前記コアネットワークが許可するモビリティタイプを示す情報であり、且つ前記第１の識別情報とは異なるモビリティタイプであって、
少なくとも前記第１の識別情報及び／又は前記第５の識別情報を含んだ第２のデフォルトＥＰＳベアラコンテキストアクティブ化要求メッセージを、前記基地局装置を介して前記端末装置に送信するステップと、
前記第２のデフォルトＥＰＳベアラコンテキストアクティブ化要求メッセージに基づいて前記端末装置が確立する第２のＰＤＮコネクションと、前記第５の識別情報とを対応づけて記憶するステップ
を更に有することを特徴とする請求項８に記載のＭＭＥの通信制御方法。
【請求項１１】
前記第１のＰＤＮコネクションに対するモビリティタイプを変更するために、少なくとも前記第１の識別情報及び／又は前記２の識別情報とは異なるモビリティタイプを含むＥＰＳベアラコンテキスト変更要求を、前記基地局装置を介して前記端末装置に送信するステップ
を更に有することを特徴とする請求項８に記載のＭＭＥの通信制御方法。
【請求項１２】
前記第１のＰＤＮコネクションに対するモビリティタイプを変更するために、少なくとも前記第１の識別情報及び／又は前記２の識別情報とは異なるモビリティタイプを含むベアラリソース変更要求を、前記基地局装置を介して前記端末装置から受信するステップ
を更に有することを特徴とする請求項８に記載のＭＭＥの通信制御方法。
【請求項１３】
端末装置であって、
第１の識別情報はコアネットワークのサポートするモビリティタイプを示す情報であって、
第２の識別情報は前記コアネットワークに許可されたモビリティタイプを示す情報であって、
少なくとも前記第１の識別情報及び／又は前記第２の識別情報を含んだ第１のデフォルトＥＰＳベアラコンテキストアクティブ化要求メッセージを、基地局装置を介してコアネットワークから受信する送受信部
を有することを特徴とする端末装置。
【請求項１４】
前記第１のデフォルトＥＰＳベアラコンテキストアクティブ化要求メッセージの受信に基づいて、前記第２の識別情報の示すモビリティタイプに対応した第１のＰＤＮ（Ｐａｃｋｅｔ  Ｄａｔａ  Ｎｅｔｗｏｒｋ）コネクションを確立する制御部
を更に有することを特徴とする請求項１３に記載の端末装置。
【請求項１５】
第３の識別情報は前記端末装置がサポートするモビリティタイプを示す情報であって、
第４の識別情報は前記端末装置が要求するモビリティタイプを示す情報であって、
前記送受信部は、少なくとも前記第３の識別情報及び／又は前記第４の識別情報を含んだＰＤＮ（Ｐａｃｋｅｔ  Ｄａｔａ  Ｎｅｔｗｏｒｋ）接続要求メッセージを、前記基地局装置を介して前記コアネットワークに送信する
ことを特徴とする請求項１３又は１４に記載の端末装置。
【請求項１６】
第５の識別情報は前記コアネットワークに許可されたモビリティタイプを示す情報であり、且つ前記第１の識別情報とは異なるモビリティタイプであって、
前記送受信部は、少なくとも前記第１の識別情報及び／又は前記第５の識別情報を含んだ第２のデフォルトＥＰＳベアラコンテキストアクティブ化要求メッセージを、前記基地局を介して前記コアネットワークから受信し、
前記制御部は、前記第５の識別情報の示すモビリティタイプに対応した第２のＰＤＮコネクションを確立する
ことを特徴とする請求項１４に記載の端末装置。
【請求項１７】
前記送受信部は、前記第１のＰＤＮコネクションに対するモビリティタイプを変更するために、少なくとも前記第１の識別情報及び／又は前記２の識別情報とは異なるモビリティタイプを含むＥＰＳベアラコンテキスト変更要求を、前記基地局装置を介して前記コアネットワークから受信する
ことを特徴とする請求項１４に記載の端末装置。
【請求項１８】
前記送受信部は、前記第１のＰＤＮコネクションに対するモビリティタイプを変更するために、少なくとも前記第１の識別情報及び／又は前記２の識別情報とは異なるモビリティタイプを含むベアラリソース変更要求を、前記基地局装置を介して前記コアネットワークに送信する
ことを特徴とする請求項１４に記載の端末装置。
【請求項１９】
ＭＭＥ（Ｍｏｂｉｌｉｔｙ  Ｍａｎａｇｅｍｅｎｔ  Ｅｎｔｉｔｙ）であって、
第１の識別情報はコアネットワークのサポートするモビリティタイプを示す情報であって、
第２の識別情報は前記コアネットワークが許可するモビリティタイプを示す情報であって、
少なくとも前記第１の識別情報及び／又は前記第２の識別情報を含んだ第１のデフォルトＥＰＳベアラコンテキストアクティブ化要求メッセージを、基地局装置を介して端末装置に送信する送受信部
を有することを特徴とするＭＭＥ。
【請求項２０】
前記第１のデフォルトＥＰＳベアラコンテキストアクティブ化要求メッセージの受信に基づいて前記端末装置が確立する第１のＰＤＮ（Ｐａｃｋｅｔ  Ｄａｔａ  Ｎｅｔｗｏｒｋ）コネクションと、前記第２の識別情報の示すモビリティタイプとを対応づけて記憶する制御部
を更に有することを特徴とする請求項１９に記載のＭＭＥ。
【請求項２１】
第３の識別情報は前記端末装置がサポートするモビリティタイプを示す情報であって、
第４の識別情報は前記端末装置が要求するモビリティタイプを示す情報であって、
前記送受信部は、少なくとも前記第３の識別情報及び／又は前記第４の識別情報を含んだＰＤＮ（Ｐａｃｋｅｔ  Ｄａｔａ  Ｎｅｔｗｏｒｋ）接続要求メッセージを、前記基地局装置を介して前記端末装置から受信する
ことを特徴とする請求項１９又は２０に記載のＭＭＥ。
【請求項２２】
第５の識別情報は前記コアネットワークが許可するモビリティタイプを示す情報であり、且つ前記第１の識別情報とは異なるモビリティタイプであって、
前記送受信部は、少なくとも前記第１の識別情報及び／又は前記第５の識別情報を含んだ第２のデフォルトＥＰＳベアラコンテキストアクティブ化要求メッセージを、前記基地局装置を介して前記端末装置に送信し、
前記制御部は、前記第２のデフォルトＥＰＳベアラコンテキストアクティブ化要求メッセージに基づいて前記端末装置が確立する第２のＰＤＮコネクションと、前記第５の識別情報とを対応づけて記憶する
ことを特徴とする請求項２０に記載のＭＭＥ。
【請求項２３】
前記送受信部は、前記第１のＰＤＮコネクションに対するモビリティタイプを変更するために、少なくとも前記第１の識別情報及び／又は前記２の識別情報とは異なるモビリティタイプを含むＥＰＳベアラコンテキスト変更要求を、前記基地局装置を介して前記端末装置に送信する
ことを特徴とする請求項２０に記載のＭＭＥ。
【請求項２４】
前記送受信部は、前記第１のＰＤＮコネクションに対するモビリティタイプを変更するために、少なくとも前記第１の識別情報及び／又は前記２の識別情報とは異なるモビリティタイプを含むベアラリソース変更要求を、前記基地局装置を介して前記端末装置から受信する
ことを特徴とする請求項２０に記載のＭＭＥ。
【発明の詳細な説明】
【技術分野】
【０００１】
本発明は、端末装置、ＭＭＥ（Ｍｏｂｉｌｉｔｙ  Ｍａｎａｇｅｍｅｎｔ  Ｅｎｔｉｔｙ）、および通信制御方法に関する。
【背景技術】
【０００２】
近年の移動通信システムの標準化活動を行う３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ）は、ＬＴＥ（Ｌｏｎｇ  Ｔｅｒｍ
Ｅｖｏｌｕｔｉｏｎ）のシステムアーキテクチャであるＳＡＥ（Ｓｙｓｔｅｍ  Ａｒｃｈｉｔｅｃｔｕｒｅ  Ｅｎｈａｎｃｅｍｅｎｔ）の検討を行っている。３ＧＰＰは、オールＩＰ化を実現する通信システムとしてＥＰＳ（Ｅｖｏｌｖｅｄ  Ｐａｃｋｅｔ  Ｓｙｓｔｅｍ）の仕様化を行っている。なお、ＥＰＳを構成するコアネットワークはＥＰＣ（Ｅｖｏｌｖｅｄ  Ｐａｃｋｅｔ  Ｃｏｒｅ）と呼ばれる。
【０００３】
また、近年３ＧＰＰでは、多種多様な端末向けの次世代通信技術の検討として、ＮｅｘＧｅｎ（Ａｒｃｈｉｔｅｃｔｕｒｅ  ｆｏｒ  Ｎｅｘｔ  Ｇｅｎｅｒａｔｉｏｎ  Ｓｙｓｔｅｍ）の検討を行っている。ＮｅｘＧｅｎでは、多種多様な端末をセルラーネットワークに接続するための技術課題を抽出し、解決策を仕様化している。
【０００４】
例えば、高速通信が必要な端末のための通信手続きの最適化や、バッテリーが数年間維持できるような電力消費の高効率化が必要な端末のための通信手続きの最適化が要求条件とし挙げられる。
【０００５】
また、固定されているような移動頻度が少ない端末や、自動車等に備え付けられたような移動頻度が多い端末を同時にサポートするためのモビリティの最適化や多様化なども要求条件として挙げられる。
【先行技術文献】
【非特許文献】
【０００６】
【非特許文献１】３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ；Ｓｔｕｄｙ  ｏｎ  Ａｒｃｈｉｔｅｃｔｕｒｅ  ｆｏｒ  Ｎｅｘｔ  Ｇｅｎｅｒａｔｉｏｎ  Ｓｙｓｔｅｍ（Ｒｅｌｅａｓｅ  １４）
【発明の概要】
【発明が解決しようとする課題】
【０００７】
ＮｅｘＧｅｎでは、端末のモビリティの最適化のための検討が行われている。
【０００８】
より具体的には、端末のモビリティの粒度を多様化することで、端末に適した粒度のモビリティを提供するための検討行われている。
【０００９】
しかし、端末のモビリティの粒度や、端末に適したモビリティの粒度が選択される手順、モビリティの粒度を変更する手段が明らかになっていない。
【００１０】
本発明は、このような事情を鑑みてなされたもので、その目的は、端末や通信路に好適なモビリティを提供する通信制御手段を提供する事である。
【課題を解決するための手段】
【００１１】
上記の目的を達成するために、本発明の端末装置の通信制御方法は、第１の識別情報はコアネットワークのサポートするモビリティタイプを示す情報であって、第２の識別情報は前記コアネットワークに許可されたモビリティタイプを示す情報であって、少なくとも前記第１の識別情報及び／又は前記第２の識別情報を含んだ第１のデフォルトＥＰＳベアラコンテキストアクティブ化要求メッセージを、基地局装置を介してコアネットワークから受信するステップを有する。
【００１２】
また、本発明のＭＭＥ（Ｍｏｂｉｌｉｔｙ  Ｍａｎａｇｅｍｅｎｔ  Ｅｎｔｉｔｙ）の通信制御方法は、第１の識別情報はコアネットワークのサポートするモビリティタイプを示す情報であって、第２の識別情報は前記コアネットワークが許可するモビリティタイプを示す情報であって、少なくとも前記第１の識別情報及び／又は前記第２の識別情報を含んだ第１のデフォルトＥＰＳベアラコンテキストアクティブ化要求メッセージを、基地局装置を介して端末装置に送信するステップを有する。
【００１３】
また、本発明の端末装置は、第１の識別情報はコアネットワークのサポートするモビリティタイプを示す情報であって、第２の識別情報は前記コアネットワークに許可されたモビリティタイプを示す情報であって、少なくとも前記第１の識別情報及び／又は前記第２の識別情報を含んだアタッチ受諾メッセージを、基地局装置を介してコアネットワークから受信する送受信部を有する。
【００１４】
また、本発明のＭＭＥ（Ｍｏｂｉｌｉｔｙ  Ｍａｎａｇｅｍｅｎｔ  Ｅｎｔｉｔｙ）は、第１の識別情報はコアネットワークのサポートするモビリティタイプを示す情報であって、第２の識別情報は前記コアネットワークが許可するモビリティタイプを示す情報であって、少なくとも前記第１の識別情報及び／又は前記第２の識別情報を含んだ第１のデフォルトＥＰＳベアラコンテキストアクティブ化要求メッセージを、基地局装置を介して端末装置に送信する送受信部を有すること。
【発明の効果】
【００１５】
本発明によれば、端末は、モビリティ能力に応じた接続性を確立することができる。またコアネットワークは、異なるモビリティ能力を有する端末の接続、もしくは異なるモビリティ能力を有する通信路を確立することができる。
【図面の簡単な説明】
【００１６】
【図１】移動通信システムの概略を説明するための図である。
【図２】ＩＰ移動通信ネットワークの構成等の一例を説明するための図である。
【図３】ＩＰ移動通信ネットワークの構成等の一例を説明するための図である。
【図４】ｅＮＢの装置構成を説明するための図である。
【図５】第２の送受信手続きを説明するための図である。
【図６】ＭＭＥの装置構成を説明するための図である。
【図７】ＭＭＥの記憶部を説明するための図である。
【図８】ＭＭＥの記憶部を説明するための図である。
【図９】ＭＭＥの記憶部を説明するための図である。
【図１０】ＭＭＥの記憶部を説明するための図である。
【図１１】ＭＭＥの記憶部を説明するための図である。
【図１２】ＭＭＥの記憶部を説明するための図である。
【図１３】ＳＧＷの装置構成を説明するための図である。
【図１４】ＳＧＷの記憶部を説明するための図である。
【図１５】ＳＧＷの記憶部を説明するための図である。
【図１６】ＰＧＷの装置構成を説明するための図である。
【図１７】ＰＧＷの記憶部を説明するための図である。
【図１８】ＰＧＷの記憶部を説明するための図である。
【図１９】ＰＧＷの記憶部を説明するための図である。
【図２０】ＵＥの装置構成を説明するための図である。
【図２１】ＵＥの記憶部を説明するための図である。
【図２２】通信手続きの概要を説明するための図である。
【図２３】ＰＤＮ接続手続きを説明するための図である。
【図２４】第１のモビリティタイプ変更手続き例を説明するための図である。
【図２５】第２のモビリティタイプ変更手続き例を説明するための図である。
【発明を実施するための形態】
【００１７】
以下、図面を参照して本発明を実施する為に最良の形態について説明する。なお、本実施形態では一例として、本発明を適用した場合の移動通信システムの実施形態について説明する。
【００１８】
［１．システム概要］
図１は、本実施形態における移動通信システムの概略を説明するための図である。本図に示すように、移動通信システム１は、移動端末装置ＵＥ＿Ａ１０とｅＮＢ＿Ａ４５とコアネットワーク＿Ａ９０とＰＤＮ＿Ａ５により構成されている。
【００１９】
ここで、ＵＥ＿Ａ１０は無線接続可能な端末装置であればよく、ＵＥ（Ｕｓｅｒ  ｅｑｕｉｐｍｅｎｔ）または、ＭＥ（Ｍｏｂｉｌｅ  ｅｑｕｉｐｍｅｎｔ）またはＭＳ（Ｍｏｂｉｌｅ  Ｓｔａｔｉｏｎ）であってよい。
【００２０】
また、ＵＥ＿Ａ１０は、ＣＩｏＴ端末であってもよい。なお、ＣＩｏＴ端末とはコアネットワークＡ９０へ接続可能なＩｏＴ端末であり、ＩｏＴ端末とは、スマートフォン等の携帯電話端末を含み、パソコンやセンサー装置などの様々なＩＴ機器であってよい。
【００２１】
つまり、ＵＥ＿Ａ１０がＣＩｏＴ端末である場合、ＵＥ＿Ａ１０はＵＥ＿Ａ１０のポリシーまたはネットワークからの要求に基づいてＣＩｏＴ端末のために最適化された接続を要求してもよいし、従来の接続を要求してもよい。または、ＵＥ＿Ａ１０は、出荷時に予めＣＩｏＴ端末のために最適化された通信手続きによってのみコアネットワーク＿Ａ９０に接続する端末装置として設定されてもよい。
【００２２】
ここで、コアネットワーク＿Ａ９０は、移動通信事業者（Ｍｏｂｉｌｅ  Ｏｐｅｒａｔｏｒ）が運用するＩＰ移動通信ネットワークのことである。
【００２３】
例えば、コアネットワーク＿Ａ９０は移動通信システム１を運用、管理する移動通信事業者のためのコアネットワークであってもよい、またはＭＶＮＯ（Ｍｏｂｉｌｅ  Ｖｉｒｔｕａｌ  Ｎｅｔｗｏｒｋ  Ｏｐｅｒａｔｏｒ）などの仮想移動通信事業者のためのコアネットワークであってよい。または、コアネットワーク＿Ａ９０はＣＩｏＴ端末を収容する為のコアネットワークであってもよい。
【００２４】
また、ｅＮＢ＿Ａ４５はＵＥ＿Ａ１０がコアネットワーク＿Ａ９０に接続するために用いられる無線アクセスネットワークを構成する基地局である。つまり、ＵＥ＿Ａ１０はｅＮＢ＿Ａ４５を用いてコアネットワーク＿Ａ９０に接続する。
【００２５】
また、コアネットワーク＿Ａ９０はＰＤＮ＿Ａ５に接続されている。ＰＤＮ＿Ａ５とは、ＵＥ＿Ａ１０に通信サービスを提供するパケットデータサービス網であり、サービス毎
に構成しても良い。ＰＤＮには、通信端末が接続されており、ＵＥ＿Ａ１０はＰＤＮ＿Ａ５に配置された通信端末とユーザデータの送受信を行うことができる。
【００２６】
なお、ユーザデータとは、ＵＥ＿Ａ１０とＰＤＮ＿Ａ５に含まれる装置との間で送受信するデータであってよい。なお、ＵＥ＿Ａ１０はコアネットワーク＿Ａ９０を介してＰＤＮ＿Ａ５にユーザデータを送信する。言い換えると、ＵＥ＿Ａ１０はＰＤＮ＿Ａ５にユーザデータを送受信するために、コアネットワーク＿Ａ９０とユーザデータを送受信する。より具体的には、ＵＥ＿Ａ１０はＰＤＮ＿Ａ５にユーザデータを送受信するために、ＰＧＷ＿Ａ３０やＣ−ＳＧＮ＿Ａ９５等のコアネットワーク＿Ａ９０内のゲートウェイ装置とユーザデータの送受信を行う。
【００２７】
次に、コアネットワーク＿Ａ９０の構成例を説明する。本実施形態では２つのコアネットワーク＿Ａ９０の構成例を説明する。
【００２８】
図２にコアネットワーク＿９０の構成の一例を示す。図２（ａ）のコアネットワーク＿Ａ９０は、ＨＳＳ（Ｈｏｍｅ  Ｓｕｂｓｃｒｉｂｅｒ  Ｓｅｒｖｅｒ）＿Ａ５０、ＡＡＡ（Ａｕｔｈｅｎｔｉｃａｔｉｏｎ、  Ａｕｔｈｏｒｉｚａｔｉｏｎ、  Ａｃｃｏｕｎｔｉｎｇ）＿Ａ５５、ＰＣＲＦ（Ｐｏｌｉｃｙ  ａｎｄ  Ｃｈａｒｇｉｎｇ  Ｒｕｌｅｓ  Ｆｕｎｃｔｉｏｎ）＿Ａ６０、ＰＧＷ（Ｐａｃｋｅｔ  Ｄａｔａ  Ｎｅｔｗｏｒｋ  Ｇａｔｅｗａｙ）＿Ａ３０、ｅＰＤＧ（ｅｎｈａｎｃｅｄ  Ｐａｃｋｅｔ  Ｄａｔａ  Ｇａｔｅｗａｙ）＿Ａ６５、ＳＧＷ（Ｓｅｒｖｉｎｇ  Ｇａｔｅｗａｙ）＿Ａ３５、ＭＭＥ（Ｍｏｂｉｌｉｔｙ  Ｍａｎａｇｅｍｅｎｔ  Ｅｎｔｉｔｙ）＿Ａ４０、ＳＧＳＮ（Ｓｅｒｖｉｎｇ  ＧＰＲＳ  Ｓｕｐｐｏｒｔ  Ｎｏｄｅ）＿Ａ４２により構成される。
【００２９】
また、コアネットワーク＿Ａ９０は、複数の無線アクセスネットワーク（ＬＴＥ  ＡＮ＿Ａ８０、ＷＬＡＮ  ＡＮｂ７５、ＷＬＡＮ  ＡＮａ７０、ＵＴＲＡＮ＿Ａ２０、ＧＥＲＡＮ＿Ａ２５）に接続することができる。
【００３０】
無線アクセスネットワークは、複数の異なるアクセスネットワークに接続して構成してもよいし、いずれか一つのアクセスネットワークに接続した構成であってもよい。さらに、ＵＥ＿Ａ１０は無線アクセスネットワークに無線接続することができる。
【００３１】
さらに、ＷＬＡＮアクセスシステムで接続可能なアクセスネットワークは、ｅＰＤＧ＿Ａ６５を介してコアネットワークへ接続するＷＬＡＮアクセスネットワークｂ（ＷＬＡＮ
ＡＮｂ７５）と、ＰＧＷ＿ＡとＰＣＲＦ＿Ａ６０とＡＡＡ＿Ａ５５とに接続するＷＬＡＮアクセスネットワークａ（ＷＬＡＮ  ＡＮａ７５）とが構成可能である。
【００３２】
なお、各装置はＥＰＳを利用した移動通信システムにおける従来の装置と同様に構成されるため、詳細な説明は省略する。以下、各装置の簡単な説明をする。
【００３３】
ＰＧＷ＿Ａ３０はＰＤＮ＿Ａ５とＳＧＷ＿Ａ３５とｅＰＤＧ＿Ａ６５とＷＬＡＮ  ＡＮａ７０と、ＰＣＲＦ＿Ａ６０とＡＡＡ＿Ａ５５とに接続されており、ＰＤＮ＿Ａ５とコアネットワーク＿Ａ９０のゲートウェイ装置としてユーザデータの転送を行う中継装置である。
【００３４】
ＳＧＷ＿Ａ３５は、ＰＧＷ３０とＭＭＥ＿Ａ４０とＬＴＥ  ＡＮ８０とＳＧＳＮ＿Ａ４２とＵＴＲＡＮ＿Ａ２０とに接続されており、コアネットワーク＿Ａ９０と３ＧＰＰのアクセスネットワーク（ＵＴＲＡＮ＿Ａ２０、ＧＥＲＡＮ＿Ａ２５、ＬＴＥ  ＡＮ＿Ａ８０）とのゲートウェイ装置としてユーザデータの転送を行う中継装置である。
【００３５】
ＭＭＥ＿Ａ４０は、ＳＧＷ＿Ａ３５とＬＴＥ  ＡＮ８０とＨＳＳ＿Ａ５０に接続されており、ＬＴＥ  ＡＮ８０を経由してＵＥ＿Ａ１０の位置情報管理と、アクセス制御を行うアクセス制御装置である。また、コアネットワーク＿Ａ９０には、複数の位置管理装置が含まれて構成されてよい。例えば、ＭＭＥ＿Ａ４０とは異なる位置管理装置が構成されてもよい。ＭＭＥ＿Ａ４０とは異なる位置管理装置はＭＭＥ＿Ａ４０と同様にＳＧＷ＿Ａ３５とＬＴＥ  ＡＮ８０と、ＨＳＳ＿Ａ５０と接続されてよい。
【００３６】
また、コアネットワーク＿Ａ９０内に複数のＭＭＥが含まれている場合、ＭＭＥ同士が接続されてもよい。これにより、ＭＭＥ間で、ＵＥ＿Ａ１０のコンテキストの送受信が行われてもよい。
【００３７】
ＨＳＳ＿Ａ５０はＭＭＥ＿Ａ４０とＡＡＡ＿Ａ５５とに接続されており、加入者情報の管理を行う管理ノードである。ＨＳＳ＿Ａ５０の加入者情報は、例えばＭＭＥ＿Ａ４０のアクセス制御の際に参照される。さらに、ＨＳＳ＿Ａ５０は、ＭＭＥ＿Ａ４０とは異なる位置管理装置と接続されていてもよい。
【００３８】
ＡＡＡ＿Ａ５５は、ＰＧＷ３０と、ＨＳＳ＿Ａ５０と、ＰＣＲＦ＿Ａ６０と、ＷＬＡＮ
ＡＮａ７０とに接続されており、ＷＬＡＮ  ＡＮａ７０を経由して接続するＵＥ＿Ａ１０のアクセス制御を行う。
【００３９】
ＰＣＲＦ＿Ａ６０は、ＰＧＷ＿Ａ３０と、ＷＬＡＮ  ＡＮａ７５と、ＡＡＡ＿Ａ５５と、ＰＤＮ＿Ａ５に接続されており、データ配送に対するＱｏＳ管理を行う。例えば、ＵＥ＿Ａ１０とＰＤＮ＿Ａ５間の通信路のＱｏＳの管理を行う。
【００４０】
ｅＰＤＧ＿Ａ６５は、ＰＧＷ３０と、ＷＬＡＮ  ＡＮｂ７５とに接続されており、コアネットワーク＿Ａ９０と、ＷＬＡＮ  ＡＮｂ７５とのゲートウェイ装置としてユーザデータの配送を行う。
【００４１】
ＳＧＳＮ＿Ａ４２は、ＵＴＲＡＮ＿Ａ２０とＧＥＲＡＮ＿Ａ２５とＳＧＷ＿Ａ３５と接続されており、３Ｇ／２Ｇのアクセスネットワーク（ＵＴＲＡＮ／ＧＥＲＡＮ）とＬＴＥのアクセスネットワーク（Ｅ−ＵＴＲＡＮ）間の位置管理のための制御装置である。更に、ＳＧＳＮ＿Ａ４２は、ＰＧＷ及びＳＧＷの選択機能、ＵＥのタイムゾーンの管理機能、及びＥ−ＵＴＲＡＮへのハンドオーバー時のＭＭＥの選択機能を持つ。
【００４２】
また、図２（ｂ）に示すように、各無線アクセスネットワークには、ＵＥ＿Ａ１０が実際に接続される装置（例えば、基地局装置やアクセスポイント装置）等が含まれている。接続に用いられる装置は、無線アクセスネットワークに適応した装置が考えられる。
【００４３】
本実施形態においては、ＬＴＥ  ＡＮ８０はｅＮＢ＿Ａ４５を含んで構成される。ｅＮＢ＿Ａ４５はＬＴＥアクセスシステムでＵＥ＿Ａ１０が接続する無線基地局であり、ＬＴＥ  ＡＮ＿Ａ８０には１又は複数の無線基地局が含まれて構成されてよい。
【００４４】
ＷＬＡＮ  ＡＮａ７０はＷＬＡＮ  ＡＰａ７２と、ＴＷＡＧ＿Ａ７４とが含まれて構成される。ＷＬＡＮ  ＡＰａ７２はコアネットワーク＿Ａ９０を運営する事業者に対して信頼性のあるＷＬＡＮアクセスシステムでＵＥ＿Ａ１０が接続する無線基地局であり、ＷＬＡＮ  ＡＮａ７０には１又は複数の無線基地局が含まれて構成されてよい。ＴＷＡＧ＿Ａ７４はコアネットワーク＿Ａ９０とＷＬＡＮ  ＡＮａ７０のゲートウェイ装置である。また、ＷＬＡＮ  ＡＰａ７２とＴＷＡＧ＿Ａ７４とは、単一の装置で構成されてもよい。
【００４５】
コアネットワーク＿Ａ９０を運営する事業者とＷＬＡＮ  ＡＮａ７０を運営する事業者
が異なる場合でも、事業者間の契約や規約によりこのような構成での実現が可能となる。
【００４６】
また、ＷＬＡＮ  ＡＮｂ７５はＷＬＡＮ  ＡＰｂ７６を含んで構成される。ＷＬＡＮ  ＡＰｂ７６はコアネットワーク＿Ａ９０を運営する事業者に対して信頼関係が結ばれていない場合に、ＷＬＡＮアクセスシステムでＵＥ＿Ａ１０が接続する無線基地局であり、ＷＬＡＮ  ＡＮｂ７５には１又は複数の無線基地局が含まれて構成されてよい。
【００４７】
このように、ＷＬＡＮ  ＡＮｂ７５はコアネットワーク＿Ａ９０に含まれる装置であるｅＰＤＧ＿Ａ６５をゲートウェイとしてコアネットワーク＿Ａ９０に接続される。ｅＰＤＧ＿Ａ６５は安全性を確保するためのセキュリティー機能を持つ。
【００４８】
ＵＴＲＡＮ＿Ａ２０は、ＲＮＣ（Ｒａｄｉｏ  Ｎｅｔｗｏｒｋ  Ｃｏｎｔｒｏｌｌｅｒ）＿Ａ２４とｅＮＢ（ＵＴＲＡＮ）＿Ａ２２を含んで構成される。ｅＮＢ（ＵＴＲＡＮ）＿Ａ２２は、ＵＴＲＡ（ＵＭＴＳ  Ｔｅｒｒｅｓｔｒｉａｌ  Ｒａｄｉｏ  Ａｃｃｅｓｓ）でＵＥ＿Ａ１０が接続する無線基地局であり、ＵＴＲＡＮ＿Ａ２０には１又は複数の無線基地局が含まれて構成されてよい。またＲＮＣ＿Ａ２４は、コアネットワーク＿Ａ９０とｅＮＢ（ＵＴＲＡＮ）＿Ａ２２を接続する制御部であり、ＵＴＲＡＮ＿Ａ２０には１又は複数のＲＮＣが含まれて構成されてよい。また、ＲＮＣ＿Ａ２４は１つまたは複数のｅＮＢ（ＵＴＲＡＮ）＿Ａ２２と接続されてよい。更に、ＲＮＣ＿Ａ２４は、ＧＥＲＡＮ＿Ａ２５に含まれる無線基地局（ＢＳＳ（Ｂａｓｅ  Ｓｔａｔｉｏｎ  Ｓｕｂｓｙｓｔｅｍ）＿Ａ２６）と接続されてよい。
【００４９】
ＧＥＲＡＮ＿Ａ２５は、ＢＳＳ＿Ａ２６を含んで構成される。ＢＳＳ＿Ａ２６は、ＧＥＲＡ（ＧＳＭ（登録商標）／ＥＤＧＥ  Ｒａｄｉｏ  Ａｃｃｅｓｓ）でＵＥ＿Ａ１０が接続する無線基地局であり、ＧＥＲＡＮ＿Ａ２５には１又は複数の無線基地局ＢＳＳで構成されてもよい。また、複数のＢＳＳは互いに接続しあっていてよい。またＢＳＳ＿Ａ２６はＲＮＣ＿Ａ２４と接続してもよい。
【００５０】
次に、第２のコアネットワーク＿Ａ９０の構成の一例を説明する。例えば、ＵＥ＿Ａ１０がＣＩｏＴ端末である場合、コアネットワーク＿Ａ９０は図３に示す構成であってもよい。図３のコアネットワーク＿Ａ９０は、Ｃ−ＳＧＮ（ＣＩｏＴ  Ｓｅｒｖｉｎｇ  Ｇａｔｅｗａｙ  Ｎｏｄｅ）＿Ａ９５とＨＳＳ＿Ａ５０とで構成される。なお、図２と同様に、コアネットワーク＿Ａ９０は、ＬＴＥ以外のアクセスネットワークとの接続性を提供するために、ＡＡＡ＿Ａ５５及び／またはＰＣＲＦ＿Ａ６０及び／またはｅＰＤＧ＿Ａ６５及び／またはＳＧＳＮ＿Ａ４２がコアネットワーク＿Ａ９０に含まれてもよい。
【００５１】
Ｃ−ＳＧＮ＿Ａ９５は、図２のＭＭＥ＿Ａ４０とＳＧＷ＿Ａ３５とＰＧＷ＿Ａ３０の機能の一部又は全てを担うノードであってよい。Ｃ−ＳＧＮ＿Ａ９５はＣＩｏＴ端末の接続性の確立や切断、モビリティ等を管理するノードであってよい。
【００５２】
つまり、Ｃ−ＳＧＮ＿Ａ９５は、ＰＤＮ＿Ａとコアネットワーク＿Ａ９０間のゲートウェイ装置機能及び、コアネットワーク＿Ａ９０とＣＩＯＴ  ＡＮ＿Ａ１００間のゲートウェイ装置機能及び、ＵＥ＿Ａ１０の位置管理機能を有していてよい。
【００５３】
図に示すように、ＵＥ＿Ａ１０は無線アクセスネットワークＣＩＯＴ  ＡＮ＿Ａ１００を介して、コアネットワーク＿Ａ９０に接続する。
【００５４】
図３（ｂ）にＣＩＯＴ  ＡＮ＿Ａ１００の構成を示す。図に示すようにＣＩＯＴ  ＡＮ＿Ａ１００にはｅＮＢ＿Ａ４５が含まれて構成されてよい。ＣＩＯＴ  ＡＮ＿Ａ１００に含まれるｅＮＢ＿Ａ４５は、ＬＴＥ  ＡＮ＿Ａ８０に含まれるｅＮＢ＿Ａ４５と同じ基地
局であってよい。または、ＣＩＯＴ  ＡＮ＿Ａ１００に含まれるｅＮＢ＿Ａ４５は、ＬＴＥ  ＡＮ＿Ａ８０に含まれるｅＮＢ＿Ａ４５と異なる、ＣＩｏＴ端末を収容する基地局であってよい。
【００５５】
なお、第１のコアネットワーク及び又は第２のコアネットワークは、ＩｏＴのために最適化されたシステムで構成されてよい。
【００５６】
なお、本明細書において、ＵＥ＿Ａ１０が各無線アクセスネットワークに接続されるという事は、各無線アクセスネットワークに含まれる基地局装置やアクセスポイント等に接続される事であり、送受信されるデータや信号等も、基地局装置やアクセスポイントを経由している。
【００５７】
［１．２．装置の構成］
以下、各装置の構成について説明する。
【００５８】
［１．２．１．ｅＮＢの構成］
以下、ｅＮＢ＿Ａ４５の構成について説明する。図４はｅＮＢ＿Ａ４５の装置構成を示す。図に示すように、ｅＮＢ＿Ａ４５はネットワーク接続部＿Ａ４２０と、送受信部＿Ａ４３０と、制御部＿Ａ４００と記憶部＿Ａ４４０で構成されている。ネットワーク接続部＿Ａ４２０と送受信部＿Ａ４３０と記憶部＿Ａ４４０は制御部＿Ａ４００と、バスを介して接続されている。
【００５９】
制御部＿Ａ４００はｅＮＢ＿Ａ４５を制御するための機能部である。制御部＿Ａ４００は、記憶部＿Ａ４４０に記憶されている各種プログラムを読みだして実行することにより各種処理を実現する。
【００６０】
ネットワーク接続部＿Ａ４２０は、ｅＮＢ＿Ａ４５がＭＭＥ＿Ａ４０及び／またはＳＧＷ＿Ａ３５と接続するための機能部である。さらに、ネットワーク接続部＿Ａ４２０は、ｅＮＢ＿Ａ４５がＭＭＥ＿Ａ４０及び／またはＳＧＷ＿Ａ３５からユーザデータ及び又は制御データを送受信する送受信機能部である。
【００６１】
送受信部＿Ａ４３０は、ｅＮＢ＿Ａ４５がＵＥ＿Ａ１０と接続するための機能部である。さらに、送受信部＿Ａ４３０は、ＵＥ＿Ａ１０からユーザデータ及び又は制御データを送受信する送受信機能部である。また、送受信部＿Ａ４３０には、外部アンテナ＿Ａ４１０が接続されている。
【００６２】
記憶部＿Ａ４４０は、ｅＮＢ＿Ａ４５の各動作に必要なプログラムや、データなどを記憶する機能部である。記憶部６４０は、例えば、半導体メモリや、ＨＤＤ（Ｈａｒｄ  Ｄｉｓｋ  Ｄｒｉｖｅ）等により構成されている。
【００６３】
記憶部＿Ａ４４０は、少なくとも、後述する通信手続き内で送受信する制御メッセージに含まれる識別情報及びまたは制御情報及び又はフラグ及び又はパラメータを記憶してもよい。
【００６４】
［１．２．２．ＭＭＥの構成］
以下、ＭＭＥ＿Ａ４０の構成について説明する。図６はＭＭＥ＿Ａ４０の装置構成を示す。図に示すように、ＭＭＥ＿Ａ４０はネットワーク接続部＿Ｂ６２０と、制御部＿Ｂ６００と記憶部＿Ｂ６４０で構成されている。ネットワーク接続部＿Ｂ６２０と記憶部＿Ｂ６４０は制御部＿Ｂ６００と、バスを介して接続されている。
【００６５】
制御部＿Ｂ６００はＭＭＥ＿Ａ４０を制御するための機能部である。制御部＿Ｂ６００は、記憶部＿Ｂ６４０に記憶されている各種プログラムを読みだして実行することにより各種処理を実現する。
【００６６】
ネットワーク接続部＿Ｂ６２０は、ＭＭＥ＿Ａ４０が、ｅＮＢ＿Ａ４５及び／またはＨＳＳ＿Ａ５０及び／またはＳＧＷ＿Ａ３５と接続するための機能部である。さらに、ネットワーク接続部＿Ｂ６２０は、ＭＭＥ＿Ａ４０が、ｅＮＢ＿Ａ４５及び／またはＨＳＳ＿Ａ５０及び／またはＳＧＷ＿Ａ３５からユーザデータ及び又は制御データを送受信する送受信機能部である。
【００６７】
記憶部＿Ｂ６４０は、ＭＭＥ＿Ａ４０の各動作に必要なプログラムや、データなどを記憶する機能部である。記憶部＿Ｂ６４０は、例えば、半導体メモリや、ＨＤＤ（Ｈａｒｄ
Ｄｉｓｋ  Ｄｒｉｖｅ）等により構成されている。
【００６８】
記憶部＿Ｂ６４０は、少なくとも、後述する通信手続き内で送受信する制御メッセージに含まれる識別情報及びまたは制御情報及び又はフラグ及び又はパラメータを記憶してもよい。
【００６９】
記憶部＿Ｂ６４０は、図に示すように、ＭＭＥコンテキスト６４２と、セキュリティーコンテキスト６４８、ＭＭＥ緊急構成データ６５０を記憶する。なお、ＭＭＥコンテキストは、ＭＭコンテキスト６４４と、ＥＰＳベアラコンテキスト６４６により構成される。または、ＭＭＥコンテキストはＥＭＭコンテキストとＥＳＭコンテキストで構成されてもよい。ＭＭコンテキスト６４４とはＥＭＭコンテキストの事であり、ＥＰＳベアラコンテキスト６４６はＥＳＭコンテキストの事であってもよい。
【００７０】
図７〜図９に（ｂ）ＵＥごとに記憶されるＭＭＥコンテキストの情報要素を示す。図に示すように、ＵＥごとに記憶されるＭＭＥコンテキストは、ＩＭＳＩ、ＩＭＳＩ−ｕｎａｕｔｈｅｎｔｉｃａｔｅｄ−ｉｎｄｉｃａｔｏｒ、ＭＳＩＳＤＮ、ＭＭ  Ｓｔａｔｅ、ＧＵＴＩ、ＭＥ  Ｉｄｅｎｔｉｔｙ、Ｔｒａｃｋｉｎｇ  Ａｒｅａ  Ｌｉｓｔ、ＴＡＩ  ｏｆ  ｌａｓｔ  ＴＡＵ、ＥＣＧＩ（Ｅ−ＵＴＲＡＮ  Ｃｅｌｌ  Ｇｌｏｂａｌ  Ｉｄｅｎｔｉｔｙ）、Ｅ−ＵＴＲＡＮ  Ｃｅｌｌ  Ｉｄｅｎｔｉｔｙ  Ａｇｅ、ＣＳＧ  ＩＤ、ＣＳＧ  ｍｅｍｂｅｒｓｈｉｐ、Ａｃｃｅｓｓ  ｍｏｄｅ、Ａｕｔｈｅｎｔｉｃａｔｉｏｎ
Ｖｅｃｔｏｒ、ＵＥ  Ｒａｄｉｏ  Ａｃｃｅｓｓ  Ｃａｐａｂｉｌｉｔｙ、ＭＳ  Ｃｌａｓｓｍａｒｋ  ２、ＭＳ  Ｃｌａｓｓｍａｒｋ  ３、Ｓｕｐｐｏｒｔｅｄ  Ｃｏｄｅｃｓ、ＵＥ  Ｎｅｔｗｏｒｋ  Ｃａｐａｂｉｌｉｔｙ、ＭＳ  Ｎｅｔｗｏｒｋ  Ｃａｐａｂｉｌｉｔｙ、ＵＥ  Ｓｐｅｃｉｆｉｃ  ＤＲＸ  Ｐａｒａｍｅｔｅｒｓ、Ｓｅｌｅｃｔｅｄ  ＮＡＳ  Ａｌｇｏｒｉｔｈｍ、ｅＫＳＩ、Ｋ＿ＡＳＭＥ、ＮＡＳ  Ｋｅｙｓ  ａｎｄ
ＣＯＵＮＴ、Ｓｅｌｅｃｔｅｄ  ＣＮ  ｏｐｅｒａｔｏｒ  ＩＤ、Ｒｅｃｏｖｅｒｙ、Ａｃｃｅｓｓ  Ｒｅｓｔｒｉｃｔｉｏｎ、ＯＤＢ  ｆｏｒ  ＰＳ  ｐａｒａｍｅｔｅｒｓ、ＡＰＮ−ＯＩ  Ｒｅｐｌａｃｅｍｅｎｔ、ＭＭＥ  ＩＰ  ａｄｄｒｅｓｓ  ｆｏｒ  Ｓ１１、ＭＭＥ  ＴＥＩＤ  ｆｏｒ  Ｓ１１、Ｓ‐ＧＷ  ＩＰ  ａｄｄｒｅｓｓ  ｆｏｒ  Ｓ１１／Ｓ４、Ｓ  ＧＷ  ＴＥＩＤ  ｆｏｒ  Ｓ１１／Ｓ４、ＳＧＳＮ  ＩＰ  ａｄｄｒｅｓｓ  ｆｏｒ  Ｓ３、ＳＧＳＮ  ＴＥＩＤ  ｆｏｒ  Ｓ３、ｅＮｏｄｅＢ  Ａｄｄｒｅｓｓ  ｉｎ  Ｕｓｅ  ｆｏｒ  Ｓ１−ＭＭＥ、ｅＮＢ  ＵＥ  Ｓ１ＡＰ  ＩＤ、ＭＭＥ  ＵＥ  Ｓ１ＡＰ  ＩＤ、Ｓｕｂｓｃｒｉｂｅｄ  ＵＥ−ＡＭＢＲ、ＵＥ−ＡＭＢＲ、ＥＰＳ  Ｓｕｂｓｃｒｉｂｅｄ  Ｃｈａｒｇｉｎｇ  Ｃｈａｒａｃｔｅｒｉｓｔｉｃｓ、Ｓｕｂｓｃｒｉｂｅｄ  ＲＦＳＰ  Ｉｎｄｅｘ、ＲＦＳＰ  Ｉｎｄｅｘ  ｉｎ  Ｕｓｅ、Ｔｒａｃｅ  ｒｅｆｅｒｅｎｃｅ、Ｔｒａｃｅ  ｔｙｐｅ、Ｔｒｉｇｇｅｒ  ＩＤ、ＯＭＣ  ｉｄｅｎｔｉｔｙ、ＵＲＲＰ−ＭＭＥ、ＣＳＧ  Ｓｕｂｓｃｒｉｐｔｉｏｎ  Ｄａｔａ、ＬＩＰＡ  Ａｌｌｏｗｅｄ、Ｓｕｂｓｃｒｉｂｅｄ  Ｐｅｒｉｏｄｉｃ  ＲＡＵ／ＴＡＵ
Ｔｉｍｅｒ、ＭＰＳ  ＣＳ  ｐｒｉｏｒｉｔｙ、ＭＰＳ  ＥＰＳ  ｐｒｉｏｒｉｔｙ、Ｖｏｉｃｅ  Ｓｕｐｐｏｒｔ  Ｍａｔｃｈ  Ｉｎｄｉｃａｔｏｒ、Ｈｏｍｏｇｅｎｏｕｓ
Ｓｕｐｐｏｒｔ  ｏｆ  ＩＭＳ  Ｖｏｉｃｅ  ｏｖｅｒ  ＰＳ  Ｓｅｓｓｉｏｎｓを含む。
【００７１】
また、ＵＥごとのＭＭＥコンテキストは、モビリティタイプ（Ｍｏｂｉｌｉｔｙ  Ｔｙｐｅ）を含んでもよい。
【００７２】
ＩＭＳＩは、ユーザの永久的な識別情報である。ＨＳＳ＿Ａ５０が記憶するＩＭＳＩと等しい。
【００７３】
ＩＭＳＩ−ｕｎａｕｔｈｅｎｔｉｃａｔｅｄ−ｉｎｄｉｃａｔｏｒは、このＩＭＳＩが認証されていない事を示す指示情報である。
【００７４】
ＭＳＩＳＤＮは、ＵＥの電話番号を表す。ＭＳＩＳＤＮはＨＳＳ＿Ａ５０の記憶部により示される。
【００７５】
ＭＭ  Ｓｔａｔｅは、ＭＭＥの移動管理（Ｍｏｂｉｌｉｔｙ  ｍａｎａｇｅｍｅｎｔ）状態を示す。この管理情報は、ｅＮＢとコアネットワーク間の接続が解放されているＥＣＭ−ＩＤＬＥ状態、ｅＮＢとコアネットワーク間の接続が解放されていないＥＣＭ−ＣＯＮＮＥＣＴＥＤ状態、またはＭＭＥがＵＥの位置情報を記憶していないＥＭＭ−ＤＥＲＥＧＩＳＴＥＲＥＤ状態を示す。
【００７６】
ＧＵＴＩ（Ｇｌｏｂａｌｌｙ  Ｕｎｉｑｕｅ  Ｔｅｍｐｏｒａｒｙ  Ｉｄｅｎｔｉｔｙ）は、ＵＥの一時的な識別情報である。ＧＵＴＩはＭＭＥの識別情報（ＧＵＭＭＥＩ：Ｇｌｏｂａｌｌｙ  Ｕｎｉｑｕｅ  ＭＭＥ  Ｉｄｅｎｔｉｆｉｅｒ）と特定ＭＭＥ内でのＵＥの識別情報（Ｍ−ＴＭＳＩ）により構成される。
【００７７】
ＭＥ  ＩｄｅｎｔｉｔｙＵＥのＩＤであり、例えば、ＩＭＥＩ／ＩＭＩＳＶであってもよい。
【００７８】
Ｔｒａｃｋｉｎｇ  Ａｒｅａ  Ｌｉｓｔは、ＵＥに割り当てたトラッキングエリア識別情報のリストである。
【００７９】
ＴＡＩ  ｏｆ  ｌａｓｔ  ＴＡＵは、最近のトラッキングエリア更新手続きで示されたトラッキングエリア識別情報である。
【００８０】
ＥＣＧＩは、ＭＭＥ＿Ａ４０が知る最近のＵＥのセルの識別情報である。
【００８１】
Ｅ−ＵＴＲＡＮ  Ｃｅｌｌ  Ｉｄｅｎｔｉｔｙ  Ａｇｅは、ＭＭＥがＥＣＧＩを取得してからの経過時間を示す。
【００８２】
ＣＳＧ  ＩＤは、ＭＭＥが知る、最近のＵＥが動作したＣＳＧ（Ｃｌｏｓｅｄ  Ｓｕｂｓｃｒｉｂｅｒ  Ｇｒｏｕｐ）の識別情報である。
【００８３】
ＣＳＧ  ｍｅｍｂｅｒｓｈｉｐは、ＭＭＥが知る最近のＵＥのＣＳＧのメンバー情報である。ＣＳＧ  ｍｅｍｂｅｒｓｈｉｐは、ＵＥがＣＳＧメンバーであるかどうかを示す。
【００８４】
Ａｃｃｅｓｓ  ｍｏｄｅはＥＣＧＩで識別されるセルのアクセスモードであり、ＥＣＧＩがＣＳＧとＣＳＧではないＵＥの両方にアクセスを許可するハイブリッドであることを
示す識別情報であってもよい。
【００８５】
Ａｕｔｈｅｎｔｉｃａｔｉｏｎ  ＶｅｃｔｏｒはＭＭＥが従う、特定のＵＥの一時的なＡＫＡ（Ａｕｔｈｅｎｔｉｃａｔｉｏｎ  ａｎｄ  Ｋｅｙ  Ａｇｒｅｅｍｅｎｔ）を示す。Ａｕｔｈｅｎｔｉｃａｔｉｏｎ  Ｖｅｃｔｏｒは、認証に用いるランダム値ＲＡＮＤ、期待応答ＸＲＥＳ、鍵Ｋ＿ＡＳＭＥ、ネットワークに認証された言語（トークン）ＡＵＴＮで構成される。
【００８６】
ＵＥ  Ｒａｄｉｏ  Ａｃｃｅｓｓ  Ｃａｐａｂｉｌｉｔｙは、ＵＥの無線アクセス能力を示す識別情報である。
【００８７】
ＭＳ  Ｃｌａｓｓｍａｒｋ  ２は、３Ｇ／２Ｇ（ＵＴＲＡＮ／ＧＥＲＡＮ）のＣＳドメインのコアネットワークの分類記号（Ｃｌａｓｓｍａｒｋ）である。ＭＳ  Ｃｌａｓｓｍａｒｋ  ２は、ＵＥがＳＲＶＣＣ（Ｓｉｎｇｌｅ  Ｒａｄｉｏ  Ｖｏｉｃｅ  Ｃａｌｌ  Ｃｏｎｔｉｎｕｉｔ）をＧＥＲＡＮまたはＵＴＲＡＮに対してサポートする場合に使用される。
【００８８】
ＭＳ  Ｃｌａｓｓｍａｒｋ  ３は、ＧＥＲＡＮのＣＳドメインの無線ネットワークの分類記号（Ｃｌａｓｓｍａｒｋ）である。ＭＳ  Ｃｌａｓｓｍａｒｋ  ３は、ＵＥがＳＲＶＣＣ（Ｓｉｎｇｌｅ  Ｒａｄｉｏ  Ｖｏｉｃｅ  Ｃａｌｌ  Ｃｏｎｔｉｎｕｉｔ）をＧＥＲＡＮに対してサポートする場合に使用される。
【００８９】
Ｓｕｐｐｏｒｔｅｄ  Ｃｏｄｅｃｓは、ＣＳドメインでサポートされるコードのリストである。このリストは、ＵＥがＳＲＶＣＣをＧＥＲＡＮまたはＵＴＲＡＮに対してサポートする場合に使用される。
【００９０】
ＵＥ  Ｎｅｔｗｏｒｋ  Ｃａｐａｂｉｌｉｔｙは、ＵＥにサポートされるセキュリティーのアルゴリズムと鍵派生関数を含める。
【００９１】
ＭＳ  Ｎｅｔｗｏｒｋ  Ｃａｐａｂｉｌｉｔｙは、ＧＥＲＡＮ及び／又はＵＴＲＡＮ機能をもつＵＥに対して、ＳＧＳＮに必要な少なくとも一つの情報を含める情報である。
【００９２】
ＵＥ  Ｓｐｅｃｉｆｉｃ  ＤＲＸ  Ｐａｒａｍｅｔｅｒｓは、ＵＥのＤＲＸ（Ｄｉｓｃｏｎｔｉｎｕｏｕｓ  Ｒｅｃｅｐｔｉｏｎ）サイクル長を決定するために用いるパラメータである。ここでＤＲＸとは、ＵＥのバッテリーの消費電力をなるべく少なくするために、ある一定時間通信がなければＵＥを低消費電力状態に切り替える機能である。
【００９３】
Ｓｅｌｅｃｔｅｄ  ＮＡＳ  Ａｌｇｏｒｉｔｈｍは、ＮＡＳ（Ｎｏｎ−Ａｃｃｅｓｓ  Ｓｔｒｅａｍ）の選択されたセキュリティーアルゴリズムである。
【００９４】
ｅＫＳＩは、Ｋ＿ＡＳＭＥを示す鍵の集合である。ＵＴＲＡＮまたはＥ−ＵＴＲＡＮのセキュリティー認証により取得したセキュリティー鍵を利用するかどうかを示してもよい。
【００９５】
Ｋ＿ＡＳＭＥは、暗号鍵ＣＫ（Ｃｉｐｈｅｒ  Ｋｅｙ）と完全鍵ＩＫ（Ｉｎｔｅｇｒｉｔｙ  Ｋｅｙ）に基づき生成される、Ｅ−ＵＴＲＡＮの鍵階層化の鍵である。
【００９６】
ＮＡＳ  Ｋｅｙｓ  ａｎｄ  ＣＯＵＮＴは、鍵Ｋ＿ＮＡＳｉｎｔと、鍵Ｋ＿ＮＡＳｅｎｃとＮＡＳ  ＣＯＵＮＴパラメータにより構成される。鍵Ｋ＿ＮＡＳｉｎｔは、ＵＥとＭＭＥ間の暗号化のための鍵であり、鍵Ｋ＿ＮＡＳｅｎｃは、ＵＥとＭＭＥ間の安全性保護
のための鍵である。また、ＮＡＳ  ＣＯＵＮＴはＵＥとＭＭＥ間のセキュリティーが確立された、新しい鍵が設定された場合にカウントを開始する、カウントである。
【００９７】
Ｓｅｌｅｃｔｅｄ  ＣＮ  ｏｐｅｒａｔｏｒ  ＩＤはオペレータ間でネットワークを共有するために使用する、選択されたコアネットワークオペレータの識別情報である。
【００９８】
Ｒｅｃｏｖｅｒｙは、ＨＳＳがデータベースの復帰を行うかどうかを示す識別情報である。
【００９９】
Ａｃｃｅｓｓ  Ｒｅｓｔｒｉｃｔｉｏｎは、アクセス制限の登録情報である。
【０１００】
ＯＤＢ  ｆｏｒ  ＰＳ  ｐａｒａｍｅｔｅｒｓは、ＯＤＢ（ｏｐｅｒａｔｏｒ  ｄｅｔｅｒｍｉｎｅｄ  ｂａｒｒｉｎｇ）の状態を示す。ここでＯＤＢとは、通信事業者（オペレータ）が決定したアクセス規定である。
【０１０１】
ＡＰＮ−ＯＩ  Ｒｅｐｌａｃｅｍｅｎｔは、ＤＮＳ解決を実行する為にＰＧＷ  ＦＱＤＮを構築する際の、ＡＰＮに代わるドメイン名である。この代用のドメイン名はすべてのＡＰＮに適応される。
【０１０２】
ＭＭＥ  ＩＰ  ａｄｄｒｅｓｓ  ｆｏｒ  Ｓ１１は、ＳＧＷとのインターフェースで用いられるＭＭＥのＩＰアドレスである。
【０１０３】
ＭＭＥ  ＴＥＩＤ  ｆｏｒ  Ｓ１１は、ＳＧＷとのインターフェースで用いられるＴＥＩＤ（Ｔｕｎｎｅｌ  Ｅｎｄｐｏｉｎｔ  Ｉｄｅｎｔｉｆｉｅｒ）である。
【０１０４】
Ｓ−ＧＷ  ＩＰ  ａｄｄｒｅｓｓ  ｆｏｒ  Ｓ１１／Ｓ４はＭＭＥとＳＧＷ間またはＳＧＳＮとＭＭＥ間のインターフェースで利用されるＳＧＷのＩＰアドレスである。
【０１０５】
Ｓ  ＧＷ  ＴＥＩＤ  ｆｏｒ  Ｓ１１／Ｓ４はＭＭＥとＳＧＷ間またはＳＧＳＮとＭＭＥ間のインターフェースで利用されるＳＧＷのＴＥＩＤである。
【０１０６】
ＳＧＳＮ  ＩＰ  ａｄｄｒｅｓｓ  ｆｏｒ  Ｓ３は、ＭＭＥとＳＧＳＮ間でのインターフェースに用いるＳＧＳＮのＩＰアドレスである。
【０１０７】
ＳＧＳＮ  ＴＥＩＤ  ｆｏｒ  Ｓ３は、ＭＭＥとＳＧＳＮ間のインターフェースで用いるＳＧＳＮのＴＥＩＤである。
【０１０８】
ｅＮｏｄｅＢ  Ａｄｄｒｅｓｓ  ｉｎ  Ｕｓｅ  ｆｏｒ  Ｓ１−ＭＭＥは、ＭＭＥとｅＮＢ間のインターフェースで最近用いられたｅＮＢのＩＰアドレスである。
【０１０９】
ｅＮＢ  ＵＥ  Ｓ１ＡＰ  ＩＤは、ｅＮＢ内でのＵＥの識別情報である。
【０１１０】
ＭＭＥ  ＵＥ  Ｓ１ＡＰ  ＩＤは、ＭＭＥ内でのＵＥの識別情報である。
【０１１１】
Ｓｕｂｓｃｒｉｂｅｄ  ＵＥ−ＡＭＢＲは、ユーザの登録情報に従いすべてのＮｏｎ−ＧＢＲ（Ｇｕａｒａｎｔｅｅｄ  Ｂｉｔ  Ｒａｔｅ）ベアラ（非保障ベアラ）を共有するための上り通信および下り通信のＭＢＲ（Ｍａｘｉｍｕｍ  Ｂｉｔ  Ｒａｔｅ）の最大値を示す。
【０１１２】
ＵＥ−ＡＭＢＲは、すべてのＮｏｎ−ＧＢＲベアラ（非保障ベアラ）を共有するために
、最近使用された上り通信および下り通信のＭＢＲの最大値を示す。
【０１１３】
ＥＰＳ  Ｓｕｂｓｃｒｉｂｅｄ  Ｃｈａｒｇｉｎｇ  Ｃｈａｒａｃｔｅｒｉｓｔｉｃｓは、ＵＥの課金特性を示す。例えば、ＥＰＳ  Ｓｕｂｓｃｒｉｂｅｄ  Ｃｈａｒｇｉｎｇ
Ｃｈａｒａｃｔｅｒｉｓｔｉｃｓはノーマル、プリペイド、課金率固定、または即時請求などの登録情報を示してもよい。
【０１１４】
Ｓｕｂｓｃｒｉｂｅｄ  ＲＦＳＰ  Ｉｎｄｅｘは、ＨＳＳから取得したＥ−ＵＴＲＡＮ内の特定のＲＲＭ構成のためのインデックスである。
【０１１５】
ＲＦＳＰ  Ｉｎｄｅｘ  ｉｎ  Ｕｓｅは、最近使用されたＥ−ＵＴＲＡＮ内の特定のＲＲＭ構成のためのインデックスである。
【０１１６】
Ｔｒａｃｅ  ｒｅｆｅｒｅｎｃｅは、特定のトレースの記録、または記録の集合を識別する識別情報である。
【０１１７】
Ｔｒａｃｅ  ｔｙｐｅは、トレースのタイプを示す。例えば、ＨＳＳがトレースをするタイプ、及び／または、ＭＭＥやＳＧＷやＰＧＷがトレースするタイプを示してもよい。
【０１１８】
Ｔｒｉｇｇｅｒ  ＩＤは、トレースを開始する構成要素を識別する識別情報である。
【０１１９】
ＯＭＣ  Ｉｄｅｎｔｉｔｙは、トレースされた記録を受信したＯＭＣを識別する識別情報である。
【０１２０】
ＵＲＲＰ−ＭＭＥは、ＨＳＳによりＭＭＥからのＵＥ活動通知が要求された事を示す識別情報である。
【０１２１】
ＣＳＧ  Ｓｕｂｓｃｒｉｐｔｉｏｎ  Ｄａｔａは、ローミング先のＰＬＭＮ（ＶＰＬＭＮ）ＣＳＧ  ＩＤとローミング先の等価ＰＬＭＮの関連リストである。ＣＳＧ  ＩＤごとに、ＣＳＧ  ＩＤの有効期限を示すｅｘｐｉｒａｔｉｏｎ  ｄａｔｅや、有効期限がない事を示すａｂｓｅｎｔ  ｅｘｐｉｒａｔｉｏｎ  ｄａｔｅと関連づけられていてもよい。ＣＳＧ  ＩＤは、ＬＩＰＡを介した特定のＰＤＮ接続に使われてもよい。
【０１２２】
ＬＩＰＡ  Ａｌｌｏｗｅｄは、ＵＥはこのＰＬＭＮでＬＩＰＡを使用することが許可されているかどうかを示す
Ｓｕｂｓｃｒｉｂｅｄ  Ｐｅｒｉｏｄｉｃ  ＲＡＵ／ＴＡＵ  Ｔｉｍｅｒは、定期的なＲＡＵ及び／またはＴＡＵのタイマーである。
【０１２３】
ＭＰＳ  ＣＳ  ｐｒｉｏｒｉｔｙは、ＵＥがＣＳドメインでｅＭＬＰＰか１ｘ  ＲＴＴ優先サービスに登録されていることを示す。
【０１２４】
ＭＰＳ  ＥＰＳ  ｐｒｉｏｒｉｔｙは、ＥＰＳドメイン内でＭＰＳに登録されていることを示す識別情報である。
【０１２５】
Ｖｏｉｃｅ  Ｓｕｐｐｏｒｔ  Ｍａｔｃｈ  Ｉｎｄｉｃａｔｏｒは、ＵＥの無線能力がネットワーク構成と互換性があるかどうかを示す。例えば、ＵＥによるＳＲＶＣＣのサポートがネットワークの音声通話に対するサポートとマッチするかどうかを示す。
【０１２６】
Ｈｏｍｏｇｅｎｏｕｓ  Ｓｕｐｐｏｒｔ  ｏｆ  ＩＭＳ  Ｖｏｉｃｅ  ｏｖｅｒ  ＰＳ
Ｓｅｓｓｉｏｎｓ  ｆｏｒ  ＭＭＥは、ＰＳセッション上のＩＭＳ音声通話をサポート
するかどうかを、ＵＥごとに示す指示情報である。Ｈｏｍｏｇｅｎｏｕｓ  Ｓｕｐｐｏｒｔ  ｏｆ  ＩＭＳ  Ｖｏｉｃｅ  ｏｖｅｒ  ＰＳ  Ｓｅｓｓｉｏｎｓ  ｆｏｒ  ＭＭＥは、ＭＭＥが管理する全てのＴＡ（Ｔｒａｃｋｉｎｇ  Ａｒｅａ）でＰＳ（Ｐａｃｋｅｔ  Ｓｗｉｔｃｈｅｄ：  回線交換）セッション上でのＩＭＳ（ＩＰ  Ｍｕｌｔｉｍｅｄｉａ
Ｓｕｂｓｙｓｔｅｍ）音声通話をサポートする、「Ｓｕｐｐｏｒｔｅｄ」と、ＰＳセッション上でのＩＭＳ音声通話をサポートするＴＡがない場合を示す「Ｎｏｔ  Ｓｕｐｐｏｒｔｅｄ」とがある。また、ＰＳセッション上でのＩＭＳ音声通話をサポートが均一でない（サポートするＴＡとしないＴＡがＭＭＥ内に混在する）場合や、サポートするかどうかが分からない場合、ＭＭＥはこの指示情報をＨＳＳに通知しない。
【０１２７】
図１０に、ＰＤＮコネクションごとに記憶されるＰＤＮコネクションごとのＭＭＥコンテキストに含まれる情報要素を示す。図に示すように、ＰＤＮコネクションごとのＭＭＥコンテキストは、ＡＰＮ  ｉｎ  Ｕｓｅ、ＡＰＮ  Ｒｅｓｔｒｉｃｔｉｏｎ、ＡＰＮ  Ｓｕｂｓｃｒｉｂｅｄ、ＰＤＮ  Ｔｙｐｅ、ＩＰ  Ａｄｄｒｅｓｓ、ＥＰＳ  ＰＤＮ  Ｃｈａｒｇｉｎｇ  Ｃｈａｒａｃｔｅｒｉｓｔｉｃｓ、ＡＰＮ−ＯＩ  Ｒｅｐｌａｃｅｍｅｎｔ、ＳＩＰＴＯ  ｐｅｒｍｉｓｓｉｏｎｓ、Ｌｏｃａｌ  Ｈｏｍｅ  Ｎｅｔｗｏｒｋ  ＩＤ、ＬＩＰＡ  ｐｅｒｍｉｓｓｉｏｎｓ、ＷＬＡＮ  ｏｆｆｌｏａｄａｂｉｌｉｔｙ、ＶＰＬＭＮ  Ａｄｄｒｅｓｓ  Ａｌｌｏｗｅｄ、ＰＤＮ  ＧＷ  Ａｄｄｒｅｓｓ  ｉｎ  Ｕｓｅ（制御情報）、ＰＤＮ  ＧＷ  ＴＥＩＤ  ｆｏｒ  Ｓ５／Ｓ８（制御情報）、ＭＳ  Ｉｎｆｏ  Ｃｈａｎｇｅ  Ｒｅｐｏｒｔｉｎｇ  Ａｃｔｉｏｎ、ＣＳＧ  Ｉｎｆｏｒｍａｔｉｏｎ  Ｒｅｐｏｒｔｉｎｇ  Ａｃｔｉｏｎ、Ｐｒｅｓｅｎｃｅ  Ｒｅｐｏｒｔｉｎｇ
Ａｒｅａ  Ａｃｔｉｏｎ、ＥＰＳ  ｓｕｂｓｃｒｉｂｅｄ  ＱｏＳ  ｐｒｏｆｉｌｅ、Ｓｕｂｓｃｒｉｂｅｄ  ＡＰＮ−ＡＭＢＲ、ＡＰＮ−ＡＭＢＲ、ＰＤＮ  ＧＷ  ＧＲＥ  Ｋｅｙ  ｆｏｒ  ｕｐｌｉｎｋ  ｔｒａｆｆｉｃ（ユーザデータ）、Ｄｅｆａｕｌｔ  ｂｅａｒｅｒ、ｌｏｗ  ａｃｃｅｓｓ  ｐｒｉｏｒｉｔｙを含める。
【０１２８】
また、ＰＤＮコネクションごとのＭＭＥコンテキストは、モビリティタイプ（Ｍｏｂｉｌｉｔｙ  Ｔｙｐｅ）を含んでもよい。
【０１２９】
ＡＰＮ  ｉｎ  Ｕｓｅは、最近使用されたＡＰＮを示す。このＡＰＮはＡＰＮネットワークの識別情報と、デフォルトのオペレータの識別情報により構成される。
【０１３０】
ＡＰＮ  Ｒｅｓｔｒｉｃｔｉｏｎは、このベアラコンテキストに関連づけられたＡＰＮに対する、ＡＰＮのタイプの組み合わせの制限を示す。つまり、確立できるＡＰＮの数とＡＰＮのタイプを制限する情報である。
【０１３１】
ＡＰＮ  ＳｕｂｓｃｒｉｂｅｄはＨＳＳから受信した登録ＡＰＮを意味する。
【０１３２】
ＰＤＮ  Ｔｙｐｅは、ＩＰアドレスのタイプを示す。例えば、ＰＤＮ  Ｔｙｐｅは、ＩＰｖ４、ＩＰｖ６またはＩＰｖ４ｖ６を示す。
【０１３３】
ＩＰ  Ａｄｄｒｅｓｓは、ＩＰｖ４アドレスかＩＰｖ６  Ｐｒｅｆｉｘを示す。なお、ＩＰアドレスはＩＰｖ４とＩＰｖ６のｐｒｅｆｉｘの両方を記憶してもよい。
【０１３４】
ＥＰＳ  ＰＤＮ  Ｃｈａｒｇｉｎｇ  Ｃｈａｒａｃｔｅｒｉｓｔｉｃｓは、課金特性を示す。ＥＰＳ  ＰＤＮ  Ｃｈａｒｇｉｎｇ  Ｃｈａｒａｃｔｅｒｉｓｔｉｃｓは例えば、ノーマル、プリペイド、課金率固定、または即時請求を示してよい。
【０１３５】
ＡＰＮ−ＯＩ  Ｒｅｐｌａｃｅｍｅｎｔは、ＵＥごとに登録されているＡＰＮ−ＯＩ  Ｒｅｐｌａｃｅｍｅｎｔと同様の役割をもつＡＰＮの代理ドメイン名である。ただし、Ｕ
ＥごとのＡＰＮ−ＯＩ  Ｒｅｐｌａｃｅｍｅｎｔより優先度が高い。
【０１３６】
ＳＩＰＴＯ  ｐｅｒｍｉｓｓｉｏｎｓはこのＡＰＮを用いたトラフィックのＳＩＰＴＯ（Ｓｅｌｅｃｔｅｄ  ＩＰ  Ｔｒａｆｆｉｃ  Ｏｆｆｌｏａｄ）に対する許可情報を示す。具体的には、ＳＩＰＴＯ  ｐｅｒｍｉｓｓｉｏｎｓは、ＳＩＰＴＯを用いる事を禁止する、またはローカルネットワーク以外でのＳＩＰＴＯの利用を許可する、またはローカルネットワークを含めるネットワークでのＳＩＰＴＯの利用を許可する、またはローカルネットワークのみＳＩＰＴＯの利用を許可する、ことを識別する。
【０１３７】
Ｌｏｃａｌ  Ｈｏｍｅ  Ｎｅｔｗｏｒｋ  ＩＤは、ローカルネットワークを用いたＳＩＰＴＯ（ＳＩＰＴＯ＠ＬＮ）の利用が可能である場合、基地局が属するホームネットワークの識別情報を示す。
【０１３８】
ＬＩＰＡ  ｐｅｒｍｉｓｓｉｏｎｓは、このＰＤＮがＬＩＰＡを介したアクセスが可能かどうかを示す識別情報である。具体的には、ＬＩＰＡ  ｐｅｒｍｉｓｓｉｏｎｓは、ＬＩＰＡを許可しないＬＩＰＡ−ｐｒｏｈｉｂｉｔｅｄ、またはＬＩＰＡのみ許可する、ＬＩＰＡ−ｏｎｌｙ、条件によりＬＩＰＡを許可するＬＩＰＡ−ｃｏｎｄｉｔｉｏｎａｌであってよい。
【０１３９】
ＷＬＡＮ  ｏｆｆｌｏａｄ  ａｂｉｌｉｔｙは、このＡＰＮで接続されたトラフィックは、無線ランと３ＧＰＰ間の連携機能を用いて、無線ランにオフロードできるか、または３ＧＰＰの接続を維持するのかを示す識別情報である。ＷＬＡＮ  ｏｆｆｌｏａｄ  ａｂｉｌｉｔｙは、ＲＡＴタイプごとに分かれていてもよい。具体的には、ＬＴＥ（Ｅ−ＵＴＲＡ）と３Ｇ（ＵＴＲＡ）とで異なったＷＬＡＮ  ｏｆｆｌｏａｄ  ａｂｉｌｉｔｙが存在してもよい。
【０１４０】
ＶＰＬＭＮ  Ａｄｄｒｅｓｓ  Ａｌｌｏｗｅｄは、ＵＥがこのＡＰＮを用いた接続が、ローミング先のＰＬＭＮ（ＶＰＬＭＮ）ではＨＰＬＭＮのドメイン（ＩＰアドレス）ＰＧＷのみを使用することが許可されるのか、またはＶＰＬＭＮのドメイン内のＰＧＷを追加されるのかを示す
ＰＤＮ  ＧＷ  Ａｄｄｒｅｓｓ  ｉｎ  Ｕｓｅ（制御情報）は、ＰＧＷの最近のＩＰアドレスを示す。このアドレスは制御信号を送信するときに用いられる。
【０１４１】
ＰＤＮ  ＧＷ  ＴＥＩＤ  ｆｏｒ  Ｓ５／Ｓ８（制御情報）は、ＳＧＷとＰＧＷ間のインターフェース（Ｓ５／Ｓ８）で制御情報の送受信に用いるＴＥＩＤである。
【０１４２】
ＭＳ  Ｉｎｆｏ  Ｃｈａｎｇｅ  Ｒｅｐｏｒｔｉｎｇ  Ａｃｔｉｏｎは、ＰＧＷにユーザの位置情報が変更された事を通知する必要があること示す情報要素である。
【０１４３】
ＣＳＧ  Ｉｎｆｏｒｍａｔｉｏｎ  Ｒｅｐｏｒｔｉｎｇ  Ａｃｔｉｏｎは、ＰＧＷにＣＳＧ情報が変更された事を通知する必要があることを示す情報要素である。
【０１４４】
Ｐｒｅｓｅｎｃｅ  Ｒｅｐｏｒｔｉｎｇ  Ａｒｅａ  Ａｃｔｉｏｎは、ＵＥが存在報告エリア（Ｐｒｅｓｅｎｃｅ  Ｒｅｐｏｒｔｉｎｇ  Ａｒｅａ）に存在するかどうかの変更を通知する必要があることを示す。この情報要素は、存在報告エリアの識別情報と、存在報告エリアに含まれる要素により分かれている。
【０１４５】
ＥＰＳ  ｓｕｂｓｃｒｉｂｅｄ  ＱｏＳ  ｐｒｏｆｉｌｅは、デフォルトベアラに対する、ベアラレベルでのＱｏＳパラメータを示す。
【０１４６】
Ｓｕｂｓｃｒｉｂｅｄ  ＡＰＮ−ＡＭＢＲは、ユーザの登録情報に従いこのＡＰＮに対して確立された全てのＮｏｎ−ＧＢＲベアラ（非保障ベアラ）を共有するための上り通信および下り通信のＭＢＲ（Ｍａｘｉｍｕｍ  Ｂｉｔ  Ｒａｔｅ）の最大値を示す。
【０１４７】
ＡＰＮ−ＡＭＢＲは、ＰＧＷにより決定された、このＡＰＮに対して確立された全てのＮｏｎ−ＧＢＲベアラ（非保障ベアラ）を共有するための上り通信および下り通信のＭＢＲ（Ｍａｘｉｍｕｍ  Ｂｉｔ  Ｒａｔｅ）の最大値を示す。
【０１４８】
ＰＤＮ  ＧＷ  ＧＲＥ  Ｋｅｙ  ｆｏｒ  ｕｐｌｉｎｋ  ｔｒａｆｆｉｃ（ユーザデータ）は、ＳＧＷとＰＧＷ間のインターフェースのユーザデータの上り通信のためのＧＲＥ（Ｇｅｎｅｒｉｃ  Ｒｏｕｔｉｎｇ  Ｅｎｃａｐｓｕｌａｔｉｏｎ）鍵である。
【０１４９】
Ｄｅｆａｕｌｔ  Ｂｅａｒｅｒは、ＰＤＮコネクション確立時に取得、及び又は、生成する情報であり、ＰＤＮコネクションに対応づけられたデフォルトベアラを識別するためのＥＰＳベアラ識別情報である。
【０１５０】
なお、本実施形態におけるＥＰＳベアラとは、ＵＥ＿Ａ１０とＣ−ＳＧＮ＿Ａ９５との間で確立する通信路であってよい。さらに、ＥＰＳベアラは、ＵＥ＿Ａ１０とｅＮＢ＿Ａ４５との間で確立するＲＢ（Ｒａｄｉｏ  Ｂｅａｒｅｒ）と、ｅＮＢ＿Ａ４５とＣ−ＳＧＮ＿Ａ９５との間で確立するＳ１ベアラとによって構成されてよい。ここで、ＲＢとＥＰＳベアラとは一対一に対応づけられてよい。そのため、ＲＢの識別情報は、ＥＰＳベアラの識別情報と一対一に対応づけられてもよいし、同じ識別情報であってもよい。
【０１５１】
また、ＥＰＳベアラとは、ＵＥ＿Ａ１０とＰＧＷ＿Ａ３０との間で確立する論理的な通信路であってもよい。この場合においても、ＥＰＳベアラは、ＵＥ＿Ａ１０とｅＮＢ＿Ａ４５との間で確立するＲＢ（Ｒａｄｉｏ  Ｂｅａｒｅｒ）を含んで構成されてよい。さらに、ＲＢとＥＰＳベアラとは一対一に対応づけられてよい。そのため、ＲＢの識別情報は、ＥＰＳベアラの識別情報と一対一に対応づけられてもよいし、同じ識別情報であってもよい。
【０１５２】
したがって、Ｄｅｆａｕｌｔ  Ｂｅａｒｅｒは、ＳＲＢ（Ｓｉｇｎａｌｌｉｎｇ  Ｒａｄｉｏ  Ｂｅａｒｅｒ）、及び又は、ＣＲＢ（Ｃｏｎｔｒｏｌ  Ｓｉｇｎａｌｌｉｎｇ  Ｒａｄｉｏ  Ｂｅａｒｅｒ）を識別する識別情報であってもよいし、ＤＲＢ（Ｄａｔａ  Ｒａｄｉｏ  Ｂｅａｒｅｒ）識別する識別情報であってもよい。
【０１５３】
ここで、本実施形態におけるＳＲＢとは、本来は制御メッセージ等の制御情報を送受信するために確立するＲＢであってよい。ここで、本実施形態におけるＣＲＢとは、本来は制御メッセージ等の制御情報を送受信するために確立するＲＢであってよい。なお、本実施形態では、本来制御メッセージを送受信するためのＲＢを用いて、ユーザデータの送受信を行う。したがって、本実施形態では、ＳＲＢ又はＣＲＢを用いて、制御メッセージとユーザデータとを送受信する。
【０１５４】
また、本実施形態におけるＤＲＢとは、ユーザデータを送受信するために確立するＲＢであってよい。
【０１５５】
ｌｏｗ  ａｃｃｅｓｓ  ｐｒｉｏｒｉｔｙは、ＰＤＮコネクションが公開されているとき、ＵＥが低いアクセス優先度（ｌｏｗ  ａｃｃｅｓｓ  ｐｒｉｏｒｉｔｙ）を要求したことを示す。
【０１５６】
図１１は、ベアラごとに記憶されるＭＭＥコンテキストを示す。図が示すように、ベア
ラごとに記憶されるＭＭＥコンテキストは、ＥＰＳ  Ｂｅａｒｅｒ  ＩＤ、ＴＩ、Ｓ−ＧＷ  ＩＰ  ａｄｄｒｅｓｓ  ｆｏｒ  Ｓ１−ｕ、Ｓ−ＧＷ  ＴＥＩＤ  ｆｏｒ  Ｓ１ｕ、ＰＤＮ  ＧＷ  ＴＥＩＤ  ｆｏｒ  Ｓ５／Ｓ８、ＰＤＮ  ＧＷ  ＩＰ  ａｄｄｒｅｓｓ  ｆｏｒ  Ｓ５／Ｓ８、ＥＰＳ  ｂｅａｒｅｒ  ＱｏＳ、ＴＦＴを含める。
【０１５７】
また、ベアラごとのＭＭＥコンテキストは、モビリティタイプ（Ｍｏｂｉｌｉｔｙ  Ｔｙｐｅ）を含んでもよい。
【０１５８】
ＥＰＳ  Ｂｅａｒｅｒ  ＩＤは、Ｅ−ＵＴＲＡＮを介したＵＥ接続に対して、ＥＰＳベアラを識別する唯一の識別情報である。
【０１５９】
なお、ＥＰＳ  Ｂｅａｒｅｒ  ＩＤは、デディケイテッドベアラを識別するＥＰＳベアラ識別情報であってよい。したがって、デフォルトベアラとは異なるＥＰＳベアラを識別する識別情報であってよい。
【０１６０】
なお、既に説明した通り、ＥＰＳベアラとは、ＵＥ＿Ａ１０とＣ−ＳＧＮ＿Ａ９５との間で確立する通信路であってよい。さらに、ＥＰＳベアラは、ＵＥ＿Ａ１０とｅＮＢ＿Ａ４５との間で確立するＲＢ（Ｒａｄｉｏ  Ｂｅａｒｅｒ）と、ｅＮＢ＿Ａ４５とＣ−ＳＧＮ＿Ａ９５との間で確立するＳ１ベアラとによって構成されてよい。ここで、ＲＢとＥＰＳベアラとは一対一に対応づけられてよい。そのため、ＲＢの識別情報は、ＥＰＳベアラの識別情報と一対一に対応づけられてもよいし、同じ識別情報であってもよい。
【０１６１】
また、ＥＰＳベアラとは、ＵＥ＿Ａ１０とＰＧＷ＿Ａ３０との間で確立する論理的な通信路であってもよい。この場合においても、ＥＰＳベアラは、ＵＥ＿Ａ１０とｅＮＢ＿Ａ４５との間で確立するＲＢ（Ｒａｄｉｏ  Ｂｅａｒｅｒ）を含んで構成されてよい。さらに、ＲＢとＥＰＳベアラとは一対一に対応づけられてよい。そのため、ＲＢの識別情報は、ＥＰＳベアラの識別情報と一対一に対応づけられてもよいし、同じ識別情報であってもよい。
【０１６２】
したがって、デディケイテッドベアラを識別するＥＰＳベアラＩＤは、ＳＲＢ（Ｓｉｇｎａｌｌｉｎｇ  Ｒａｄｉｏ  Ｂｅａｒｅｒ）、及び又は、ＣＲＢ（Ｃｏｎｔｒｏｌ  Ｓｉｇｎａｌｌｉｎｇ  Ｒａｄｉｏ  Ｂｅａｒｅｒ）を識別する識別情報であってもよいし、ＤＲＢ（Ｄａｔａ  Ｒａｄｉｏ  Ｂｅａｒｅｒ）識別する識別情報であってもよい。
【０１６３】
ここで、既に説明したとおり、本実施形態におけるＳＲＢとは、本来は制御メッセージ等の制御情報を送受信するために確立するＲＢであってよい。ここで、本実施形態におけるＣＲＢとは、本来は制御メッセージ等の制御情報を送受信するために確立するＲＢであってよい。なお、本実施形態では、本来制御メッセージを送受信するためのＲＢを用いて、ユーザデータの送受信を行う。したがって、本実施形態では、ＳＲＢ又はＣＲＢを用いて、制御メッセージとユーザデータとを送受信する。
【０１６４】
また、本実施形態におけるＤＲＢとは、ユーザデータを送受信するために確立するＲＢであってよい。
【０１６５】
ＴＩはＴｒａｎｓａｃｔｉｏｎ  Ｉｄｅｎｔｉｆｉｅｒの略であり、双方向のメッセージフロー（Ｔｒａｎｓａｃｔｉｏｎ）を識別する識別情報である。
【０１６６】
Ｓ−ＧＷ  ＩＰ  ａｄｄｒｅｓｓ  ｆｏｒ  Ｓ１−ｕは、ｅＮＢとＳＧＷ間のインターフェースで使用するＳＧＷのＩＰアドレスである。
【０１６７】
また、Ｓ−ＧＷ  ＩＰ  ａｄｄｒｅｓｓ  ｆｏｒ  Ｓ１−ｕは、ユーザデータが制御情報用のメッセージに含まれて送受信される場合、ＭＭＥ、及び又は、ＳＧＳＮとＳＧＷ間のインターフェースで使用するＳＧＷのＩＰアドレスであってもよく、Ｓ−ＧＷ  ＩＰ  ａｄｄｒｅｓｓ  ｆｏｒ  Ｓ１１／Ｓ４であってもよい。
【０１６８】
Ｓ−ＧＷ  ＴＥＩＤ  ｆｏｒ  Ｓ１ｕは、ｅＮＢとＳＧＷ間のインターフェースで使用するＳＧＷのＴＥＩＤである。
【０１６９】
また、Ｓ−ＧＷ  ＴＥＩＤ  ｆｏｒ  Ｓ１ｕは、ＭＭＥ、及び又は、ユーザデータが制御情報用のメッセージに含まれて送受信される場合、ＳＧＳＮとＳＧＷ間のインターフェースで使用するＳＧＷのＴＥＩＤアドレスであってもよく、Ｓ−ＧＷ  ＴＥＩＤ  ｆｏｒ
Ｓ１１／Ｓ４であってもよい。
【０１７０】
ＰＤＮ  ＧＷ  ＴＥＩＤ  ｆｏｒ  Ｓ５／Ｓ８は、ＳＧＷとＰＧＷ間のインターフェースのユーザデータ伝送の為のＰＧＷのＴＥＩＤである。
【０１７１】
ＰＤＮ  ＧＷ  ＩＰ  ａｄｄｒｅｓｓ  ｆｏｒ  Ｓ５／Ｓ８は、ＳＧＷとＰＧＷ間のインターフェースのユーザデータ伝送の為のＰＧＷのＩＰアドレスである。
【０１７２】
ＥＰＳ  ｂｅａｒｅｒ  ＱｏＳは、ＱＣＩ（ＱｏＳ  Ｃｌａｓｓ  Ｉｄｅｎｔｉｆｉｅｒ）と、ＡＲＰ（Ａｌｌｏｃａｔｉｏｎ  ａｎｄ  Ｒｅｔｅｎｔｉｏｎ  Ｐｒｉｏｒｉｔｙ）で構成される。ＱＣＩはＱｏＳの属するクラスを示す。ＱｏＳは帯域制御の有無や遅延許容時間、パケットロス率などに応じてクラスを分けられる。ＱＣＩは優先度を示す情報を含める。ＡＲＰは、ベアラを維持することに関する優先度を表す情報である。
【０１７３】
ＴＦＴは、Ｔｒａｆｆｉｃ  Ｆｌｏｗ  Ｔｅｍｐｌａｔｅの略であり、ＥＰＳベアラと関連づけられた全てのパケットフィルターを示す。
【０１７４】
ここで、図７〜図１１に示すＭＭＥコンテキストに含まれる情報要素は、ＭＭコンテキスト６４４またはＥＰＳベアラコンテキスト６４６のいずれかに含まれる。例えば、図１１に示すベアラごとのＭＭＥコンテキストをＥＰＳベアラコンテキストに記憶し、その他の情報要素をＭＭコンテキストに記憶してもよい。または図１０に示すＰＤＮコネクションごとのＭＭＥコンテキストと図１１に示すベアラごとのＭＭＥコンテキストをＥＰＳベアラコンテキストに記憶し、その他の情報要素をＭＭコンテキストに記憶してもよい。
【０１７５】
図６が示すように、ＭＭＥの記憶部＿Ｂ６４０は、セキュリティーコンテキスト６４８を記憶してもよい。図１２（ｅ）はセキュリティーコンテキスト６４８に含まれる情報要素を示す。
【０１７６】
図が示すように、セキュリティーコンテキストは、ＥＰＳ  ＡＳ  セキュリティーコンテキストと、ＥＰＳ  ＮＡＳ  セキュリティーコンテキストにより構成される。ＥＰＳ  ＡＳ  セキュリティーコンテキストは、アクセス層（ＡＳ：Ａｃｃｅｓｓ  Ｓｔｒｅａｍ）のセキュリティーに関するコンテキストであり、ＥＰＳ  ＮＡＳ  セキュリティーコンテキストは非アクセス層（ＮＡＳ：Ｎｏｎ−Ａｃｃｅｓｓ  Ｓｔｒｅａｍ）のセキュリティーに関するコンテキストである。
【０１７７】
図１２（ｆ）は、ＥＰＳ  ＡＳ  セキュリティーコンテキストに含まれる情報要素を示す。図が示すように、ＥＰＳ  ＡＳ  セキュリティーコンテキストは、ｃｒｙｐｔｏｇｒａｐｈｉｃ  ｋｅｙと、Ｎｅｘｔ  Ｈｏｐ  ｐａｒａｍｅｔｅｒ  （ＮＨ）と、Ｎｅｘｔ
Ｈｏｐ  Ｃｈａｉｎｉｎｇ  Ｃｏｕｎｔｅｒ  ｐａｒａｍｅｔｅｒ  （ＮＣＣ）と、ｉ
ｄｅｎｔｉｆｉｅｒｓ  ｏｆ  ｔｈｅ  ｓｅｌｅｃｔｅｄ  ＡＳ  ｌｅｖｅｌ  ｃｒｙｐｔｏｇｒａｐｈｉｃ  ａｌｇｏｒｉｔｈｍｓとを含める。
【０１７８】
ｃｒｙｐｔｏｇｒａｐｈｉｃ  ｋｅｙは、アクセス層での暗号化の鍵である。
【０１７９】
ＮＨは、Ｋ＿ＡＳＭＥから決定される情報要素である。フォワードセキュリティーを実現するための情報要素である。
【０１８０】
ＮＣＣは、ＮＨと関連付けられた情報要素である。ネットワークを切り替える垂直方向のハンドオーバーが発生した数を表す。
【０１８１】
ｉｄｅｎｔｉｆｉｅｒｓ  ｏｆ  ｔｈｅ  ｓｅｌｅｃｔｅｄ  ＡＳ  ｌｅｖｅｌ  ｃｒｙｐｔｏｇｒａｐｈｉｃ  ａｌｇｏｒｉｔｈｍｓは選択された暗号化アルゴリズムの識別情報である。
【０１８２】
図１２（ｇ）は、ＥＰＳ  ＮＡＳ  セキュリティーコンテキストに含まれる情報要素を示す。図が示すように、ＥＰＳ  ＮＡＳ  セキュリティーコンテキストはＫ＿ＡＳＭＥとＵＥ  Ｓｅｃｕｒｉｔｙ  ｃａｐａｂｉｌｉｔｉｅとＮＡＳ  ＣＯＵＮＴを含めてよい。
【０１８３】
Ｋ＿ＡＳＭＥは、鍵ＣＫとＩＫに基づき生成される、Ｅ−ＵＴＲＡＮの鍵階層化の鍵である。
【０１８４】
ＵＥ  Ｓｅｃｕｒｉｔｙ  ｃａｐａｂｉｌｉｔｉｅは、ＵＥで使用される暗号とアルゴリズムに対応する識別情報の集合である。この情報は、アクセス層に対する情報と、非アクセス層に対する情報とを含む。更に、ＵＥがＵＴＲＡＮ／ＧＥＲＡＮへのアクセスをサポートする場合、この情報にＵＴＲＡＮ／ＧＥＲＡＮに対する情報を含める。
【０１８５】
ＮＡＳ  ＣＯＵＮは、Ｋ＿ＡＳＭＥが動作している時間を示すカウンターである。
【０１８６】
セキュリティーコンテキスト６４８はＭＭＥコンテキスト６４２に含まれてもよい。また、図６に示すように、セキュリティーコンテキスト６４８とＭＭＥコンテキスト６４２は別に存在してもよい。
【０１８７】
図１２（ｈ）は、ＭＭＥ緊急構成データ６５０で記憶される情報要素を示す。ＭＭＥ緊急構成データは、ＨＳＳから取得するＵＥの登録情報の代わりに使用する情報である。図に示すように、ＭＭＥ緊急構成データ６５０は、ｅｍ  ＡＰＮ（Ｅｍｅｒｇｅｎｃｙ  Ａｃｃｅｓｓ  Ｐｏｉｎｔ  Ｎａｍｅ）、Ｅｍｅｒｇｅｎｃｙ  ＱｏＳ  ｐｒｏｆｉｌｅ、Ｅｍｅｒｇｅｎｃｙ  ＡＰＮ−ＡＭＢＲ、Ｅｍｅｒｇｅｎｃｙ  ＰＤＮ  ＧＷ  ｉｄｅｎｔｉｔｙ、Ｎｏｎ−３ＧＰＰ  ＨＯ  Ｅｍｅｒｇｅｎｃｙ  ＰＤＮ  ＧＷ  ｉｄｅｎｔｉｔｙが含まれる。
【０１８８】
ｅｍ  ＡＰＮは、緊急用のＰＤＮ接続に用いるアクセスポイント名を示す。
【０１８９】
Ｅｍｅｒｇｅｎｃｙ  ＱｏＳ  ｐｒｏｆｉｌｅは、ベアラレベルでのｅｍ  ＡＰＮのデフォルトベアラのＱｏＳを示す。
【０１９０】
Ｅｍｅｒｇｅｎｃｙ  ＡＰＮ−ＡＭＢＲは、ｅｍ  ＡＰＮに対して確立されたＮｏｎ−ＧＢＲベアラ（非保障ベアラ）を共有するための上り通信および下り通信のＭＢＲの最大値を示す。この値はＰＧＷにより決定される。
【０１９１】
Ｅｍｅｒｇｅｎｃｙ  ＰＤＮ  ＧＷ  ｉｄｅｎｔｉｔｙは、ｅｍ  ＡＰＮに対して静的に設定されたＰＧＷの識別情報である。この識別情報は、ＦＱＤＮでもＩＰアドレスであってもよい。
【０１９２】
Ｎｏｎ−３ＧＰＰ  ＨＯ  Ｅｍｅｒｇｅｎｃｙ  ＰＤＮ  ＧＷ  ｉｄｅｎｔｉｔｙは、ＰＬＭＮが３ＧＰＰ以外のアクセスネットワークへのハンドオーバーをサポートする場合に、ｅｍ  ＡＰＮに対して静的に設定されたＰＧＷの識別情報である。この識別情報は、ＦＱＤＮでもＩＰアドレスであってもよい。
【０１９３】
更に、ＭＭＥ＿Ａ４０は、ＵＥに対する接続状態を、ＵＥと同期しながら管理してよい。
【０１９４】
［１．２．３．ＳＧＷの構成］
以下、ＳＧＷ＿Ａ３５の構成について説明する。図１３はＳＧＷ＿Ａ３５の装置構成を示す。図に示すように、ＳＧＷ＿Ａ３５はネットワーク接続部＿Ｃ１３２０と、制御部＿Ｃ１３００と記憶部＿Ｃ１３４０で構成されている。ネットワーク接続部＿Ｃ１３２０と記憶部＿Ｃ１３４０は制御部＿Ｃ１３００と、バスを介して接続されている。
【０１９５】
制御部＿Ｃ１３００はＳＧＷ＿Ａ３５を制御するための機能部である。制御部＿Ｃ１３００は、記憶部＿Ｃ１３４０に記憶されている各種プログラムを読みだして実行することにより各種処理を実現する。
【０１９６】
ネットワーク接続部＿Ｃ１３２０は、ＳＧＷ＿Ａ３５が、ｅＮＢ＿Ａ４５及び／またはＭＭＥ＿Ａ４０及び／またはＰＧＷ＿Ａ３０及び／又はＳＧＳＮ＿Ａ４２と接続するための機能部である。さらに、ネットワーク接続部＿Ｃ１３２０は、ＳＧＷ＿Ａ３５が、ｅＮＢ＿Ａ４５及び／またはＭＭＥ＿Ａ４０及び／またはＰＧＷ＿Ａ３０及び／又はＳＧＳＮ＿Ａ４２からユーザデータ及び又は制御データを送受信する送受信機能部である。
【０１９７】
記憶部＿Ｃ１３４０は、ＳＧＷ＿Ａ３５の各動作に必要なプログラムや、データなどを記憶する機能部である。記憶部＿Ｃ１３４０は、例えば、半導体メモリや、ＨＤＤ（Ｈａｒｄ  Ｄｉｓｋ  Ｄｒｉｖｅ）等により構成されている。
【０１９８】
記憶部＿Ｃ１３４０は、少なくとも、後述する通信手続き内で送受信する制御メッセージに含まれる識別情報及びまたは制御情報及び又はフラグ及び又はパラメータを記憶してもよい。
【０１９９】
記憶部＿Ｃ１３４０は、図に示すように、ＥＰＳベアラコンテキスト１３４２を記憶する。なお、ＥＰＳベアラコンテキストの中には、ＵＥごとに記憶されるものと、ＰＤＮごとに記憶されるものと、ベアラごとに記憶されるものが含まれる。
【０２００】
図１４にＵＥごとに記憶されるＥＰＳベアラコンテキストの情報要素を示す。図１４が示すように、ＵＥごとに記憶されるＥＰＳベアラコンテキストは、ＩＭＳＩ、ＭＳＩ−ｕｎａｕｔｈｅｎｔｉｃａｔｅｄ−ｉｎｄｉｃａｔｏｒ、ＭＥ  Ｉｄｅｎｔｉｔｙ、ＭＳＩＳＤＮ、Ｓｅｌｅｃｔｅｄ  ＣＮ  ｏｐｅｒａｔｏｒ  ｉｄ、ＭＭＥ  ＴＥＩＤ  ｆｏｒ
Ｓ１１、ＭＭＥ  ＩＰ  ａｄｄｒｅｓｓ  ｆｏｒ  Ｓ１１、Ｓ−ＧＷ  ＴＥＩＤ  ｆｏｒ  Ｓ１１／Ｓ４、Ｓ−ＧＷ  ＩＰ  ａｄｄｒｅｓｓ  ｆｏｒ  Ｓ１１／Ｓ４、ＳＧＳＮ
ＩＰ  ａｄｄｒｅｓｓ  ｆｏｒ  Ｓ４、ＳＧＳＮ  ＴＥＩＤ  ｆｏｒ  Ｓ４、Ｔｒａｃｅ  ｒｅｆｅｒｅｎｃｅ、Ｔｒａｃｅ  ｔｙｐｅ、Ｔｒｉｇｇｅｒ  ＩＤ、ＯＭＣ  ｉｄｅｎｔｉｔｙ、Ｌａｓｔ  ｋｎｏｗｎ  Ｃｅｌｌ  Ｉｄ、Ｌａｓｔ  ｋｎｏｗｎ  Ｃｅｌｌ  Ｉｄ  ａｇｅを含める。
【０２０１】
また、ＵＥごとのＥＰＳベアラコンテキストは、モビリティタイプ（Ｍｏｂｉｌｉｔｙ
Ｔｙｐｅ）を含んでもよい。
【０２０２】
ＩＭＳＩは、ユーザの永久的な識別情報である。ＨＳＳ＿Ａ５０のＩＭＳＩと等しい。
【０２０３】
ＩＭＳＩ−ｕｎａｕｔｈｅｎｔｉｃａｔｅｄ−ｉｎｄｉｃａｔｏｒは、このＩＭＳＩが認証されていない事を示す指示情報である。
【０２０４】
ＭＥ  Ｉｄｅｎｔｉｔｙは、ＵＥの識別情報であり、例えば、ＩＭＥＩ／ＩＭＩＳＶであってもよい。
【０２０５】
ＭＳＩＳＤＮは、ＵＥの基本的な電話番号を表す。ＭＳＩＳＤＮはＨＳＳ＿Ａ５０の記憶部により示される。
【０２０６】
Ｓｅｌｅｃｔｅｄ  ＣＮ  ｏｐｅｒａｔｏｒ  ｉｄはオペレータ間でネットワークを共有するために使用する、選択されたコアネットワークオペレータの識別情報である。
【０２０７】
ＭＭＥ  ＴＥＩＤ  ｆｏｒ  Ｓ１１は、ＭＭＥとＳＧＷ間のインターフェースで用いられるＭＭＥのＴＥＩＤである。
【０２０８】
ＭＭＥ  ＩＰ  ａｄｄｒｅｓｓ  ｆｏｒ  Ｓ１１は、ＭＭＥとＳＧＷ間のインターフェースで用いられるＭＭＥのＩＰアドレスである。
【０２０９】
Ｓ−ＧＷ  ＴＥＩＤ  ｆｏｒ  Ｓ１１／Ｓ４は、ＭＭＥとＳＧＷ間のインターフェース、またはＳＧＳＮとＳＧＷ間のインターフェースで用いられるＳＧＷのＴＥＩＤである。
【０２１０】
Ｓ−ＧＷ  ＩＰ  ａｄｄｒｅｓｓ  ｆｏｒ  Ｓ１１／Ｓ４は、ＭＭＥとＳＧＷ間のインターフェース、またはＳＧＳＮとＳＧＷ間のインターフェースで用いられるＳＧＷのＩＰアドレスである。
【０２１１】
ＳＧＳＮ  ＩＰ  ａｄｄｒｅｓｓ  ｆｏｒ  Ｓ４は、ＳＧＳＮとＳＧＷ間のインターフェースで用いられるＳＧＳＮのＩＰアドレスである。
【０２１２】
ＳＧＳＮ  ＴＥＩＤ  ｆｏｒ  Ｓ４は、ＳＧＳＮとＳＧＷ間のインターフェースで用いられるＳＧＳＮのＴＥＩＤである。
【０２１３】
Ｔｒａｃｅ  ｒｅｆｅｒｅｎｃｅは、特定のトレースの記録、または記録の集合を識別する識別情報である。
【０２１４】
Ｔｒａｃｅ  Ｔｙｐｅは、トレースのタイプを示す。例えば、ＨＳＳがトレースをするタイプ、及び／または、ＭＭＥやＳＧＷやＰＧＷがトレースするタイプを示してもよい。
【０２１５】
Ｔｒｉｇｇｅｒ  ＩＤは、トレースを開始する構成要素を識別する識別情報である。
【０２１６】
ＯＭＣ  Ｉｄｅｎｔｉｔｙは、トレースされた記録を受信したＯＭＣを識別する識別情報である。
【０２１７】
Ｌａｓｔ  ｋｎｏｗｎ  Ｃｅｌｌ  ＩＤは、ネットワークから通知されたＵＥの最近の位置情報である。
【０２１８】
Ｌａｓｔ  ｋｎｏｗｎ  Ｃｅｌｌ  ＩＤ  ａｇｅは、Ｌａｓｔ  ｋｎｏｗｎ  Ｃｅｌｌ
ＩＤが記憶されてから今までの期間を示す情報である。
【０２１９】
さらに、ＥＰＳベアラコンテキストには、ＰＤＮコネクションごとに記憶されるＰＤＮコネクションごとのＥＰＳベアラコンテキストが含まれる。図１５（ｃ）に、ＰＤＮコネクションごとのＥＰＳベアラコンテキストを示す。図に示すように、ＰＤＮコネクションごとのＥＰＳベアラコンテキストは、ＡＰＮ  ｉｎ  Ｕｓｅ、ＥＰＳ  ＰＤＮ  Ｃｈａｒｇｉｎｇ  Ｃｈａｒａｃｔｅｒｉｓｔｉｃｓ、Ｐ−ＧＷ  Ａｄｄｒｅｓｓ  ｉｎ  Ｕｓｅ（制御情報）、Ｐ−ＧＷ  ＴＥＩＤ  ｆｏｒ  Ｓ５／Ｓ８（制御情報）、Ｐ−ＧＷ  Ａｄｄｒｅｓｓ  ｉｎ  Ｕｓｅ（ユーザデータ）、Ｐ−ＧＷ  ＧＲＥ  Ｋｅｙ  ｆｏｒ  ｕｐｌｉｎｋ（ユーザデータ）、Ｓ−ＧＷ  ＩＰ  ａｄｄｒｅｓｓ  ｆｏｒ  Ｓ５／Ｓ８（制御情報）、Ｓ―ＧＷ  ＴＥＩＤ  ｆｏｒ  Ｓ５／Ｓ８（制御情報）、Ｓ  ＧＷ  Ａｄｄｒｅｓｓ  ｉｎ  Ｕｓｅ（ユーザデータ）、Ｓ−ＧＷ  ＧＲＥ  Ｋｅｙ  ｆｏｒ  ｄｏｗｎｌｉｎｋ  ｔｒａｆｆｉｃ（ユーザデータ）、Ｄｅｆａｕｌｔ  Ｂｅａｒｅｒを含める。
【０２２０】
また、ＰＤＮコネクションごとのＥＰＳベアラコンテキストは、モビリティタイプ（Ｍｏｂｉｌｉｔｙ  Ｔｙｐｅ）を含んでもよい。
【０２２１】
ＡＰＮ  ｉｎ  Ｕｓｅは、最近使用されたＡＰＮを示す。このＡＰＮはＡＰＮネットワークの識別情報と、デフォルトのオペレータの識別情報により構成される。また、この情報は、ＭＭＥまたはＳＧＳＮより取得した情報である。
【０２２２】
ＥＰＳ  ＰＤＮ  Ｃｈａｒｇｉｎｇ  Ｃｈａｒａｃｔｅｒｉｓｔｉｃｓは、課金特性を示す。ＥＰＳ  ＰＤＮ  Ｃｈａｒｇｉｎｇ  Ｃｈａｒａｃｔｅｒｉｓｔｉｃｓは例えば、ノーマル、プリペイド、課金率固定、または即時請求を示してよい。
【０２２３】
Ｐ−ＧＷ  Ａｄｄｒｅｓｓ  ｉｎ  Ｕｓｅ（制御情報）は、ＳＧＷが最近制御情報を送信するときに使用したＰＧＷのＩＰアドレスである。
【０２２４】
Ｐ−ＧＷ  ＴＥＩＤ  ｆｏｒ  Ｓ５／Ｓ８（制御情報）は、ＳＧＷとＰＧＷ間のインターフェースで、制御情報の伝送に用いるＰＧＷのＴＥＩＤである。
【０２２５】
Ｐ−ＧＷ  Ａｄｄｒｅｓｓ  ｉｎ  Ｕｓｅ（ユーザデータ）は、ＳＧＷが最近ユーザデータを送信するときに使用したＰＧＷのＩＰアドレスである。
【０２２６】
Ｐ−ＧＷ  ＧＲＥ  Ｋｅｙ  ｆｏｒ  ｕｐｌｉｎｋ（ユーザデータ）は、ＳＧＷとＰＧＷ間のインターフェースのユーザデータの上り通信のためのＧＲＥキーである。
【０２２７】
Ｓ−ＧＷ  ＩＰ  ａｄｄｒｅｓｓ  ｆｏｒ  Ｓ５／Ｓ８（制御情報）は、ＳＧＷとＰＧＷ間の制御情報のインターフェースに用いるＳＧＷのＩＰアドレスである。
【０２２８】
Ｓ―ＧＷ  ＴＥＩＤ  ｆｏｒ  Ｓ５／Ｓ８（制御情報）は、ＧＷとＰＧＷ間の制御情報のインターフェースに用いるＳＧＷのＴＥＩＤである。
【０２２９】
Ｓ  ＧＷ  Ａｄｄｒｅｓｓ  ｉｎ  Ｕｓｅ（ユーザデータ）は、ＳＧＷがユーザデータを送信するのに最近用いたＳＧＷのＩＰアドレスである。
【０２３０】
Ｓ−ＧＷ  ＧＲＥ  Ｋｅｙ  ｆｏｒ  ｄｏｗｎｌｉｎｋ  ｔｒａｆｆｉｃ（ユーザデータ）は、ＳＧＷとＰＧＷ間のユーザデータのインターフェースに用いる上り通信のＧＲＥ
キーである。
【０２３１】
Ｄｅｆａｕｌｔ  Ｂｅａｒｅｒは、ＰＤＮコネクション確立時に取得、及び又は、生成する情報であり、ＰＤＮコネクションに対応づけられたデフォルトベアラを識別するための識別情報である。
【０２３２】
更に、ＳＧＷのＥＰＳベアラコンテキストはベアラごとのＥＰＳベアラコンテキストを含める。図１５（ｄ）は、ベアラごとのＥＰＳベアラコンテキストを示す。図に示すように、ベアラごとのＥＰＳベアラコンテキストは、ＥＰＳ  Ｂｅａｒｅｒ  Ｉｄ、ＴＦＴ、Ｐ−ＧＷ  Ａｄｄｒｅｓｓ  ｉｎ  Ｕｓｅ（ユーザデータ）、Ｐ−ＧＷ  ＴＥＩＤ  ｆｏｒ  Ｓ５／Ｓ８  （ユーザデータ）、Ｓ−ＧＷ  ＩＰ  ａｄｄｒｅｓｓ  ｆｏｒ  Ｓ５／Ｓ８（ユーザデータ）、Ｓ−ＧＷ  ＴＥＩＤ  ｆｏｒ  Ｓ５／Ｓ８（ユーザデータ）、Ｓ−ＧＷ  ＩＰ  ａｄｄｒｅｓｓ  ｆｏｒ  Ｓ１−ｕ、Ｓ１２  ａｎｄ  Ｓ４（ユーザデータ）、Ｓ−ＧＷ  ＴＥＩＤ  ｆｏｒ  Ｓ１−ｕ、Ｓ１２  ａｎｄ  Ｓ４（ユーザデータ）、ｅＮｏｄｅＢ  ＩＰ  ａｄｄｒｅｓｓ  ｆｏｒ  Ｓ１−ｕ、ｅＮｏｄｅＢ  ＴＥＩＤ  ｆｏｒ  Ｓ１−ｕ、ＲＮＣ  ＩＰ  ａｄｄｒｅｓｓ  ｆｏｒ  Ｓ１２、ＲＮＣ  ＴＥＩＤ
ｆｏｒ  Ｓ１２、ＳＧＳＮ  ＩＰ  ａｄｄｒｅｓｓ  ｆｏｒ  Ｓ４（ユーザデータ）、ＳＧＳＮ  ＴＥＩＤ  ｆｏｒ  Ｓ４（ユーザデータ）、ＥＰＳ  Ｂｅａｒｅｒ  ＱｏＳ、Ｃｈａｒｇｉｎｇ  Ｉｄを含める。
【０２３３】
また、ベアラごとのＥＰＳコンテキストは、モビリティタイプ（Ｍｏｂｉｌｉｔｙ  Ｔｙｐｅ）を含んでもよい。
【０２３４】
ＥＰＳ  Ｂｅａｒｅｒ  Ｉｄは、Ｅ−ＵＴＲＡＮを介したＵＥ接続に対して、ＥＰＳベアラを識別する唯一の識別情報である。つまり、ベアラを識別するための識別情報である。言い換えると、  ＥＰＳ  Ｂｅａｒｅｒ  Ｉｄは、ＥＰＳベアラの識別情報である。また、ＥＰＳ  Ｂｅａｒｅｒ  Ｉｄは、ＳＲＢ、及び又は、ＣＲＢを識別する識別情報であってもよいし、ＤＲＢを識別する識別情報であってもよい。
【０２３５】
ＴＦＴは、ＥＰＳベアラと関連づけられた全てのパケットフィルターを示す。言い換えると、ＴＦＴは送受信するユーザデータの一部を識別する情報であり、ＳＧＷ＿Ａ３５は、ＴＦＴによって識別されたユーザデータを、ＴＦＴに関連付けたＥＰＳベアラを用いて送受信する。さらに言い換えると、ＳＧＷ＿Ａ３５は、ＴＦＴによって識別されたユーザデータを、ＴＦＴに関連づけたＲＢを含むＥＰＳベアラを用いて送受信する。
【０２３６】
また、ＳＧＷ＿Ａ３５は、ＴＦＴで識別できないユーザデータを、デフォルトベアラを用いて送受信してもよい。
【０２３７】
また、ＳＧＷ＿Ａ３５は、デフォルトベアラに関連付けられてＴＦＴを予め記憶しておいてもよい。
【０２３８】
Ｐ−ＧＷ  Ａｄｄｒｅｓｓ  ｉｎ  Ｕｓｅ（ユーザデータ）は、ＳＧＷとＰＧＷ間のインターフェースで、ユーザデータの送信に最近用いられたＰＧＷのＩＰアドレスである。
【０２３９】
Ｐ−ＧＷ  ＴＥＩＤ  ｆｏｒ  Ｓ５／Ｓ８  （ユーザデータ）は、ＳＧＷとＰＧＷ間のユーザデータのインターフェースのためのＰＧＷのＴＥＩＤである。
【０２４０】
Ｓ−ＧＷ  ＩＰ  ａｄｄｒｅｓｓ  ｆｏｒ  Ｓ５／Ｓ８（ユーザデータ）は、ＰＧＷから受信するユーザデータの為の、ＳＧＷのＩＰアドレスである。
【０２４１】
Ｓ−ＧＷ  ＴＥＩＤ  ｆｏｒ  Ｓ５／Ｓ８（ユーザデータ）は、ＳＧＷとＰＧＷ間のユーザデータのインターフェースの為のＳＧＷのＴＥＩＤである。
【０２４２】
Ｓ−ＧＷ  ＩＰ  ａｄｄｒｅｓｓ  ｆｏｒ  Ｓ１−ｕ、Ｓ１２  ａｎｄ  Ｓ４（ユーザデータ）は、ＳＧＷと３ＧＰＰのアクセスネットワーク（ＬＴＥのアクセスネットワーク、またはＧＥＲＡＮ／ＵＴＲＡＮ）間のインターフェースで用いるＳＧＷのＩＰアドレスである。
【０２４３】
また、Ｓ−ＧＷ  ＩＰ  ａｄｄｒｅｓｓ  ｆｏｒ  Ｓ１−ｕ、Ｓ１２  ａｎｄ  Ｓ４（ユーザデータ）は、ユーザデータが制御情報用のメッセージに含まれて送受信される場合、ＳＧＷとＭＭＥ、及び又は、ＳＧＳＮ間のインターフェースで用いるＳＧＷのＩＰアドレスであってもよく、Ｓ−ＧＷ  ＩＰ  ａｄｄｒｅｓｓ  ｆｏｒ  Ｓ１１／Ｓ４であってもよい。
【０２４４】
Ｓ−ＧＷ  ＴＥＩＤ  ｆｏｒ  Ｓ１−ｕ、Ｓ１２  ａｎｄ  Ｓ４（ユーザデータ）は、ＳＧＷと３ＧＰＰのアクセスネットワーク（ＬＴＥのアクセスネットワーク、またはＧＥＲＡＮ／ＵＴＲＡＮ）間のインターフェースで用いるＳＧＷのＴＥＩＤである。
【０２４５】
また、Ｓ−ＧＷ  ＴＥＩＤ  ｆｏｒ  Ｓ１−ｕ、Ｓ１２  ａｎｄ  Ｓ４（ユーザデータ）は、ユーザデータが制御情報用のメッセージに含まれて送受信される場合、ＳＧＷとＭＭＥ、及び又は、ＳＧＳＮ間のインターフェースで用いるＳＧＷのＴＥＩＤであってもよく、Ｓ−ＧＷ  ＴＥＩＤ  ｆｏｒ  Ｓ１１／Ｓ４であってもよい。
【０２４６】
ｅＮｏｄｅＢ  ＩＰ  ａｄｄｒｅｓｓ  ｆｏｒ  Ｓ１−ｕは、ＳＧＷとｅＮＢ間の伝送に用いるｅＮＢのＩＰアドレスである。
【０２４７】
また、ｅＮｏｄｅＢ  ＩＰ  ａｄｄｒｅｓｓ  ｆｏｒ  Ｓ１−ｕは、ユーザデータが制御情報用のメッセージに含まれて送受信される場合、ＭＭＥとＳＧＷ間のインターフェースで用いるＭＭＥのＩＰアドレスであってもよく、ＭＭＥ  ＩＰ  ａｄｄｒｅｓｓ  ｆｏｒ  Ｓ１１であってもよい。
【０２４８】
ｅＮｏｄｅＢ  ＴＥＩＤ  ｆｏｒ  Ｓ１−ｕは、ＳＧＷとｅＮＢ間の伝送に用いるｅＮＢのＴＥＩＤである。
【０２４９】
また、ｅＮｏｄｅＢ  ＴＥＩＤ  ｆｏｒ  Ｓ１−ｕは、ユーザデータが制御情報用のメッセージに含まれて送受信される場合、ＭＭＥとＳＧＷ間のインターフェースで用いるＭＭＥのＴＥＩＤであってもよく、ＭＭＥ  ＴＥＩＤ  ｆｏｒ  Ｓ１１であってもよい。
【０２５０】
ＲＮＣ  ＩＰ  ａｄｄｒｅｓｓ  ｆｏｒ  Ｓ１２は、ＳＧＷとＵＴＲＡＮ間のインターフェースに用いるＲＮＣのＩＰアドレスである。
【０２５１】
ＲＮＣ  ＴＥＩＤ  ｆｏｒ  Ｓ１２は、ＳＧＷとＵＴＲＡＮ間のインターフェースに用いるＲＮＣのＴＥＩＤである。
【０２５２】
ＳＧＳＮ  ＩＰ  ａｄｄｒｅｓｓ  ｆｏｒ  Ｓ４（ユーザデータ）は、ＳＧＷとＳＧＳＮ間のユーザデータの伝送に用いるＳＧＳＮのＩＰアドレスである。
【０２５３】
ＳＧＳＮ  ＴＥＩＤ  ｆｏｒ  Ｓ４（ユーザデータ）は、ＳＧＷとＳＧＳＮ間のユーザデータの伝送に用いるＳＧＳＮのＴＥＩＤである。
【０２５４】
ＥＰＳ  Ｂｅａｒｅｒ  ＱｏＳは、このベアラのＱｏＳを表し、ＡＲＰ、ＧＢＲ、ＭＢＲ、ＱＣＩが含まれてもよい。ここでＡＲＰは、ベアラを維持することに関する優先度を表す情報である。また、ＧＢＲ（Ｇｕａｒａｎｔｅｅｄ  Ｂｉｔ  Ｒａｔｅ）は帯域保障されたビットレートを表し、ＭＢＲ（Ｍａｘｉｍｕｍ  Ｂｉｔ  Ｒａｔｅ）は、最大ビットレートをあらわす。ＱＣＩは、帯域制御の有無や遅延許容時間、パケットロス率などに応じてクラスを分けられる。ＱＣＩは優先度を示す情報を含める。
【０２５５】
Ｃｈａｒｇｉｎｇ  Ｉｄは、ＳＧＷとＰＧＷで生成される課金を記録するための識別情報である。
【０２５６】
［１．２．４．ＰＧＷの構成］
以下、ＰＧＷ＿Ａ３０の構成について説明する。図１６はＰＧＷ＿Ａ３０の装置構成を示す。図に示すように、ＰＧＷ＿Ａ３０はネットワーク接続部＿Ｄ１６２０と、制御部＿Ｄ１６００と記憶部＿Ｄ１６４０で構成されている。ネットワーク接続部＿Ｄ１６２０と記憶部＿Ｄ１６４０は制御部＿Ｄ１６００と、バスを介して接続されている。
【０２５７】
制御部＿Ｄ１６００はＰＧＷ＿Ａ３０を制御するための機能部である。制御部＿Ｄ１６００は、記憶部＿Ｄ１６４０に記憶されている各種プログラムを読みだして実行することにより各種処理を実現する。
【０２５８】
ネットワーク接続部＿Ｄ１６２０は、ＰＧＷ＿Ａ３０が、ＳＧＷ＿Ａ３５及び／またはＰＣＲＦ＿Ａ６０及び／又はｅＰＤＧ＿Ａ６５と及び／またはＡＡＡ＿Ａ５５及び／またはＴＷＡＧ＿Ａ７４及び／又はＰＤＮ＿Ａ５と接続するための機能部である。また、ネットワーク接続部＿Ｄ１６２０は、ＰＧＷ＿Ａ３０が、ＳＧＷ＿Ａ３５及び／またはＰＣＲＦ＿Ａ６０及び／又はｅＰＤＧ＿Ａ６５と及び／またはＡＡＡ＿Ａ５５及び／またはＴＷＡＧ＿Ａ７４及び／又はＰＤＮ＿Ａ５からユーザデータ及び又は制御データを送受信する送受信機能部である。
【０２５９】
記憶部＿Ｄ１６４０は、ＰＧＷ＿Ａ３０の各動作に必要なプログラムや、データなどを記憶する機能部である。記憶部＿Ｄ１６４０は、例えば、半導体メモリや、ＨＤＤ（Ｈａｒｄ  Ｄｉｓｋ  Ｄｒｉｖｅ）等により構成されている。
【０２６０】
記憶部＿Ｄ１６４０は、少なくとも、後述する通信手続き内で送受信する制御メッセージに含まれる識別情報及びまたは制御情報及び又はフラグ及び又はパラメータを記憶してもよい。
【０２６１】
記憶部＿Ｄ１６４０は、図に示すように、ＥＰＳベアラコンテキスト１６４２を記憶する。なお、ＥＰＳベアラコンテキストの中には、ＵＥごとに記憶されるものと、ＡＰＮごとに記憶されるものと、ＰＤＮコネクションごとに記憶されるものと、ベアラごとに記憶されるものとが分かれて記憶されてもよい。
【０２６２】
図１７（ｂ）は、ＵＥごとに記憶されるＥＰＳベアラコンテキストに含まれる情報要素を示す。図に示すように、ＵＥごとに記憶されるＥＰＳベアラコンテキストは、ＩＭＳＩ、ＩＭＳＩ−ｕｎａｕｔｈｅｎｔｉｃａｔｅｄ−ｉｎｄｉｃａｔｏｒ、ＭＥ  Ｉｄｅｎｔｉｔｙ、ＭＳＩＳＤＮ、Ｓｅｌｅｃｔｅｄ  ＣＮ  ｏｐｅｒａｔｏｒ  ｉｄ、ＲＡＴ  ｔｙｐｅ、Ｔｒａｃｅ  ｒｅｆｅｒｅｎｃｅ、Ｔｒａｃｅ  ｔｙｐｅ、Ｔｒｉｇｇｅｒ  ｉｄ、ＯＭＣ  ｉｄｅｎｔｉｔｙを含む。
【０２６３】
また、ＵＥごとのＥＰＳベアラコンテキストは、モビリティタイプ（Ｍｏｂｉｌｉｔｙ
Ｔｙｐｅ）を含んでもよい。
【０２６４】
ＩＭＳＩは、ＵＥを使用するユーザに割り当てられる、識別情報である。
【０２６５】
ＩＭＳＩ−ｕｎａｕｔｈｅｎｔｉｃａｔｅｄ−ｉｎｄｉｃａｔｏｒは、このＩＭＳＩが認証されていない事を示す指示情報である。
【０２６６】
ＭＥ  ＩｄｅｎｔｉｔｙはＵＥのＩＤであり、例えば、ＩＭＥＩ／ＩＭＩＳＶであってもよい。
【０２６７】
ＭＳＩＳＤＮは、ＵＥの基本的な電話番号を表す。ＭＳＩＳＤＮはＨＳＳ＿Ａ５０の記憶部により示される。
【０２６８】
Ｓｅｌｅｃｔｅｄ  ＣＮ  ｏｐｅｒａｔｏｒ  ＩＤはオペレータ間でネットワークを共有するために使用する、選択されたコアネットワークオペレータの識別情報である。
【０２６９】
ＲＡＴ  ｔｙｐｅは、ＵＥの最近のＲＡＴ（Ｒａｄｉｏ  Ａｃｃｅｓｓ  Ｔｅｃｈｎｏｌｏｇｙ）を示す。ＲＡＴ  ｔｙｐｅは例えば、Ｅ−ＵＴＲＡ（ＬＴＥ）や、ＵＴＲＡなどであってよい。
【０２７０】
Ｔｒａｃｅ  ｒｅｆｅｒｅｎｃｅは、特定のトレースの記録、または記録の集合を識別する識別情報である。
【０２７１】
Ｔｒａｃｅ  ｔｙｐｅは、トレースのタイプを示す。例えば、ＨＳＳがトレースをするタイプ、及び／または、ＭＭＥやＳＧＷやＰＧＷがトレースするタイプを示してもよい。
【０２７２】
Ｔｒｉｇｇｅｒ  ＩＤは、トレースを開始する構成要素を識別する識別情報である。
【０２７３】
ＯＭＣ  Ｉｄｅｎｔｉｔｙは、トレースされた記録を受信したＯＭＣを識別する識別情報である。
【０２７４】
次に、図１７（ｃ）にＡＰＮごとに記憶されるＥＰＳベアラコンテキストを示す。図に示すように、ＰＧＷ記憶部のＡＰＮごとに記憶されるＥＰＳベアラコンテキストは、ＡＰＮ  ｉｎ  ｕｓｅ、ＡＰＮ−ＡＭＢＲを含める。
【０２７５】
ＡＰＮ  ｉｎ  Ｕｓｅは、最近使用されたＡＰＮを示す。このＡＰＮはＡＰＮネットワークの識別情報と、デフォルトのオペレータの識別情報により構成される。この情報はＳＧＷから取得する。
【０２７６】
ＡＰＮ−ＡＭＢＲは、このＡＰＮに対して確立された全てのＮｏｎ−ＧＢＲベアラ（非保障ベアラ）を共有するための上り通信および下り通信のＭＢＲ（Ｍａｘｉｍｕｍ  Ｂｉｔ  Ｒａｔｅ）の最大値を示す。
【０２７７】
また、図１８（ｄ）にＰＤＮコネクションごとに記憶されるＰＤＮコネクションごとのＥＰＳベアラコンテキストを示す。図に示すように、ＰＤＮコネクションごとのＥＰＳベアラコンテキストは、ＩＰ  Ａｄｄｒｅｓｓ、ＰＤＮ  ｔｙｐｅ、Ｓ−ＧＷ  Ａｄｄｒｅｓｓ  ｉｎ  Ｕｓｅ（制御情報）、Ｓ−ＧＷ  ＴＥＩＤ  ｆｏｒ  Ｓ５／Ｓ８（制御情報）、Ｓ−ＧＷ  Ａｄｄｒｅｓｓ  ｉｎ  Ｕｓｅ（ユーザデータ）、Ｓ−ＧＷ  ＧＲＥ  Ｋｅｙ  ｆｏｒ  ｄｏｗｎｌｉｎｋ  ｔｒａｆｆｉｃ（ユーザデータ）、Ｐ−ＧＷ  ＩＰ  ａｄｄｒｅｓｓ  ｆｏｒ  Ｓ５／Ｓ８（制御情報）、Ｐ−ＧＷ  ＴＥＩＤ  ｆｏｒ  Ｓ５／Ｓ８（制御情報）、Ｐ−ＧＷ  Ａｄｄｒｅｓｓ  ｉｎ  Ｕｓｅ（ユーザデータ）、Ｐ−
ＧＷ  ＧＲＥ  Ｋｅｙ  ｆｏｒ  ｕｐｌｉｎｋ  ｔｒａｆｆｉｃ  （ユーザデータ）、ＭＳ  Ｉｎｆｏ  Ｃｈａｎｇｅ  Ｒｅｐｏｒｔｉｎｇ  ｓｕｐｐｏｒｔ  ｉｎｄｉｃａｔｉｏｎ、ＭＳ  Ｉｎｆｏ  Ｃｈａｎｇｅ  Ｒｅｐｏｒｔｉｎｇ  Ａｃｔｉｏｎ、ＣＳＧ  Ｉｎｆｏｒｍａｔｉｏｎ  Ｒｅｐｏｒｔｉｎｇ  Ａｃｔｉｏｎ、Ｐｒｅｓｅｎｃｅ  Ｒｅｐｏｒｔｉｎｇ  Ａｒｅａ  Ａｃｔｉｏｎ、ＢＣＭ、Ｄｅｆａｕｌｔ  Ｂｅａｒｅｒ、ＥＰＳ  ＰＤＮ  Ｃｈａｒｇｉｎｇ  Ｃｈａｒａｃｔｅｒｉｓｔｉｃｓを含める。
【０２７８】
また、ＰＤＮコネクションごとのＥＰＳベアラコンテキストは、モビリティタイプ（Ｍｏｂｉｌｉｔｙ  Ｔｙｐｅ）を含んでもよい。
【０２７９】
ＩＰ  Ａｄｄｒｅｓｓは、このＰＤＮコネクションに対してＵＥに割り当てられたＩＰアドレスを示す。ＩＰアドレスはＩＰｖ４及び／またはＩＰｖ６  ｐｒｅｆｉｘであってよい。
【０２８０】
ＰＤＮ  ｔｙｐｅは、ＩＰアドレスの種類を示す。ＰＤＮ  ｔｙｐｅは例えば、ＩＰｖ４またはＩＰｖ６またはＩＰｖ４ｖ６を示す。
【０２８１】
Ｓ−ＧＷ  Ａｄｄｒｅｓｓ  ｉｎ  Ｕｓｅ（制御情報）は、制御情報を送信するのに最近用いられるＳＧＷのＩＰアドレスである。
【０２８２】
Ｓ−ＧＷ  ＴＥＩＤ  ｆｏｒ  Ｓ５／Ｓ８（制御情報）は、ＳＧＷとＰＧＷ間の制御情報の送受信に用いるＳＧＷのＴＥＩＤである。
【０２８３】
Ｓ−ＧＷ  Ａｄｄｒｅｓｓ  ｉｎ  Ｕｓｅ（ユーザデータ）は、ＳＧＷとＰＧＷ間のインターフェースでユーザデータの送信に最近用いられたＳＧＷのＩＰアドレスである。
【０２８４】
Ｓ−ＧＷ  ＧＲＥ  Ｋｅｙ  ｆｏｒ  ｄｏｗｎｌｉｎｋ  ｔｒａｆｆｉｃ（ユーザデータ）は、ＳＧＷとＰＧＷ間のインターフェースで、ＰＧＷからＳＧＷへのユーザデータの下り通信において使用するために割り当てられたＧＲＥ鍵である。
【０２８５】
Ｐ−ＧＷ  ＩＰ  ａｄｄｒｅｓｓ  ｆｏｒ  Ｓ５／Ｓ８（制御情報）は、制御情報の通信に用いるＰＧＷのＩＰドレスである。
【０２８６】
Ｐ−ＧＷ  ＴＥＩＤ  ｆｏｒ  Ｓ５／Ｓ８（制御情報）は、ＳＧＷとＰＧＷ間のインターフェースを用いた制御情報の通信の為のＰＧＷのＴＥＩＤである。
【０２８７】
Ｐ−ＧＷ  Ａｄｄｒｅｓｓ  ｉｎ  Ｕｓｅ（ユーザデータ）は、ＳＧＷとＰＧＷ間のインターフェースを用いたユーザデータの送信に最近用いられたＰＧＷのＩＰアドレスである。
【０２８８】
Ｐ−ＧＷ  ＧＲＥ  Ｋｅｙ  ｆｏｒ  ｕｐｌｉｎｋ  ｔｒａｆｆｉｃ  （ユーザデータ）は、ＳＧＷとＰＧＷ間のユーザデータの上り通信、つまりＳＧＷからＰＧＷへのユーザデータの送信、のために割り当てられたＧＲＥ鍵である。
【０２８９】
ＭＳ  Ｉｎｆｏ  Ｃｈａｎｇｅ  Ｒｅｐｏｒｔｉｎｇ  ｓｕｐｐｏｒｔ  ｉｎｄｉｃａｔｉｏｎは、ＭＭＥ及び／またはＳＧＳＮがユーザの位置情報及び／またはユーザのＣＳＧ情報を通知する処理をサポートすることを示す。
【０２９０】
ＭＳ  Ｉｎｆｏ  Ｃｈａｎｇｅ  Ｒｅｐｏｒｔｉｎｇ  Ａｃｔｉｏｎは、ＭＭＥ及び／又はＳＧＳＮがユーザの位置情報の変更を送信することが要求されているかどうかを示す
情報である。
【０２９１】
ＣＳＧ  Ｉｎｆｏｒｍａｔｉｏｎ  Ｒｅｐｏｒｔｉｎｇ  Ａｃｔｉｏｎは、ＭＭＥ及び／またはＳＧＳＮがユーザのＣＳＧ情報の変更の送信を要求されているかどうかを示す情報である。この情報は、（ａ）ＣＳＧセルに対するものと、（ｂ）ユーザがＣＳＧメンバーであるハイブリッドセルに対するものと、（ｃ）ユーザがＣＳＧメンバーでないハイブリッドセルに対するものと、またこれらを組み合わせたものと、別に示す。
【０２９２】
Ｐｒｅｓｅｎｃｅ  Ｒｅｐｏｒｔｉｎｇ  Ａｒｅａ  Ａｃｔｉｏｎは、ＵＥが存在報告エリア（Ｐｒｅｓｅｎｃｅ  Ｒｅｐｏｒｔｉｎｇ  Ａｒｅａ）に存在するかどうかの変更を通知する必要があることを示す。この情報要素は、存在報告エリアの識別情報と、存在報告エリアに含まれる要素により分かれている。
【０２９３】
ＢＣＭ（Ｂｅａｒｅｒ  Ｃｏｎｔｒｏｌ  Ｍｏｄｅ）は、ＧＥＲＡＮ／ＵＴＲＡＮに対する交渉されたベアラの制御状態を示す。
【０２９４】
Ｄｅｆａｕｌｔ  Ｂｅａｒｅｒは、ＰＤＮコネクション確立時に取得、及び又は、生成する情報であり、ＰＤＮコネクションに対応づけられたデフォルトベアラを識別するためのＥＰＳベアラ識別情報である。
【０２９５】
ＥＰＳ  ＰＤＮ  Ｃｈａｒｇｉｎｇ  Ｃｈａｒａｃｔｅｒｉｓｔｉｃｓは、課金特性である。課金特性は例えば、通常（ノーマル）、プリペイド、課金率固定、即時請求を示してもよい。
【０２９６】
更に、図１９（ｅ）に、ＥＰＳベアラごとに記憶されるＥＰＳベアラコンテキストを示す。図に示すように、ＥＰＳベアラコンテキストは、ＥＰＳ  Ｂｅａｒｅｒ  Ｉｄ  、ＴＦＴ、Ｓ−ＧＷ  Ａｄｄｒｅｓｓ  ｉｎ  Ｕｓｅ（ユーザデータ）、Ｓ−ＧＷ  ＴＥＩＤ
ｆｏｒ  Ｓ５／Ｓ８  （ユーザデータ）、Ｐ−ＧＷ  ＩＰ  ａｄｄｒｅｓｓ  ｆｏｒ  Ｓ５／Ｓ８  （ユーザデータ）、Ｐ−ＧＷ  ＴＥＩＤ  ｆｏｒ  Ｓ５／Ｓ８  （ユーザデータ）、ＥＰＳ  Ｂｅａｒｅｒ  ＱｏＳ、Ｃｈａｒｇｉｎｇ  Ｉｄを含める。
【０２９７】
また、ＥＰＳベアラごとのＥＰＳコンテキストは、モビリティタイプ（Ｍｏｂｉｌｉｔｙ  Ｔｙｐｅ）を含んでもよい。
【０２９８】
ＥＰＳ  Ｂｅａｒｅｒ  Ｉｄは、ＵＥのＥ−ＵＴＲＡＮを介したアクセスを識別する識別情報である。言い換えると、  ＥＰＳ  Ｂｅａｒｅｒ  Ｉｄは、ＥＰＳベアラの識別情報である。また、ＥＰＳ  Ｂｅａｒｅｒ  Ｉｄは、ＳＲＢ、及び又は、ＣＲＢを識別する識別情報であってもよいし、ＤＲＢを識別する識別情報であってもよい。
【０２９９】
ＴＦＴは、Ｔｒａｆｆｉｃ  Ｆｌｏｗ  Ｔｅｍｐｌａｔｅの略であり、ＥＰＳベアラと関連づけられた全てのパケットフィルターを示す。言い換えると、ＴＦＴは送受信するユーザデータの一部を識別する情報であり、ＰＧＷ＿Ａ３０は、ＴＦＴによって識別されたユーザデータを、ＴＦＴに関連付けたＥＰＳベアラを用いて送受信する。さらに言い換えると、ＰＧＷ＿Ａ３０は、ＴＦＴによって識別されたユーザデータを、ＴＦＴに関連づけたＲＢを含むＥＰＳベアラを用いて送受信する。
【０３００】
また、ＰＧＷ＿Ａ３０は、ＴＦＴで識別できないユーザデータを、デフォルトベアラを用いて送受信してもよい。
【０３０１】
また、ＰＧＷ＿Ａ３０は、デフォルトベアラに関連付けられてＴＦＴを予め記憶してお
いてもよい。
【０３０２】
Ｓ‐ＧＷ  Ａｄｄｒｅｓｓ  ｉｎ  Ｕｓｅ（ユーザデータ）は、ユーザデータの送信に最近用いられたＳＧＷのＩＰアドレスである。
【０３０３】
Ｓ‐ＧＷ  ＴＥＩＤ  ｆｏｒ  Ｓ５／Ｓ８  （ユーザデータ）は、ＳＧＷとＰＧＷ間のインターフェースを用いたユーザデータの通信の為のＳＧＷのＴＥＩＤである。
【０３０４】
Ｐ‐ＧＷ  ＩＰ  ａｄｄｒｅｓｓ  ｆｏｒ  Ｓ５／Ｓ８（ユーザデータ）は、ＰＧＷから受信するユーザデータの為のＰＧＷのＩＰアドレスである。
【０３０５】
Ｐ‐ＧＷ  ＴＥＩＤ  ｆｏｒ  Ｓ５／Ｓ８（ユーザデータ）は、ＳＧＷとＰＧＷ間のユーザデータの通信のためのＰＧＷのＴＥＩＤである。
【０３０６】
ＥＰＳ  Ｂｅａｒｅｒ  ＱｏＳは、ベアラのＱｏＳを示し、ＡＲＰ、ＧＢＲ、ＭＢＲ、ＱＣＩが含まれてもよい。ここでＡＲＰは、ベアラを維持することに関する優先度を表す情報である。また、ＧＢＲ（Ｇｕａｒａｎｔｅｅｄ  Ｂｉｔ  Ｒａｔｅ）は帯域保障されたビットレートを表し、ＭＢＲ（Ｍａｘｉｍｕｍ  Ｂｉｔ  Ｒａｔｅ）は、最大ビットレートをあらわす。ＱＣＩは、帯域制御の有無や遅延許容時間、パケットロス率などに応じてクラスを分けられる。ＱＣＩは優先度を示す情報を含める。
【０３０７】
Ｃｈａｒｇｉｎｇ  Ｉｄは、ＳＧＷとＰＧＷで生成された課金に関する記録を識別するための課金識別情報である。
【０３０８】
［１．２．５．ＵＥの構成］
図２０はＵＥ＿Ａ１０の装置構成を示す。図に示すように、ＵＥ＿Ａ１０は送受信部＿Ｆ２０２０と、制御部＿Ｆ２０００と記憶部＿Ｆ２０４０で構成されている。送受信部＿Ｆ２０２０と記憶部＿Ｆ２０４０は制御部＿Ｆ２０００と、バスを介して接続されている。
【０３０９】
制御部＿Ｆ２０００はＵＥ＿Ａ１０を制御するための機能部である。制御部＿Ｆ２０００は、記憶部＿Ｆ２０４０に記憶されている各種プログラムを読みだして実行することにより各種処理を実現する。
【０３１０】
送受信部＿Ｆ２０２０は、ＵＥ＿Ａ１０がＬＴＥ基地局に接続し、ＩＰアクセスネットワークへ接続するための機能部である。また、送受信部＿Ｆ２０２０には、外部アンテナ＿Ｆ２０１０が接続されている。
【０３１１】
言い換えると、送受信部＿Ｆ２０２０は、ＵＥ＿Ａ１０がｅＮＢ＿Ａ４５と接続するための機能部である。さらに、送受信部＿Ｆ２０２０は、ＵＥ＿Ａ１０が、ｅＮＢ＿Ａ４５からユーザデータ及び又は制御データを送受信する送受信機能部である。
【０３１２】
記憶部＿Ｆ２０４０は、ＵＥ＿Ａ１０の各動作に必要なプログラムや、データなどを記憶する機能部である。記憶部＿Ｆ２０４０は、例えば、半導体メモリや、ＨＤＤ（Ｈａｒｄ  Ｄｉｓｋ  Ｄｒｉｖｅ）等により構成されている。
【０３１３】
記憶部＿Ｆ２０４０は、少なくとも、後述する通信手続き内で送受信する制御メッセージに含まれる識別情報及びまたは制御情報及び又はフラグ及び又はパラメータを記憶してもよい。
【０３１４】
記憶部＿Ｆ２０４０は、図に示すように、ＵＥコンテキスト２０４２を記憶する。以下、記憶部＿Ｆ２０４０で記憶される情報要素について説明する。
【０３１５】
図２０は、ＵＥごとに記憶されるＵＥコンテキストに含まれる情報要素を示す。図に示すように、ＵＥごとに記憶されるＵＥコンテキストは、ＩＭＳＩ、ＥＭＭ  Ｓｔａｔｅ、ＧＵＴＩ、ＭＥ  Ｉｄｅｎｔｉｔｙ、Ｔｒａｃｋｉｎｇ  Ａｒｅａ  Ｌｉｓｔ、ｌａｓｔ
ｖｉｓｉｔｅｄ  ＴＡＩ、Ｓｅｌｅｃｔｅｄ  ＮＡＳ  Ａｌｇｏｒｉｔｈｍ、Ｓｅｌｅｃｔｅｄ  ＡＳ  Ａｌｇｏｒｉｔｈｍ、ｅＫＳＩ、Ｋ＿ＡＳＭＥ、ＮＡＳ  Ｋｅｙｓ  ａｎｄ  ＣＯＵＮＴ、ＴＩＮ、ＵＥ  Ｓｐｅｃｉｆｉｃ  ＤＲＸ  Ｐａｒａｍｅｔｅｒｓ、Ａｌｌｏｗｅｄ  ＣＳＧ  ｌｉｓｔ、Ｏｐｅｒａｔｏｒ  ＣＳＧ  ｌｉｓｔを含める。
【０３１６】
また、ＵＥごとのＵＥコンテキストは、モビリティタイプ（Ｍｏｂｉｌｉｔｙ  Ｔｙｐｅ）を含んでもよい。
【０３１７】
ＩＭＳＩは、加入者の永久的な識別情報である。
【０３１８】
ＥＭＭ  Ｓｔａｔｅは、ＵＥの移動管理状態を示す。例えば、ＵＥがネットワークに登録されているＥＭＭ−ＲＥＧＩＳＴＥＲＥＤ（登録状態、ｒｅｇｉｓｔｅｒｅｄ状態）、またはＵＥがネットワークに登録されていないＥＭＭ−ＤＥＲＥＧＩＳＴＥＲＤ（非登録状態、ｄｅｒｅｇｉｓｔｅｒｅｄ状態）であってもよい。
【０３１９】
ＧＵＴＩは、Ｇｌｏｂａｌｌｙ  Ｕｎｉｑｕｅ  Ｔｅｍｐｏｒａｒｙ  Ｉｄｅｎｔｉｔｙの略であり、ＵＥの一時的な識別情報である。ＧＵＴＩはＭＭＥの識別情報（ＧＵＭＭＥＩ：Ｇｌｏｂａｌｌｙ  Ｕｎｉｑｕｅ  ＭＭＥ  Ｉｄｅｎｔｉｆｉｅｒ）と特定ＭＭＥ内でのＵＥの識別情報（Ｍ−ＴＭＳＩ）により構成される。
【０３２０】
ＭＥ  Ｉｄｅｎｔｉｔｙは、ＭＥのＩＤであり、例えば、ＩＭＥＩ／ＩＭＩＳＶであってもよい。
【０３２１】
Ｔｒａｃｋｉｎｇ  Ａｒｅａ  Ｌｉｓｔは、ＵＥに割り当てたトラッキングエリア識別情報のリストである。
【０３２２】
ｌａｓｔ  ｖｉｓｉｔｅｄ  ＴＡＩはＴｒａｃｋｉｎｇ  Ａｒｅａ  Ｌｉｓｔに含まれるトラッキングエリア識別情報であり、ＵＥが訪れた最新のトラッキングエリアの識別情報である。
【０３２３】
Ｓｅｌｅｃｔｅｄ  ＮＡＳ  Ａｌｇｏｒｉｔｈｍは、ＮＡＳの選択されたセキュリティーアルゴリズムである。
【０３２４】
Ｓｅｌｅｃｔｅｄ  ＡＳ  Ａｌｇｏｒｉｔｈｍは、ＡＳの選択されたセキュリティーアルゴリズムである。
【０３２５】
ｅＫＳＩは、Ｋ＿ＡＳＭＥを示す鍵の集合である。ＵＴＲＡＮまたはＥ−ＵＴＲＡＮのセキュリティー認証により取得したセキュリティー鍵を利用するかどうかを示してもよい。
【０３２６】
Ｋ＿ＡＳＭＥは、鍵ＣＫとＩＫに基づき生成される、Ｅ−ＵＴＲＡＮの鍵階層化の鍵である。
【０３２７】
ＮＡＳ  Ｋｅｙｓ  ａｎｄ  ＣＯＵＮＴは、鍵Ｋ＿ＮＡＳｉｎｔと、鍵Ｋ＿ＮＡＳｅｎ
ｃとＮＡＳ  ＣＯＵＮＴにより構成される。Ｋ＿ＮＡＳｉｎｔは、ＵＥとＭＭＥ間の暗号化のための鍵であり、Ｋ＿ＮＡＳｅｎｃは、ＵＥとＭＭＥ間の安全性保護のための鍵である。また、ＮＡＳ  ＣＯＵＮＴはＵＥとＭＭＥ間のセキュリティーが確立された、新しい鍵が設定された場合にカウントを開始する、カウントである。
【０３２８】
ＴＩＮ（Ｔｅｍｐｏｒａｒｙ  Ｉｄｅｎｔｉｔｙ  ｕｓｅｄ  ｉｎ  Ｎｅｘｔ  ｕｐｄａｔｅ）は、アタッチ手続きや、ＲＡＵ／ＴＡＵ（位置情報更新手続き）においてＵＥの中で使用される一時的な識別情報である。
【０３２９】
ＵＥ  Ｓｐｅｃｉｆｉｃ  ＤＲＸ  Ｐａｒａｍｅｔｅｒｓは、選択されたＵＥのＤＲＸ（Ｄｉｓｃｏｎｔｉｎｕｏｕｓ  Ｒｅｃｅｐｔｉｏｎ）サイクル長である。
【０３３０】
Ａｌｌｏｗｅｄ  ＣＳＧ  ｌｉｓｔは、ユーザとオペレータ両方の制御の下に、許可されたＵＥが属するメンバーのＣＳＧ  ＩＤと関連付けられたＰＬＭＮのリストである。
【０３３１】
Ｏｐｅｒａｔｏｒ  ＣＳＧ  ｌｉｓｔは、オペレータのみの制御の下に、許可されたＵＥが属するメンバーのＣＳＧ  ＩＤと関連付けられたＰＬＭＮのリストである。
【０３３２】
次に、図２１（ｃ）にＰＤＮコネクションごとに記憶されるＰＤＮコネクションごとのＵＥコンテキストを示す。図に示すように、ＰＤＮコネクションごとのＵＥコンテキストは、ＡＰＮ  ｉｎ  Ｕｓｅ、ＡＰＮ−ＡＭＢＲ、Ａｓｓｉｇｎｅｄ  ＰＤＮ  Ｔｙｐｅ、ＩＰ  Ａｄｄｒｅｓｓ、Ｄｅｆａｕｌｔ  Ｂｅａｒｅｒ、ＷＬＡＮ  ｏｆｆｌｏａｄａｂｉｌｉｔｙを含める。
【０３３３】
また、ＰＤＮコネクションごとのＵＥコンテキストは、モビリティタイプ（Ｍｏｂｉｌｉｔｙ  Ｔｙｐｅ）を含んでもよい。
【０３３４】
ＡＰＮ  ｉｎ  Ｕｓｅは、最近使用されたＡＰＮである。このＡＰＮは、ネットワークの識別情報と、デフォルトのオペレータの識別情報とで構成されてよい。
【０３３５】
ＡＰＮ−ＡＭＢＲは、Ｎｏｎ−ＧＢＲベアラ（非保障ベアラ）を共有するための上り通信および下り通信のＭＢＲの最大値を示す。ＡＰＮ−ＡＭＢＲは、ＡＰＮごとに確立される。
【０３３６】
Ａｓｓｉｇｎｅｄ  ＰＤＮ  Ｔｙｐｅは、ネットワークから割り当てられたＰＤＮのタイプである。Ａｓｓｉｇｎｅｄ  ＰＤＮ  Ｔｙｐｅは、例えば、ＩＰｖ４や、ＩＰｖ６や、ＩＰｖ４ｖ６であってよい。
【０３３７】
ＩＰ  Ａｄｄｒｅｓｓは、ＵＥに割り当てられたＩＰアドレスであり、ＩＰｖ４アドレス、またはＩＰｖ６  ｐｒｅｆｉｘであってよい。
【０３３８】
Ｄｅｆａｕｌｔ  Ｂｅａｒｅｒは、ＰＤＮコネクション確立時にコアネットワーク＿Ａ９０から取得する情報であり、ＰＤＮコネクションに対応づけられたデフォルトベアラを識別するＥＰＳベアラ識別情報である。
【０３３９】
ＷＬＡＮ  ｏｆｆｌｏａｄａｂｉｌｉｔｙは、ＷＬＡＮと３ＧＰＰ間のインターワーキング機能を用いてＷＬＡＮへオフロードすることを許可するか、または３ＧＰＰアクセスを維持するかどうかを示すＷＬＡＮオフロードの許可情報である。
【０３４０】
図２１（ｄ）は、ＵＥの記憶部で記憶されるベアラごとのＵＥコンテキストを示す。図
に示すように、ベアラごとのＵＥコンテキストは、ＥＰＳ  Ｂｅａｒｅｒ  ＩＤ、ＴＩ、ＥＰＳ  ｂｅａｒｅｒ  ＱｏＳ、ＴＦＴを含める。
【０３４１】
また、ベアラごとのＵＥコンテキストは、モビリティタイプ（Ｍｏｂｉｌｉｔｙ  Ｔｙｐｅ）を含んでもよい。
【０３４２】
ＥＰＳ  Ｂｅａｒｅｒ  ＩＤは、ＥＰＳベアラの識別情報である。また、ＥＰＳ  Ｂｅａｒｅｒ  ＩＤは、ＳＲＢ、及び又は、ＣＲＢを識別する識別情報であってもよいし、ＤＲＢを識別する識別情報であってもよい。
【０３４３】
ＴＩはＴｒａｎｓａｃｔｉｏｎ  Ｉｄｅｎｔｉｆｉｅｒの略であり、双方向のメッセージフロー（Ｔｒａｎｓａｃｔｉｏｎ）を識別する識別情報である。
【０３４４】
ＴＦＴは、Ｔｒａｆｆｉｃ  Ｆｌｏｗ  Ｔｅｍｐｌａｔｅの略であり、ＥＰＳベアラと関連づけられた全てのパケットフィルターを示す。言い換えると、ＴＦＴは送受信するユーザデータの一部を識別する情報であり、ＵＥ＿Ａ１０は、ＴＦＴによって識別されたユーザデータを、ＴＦＴに関連付けたＥＰＳベアラを用いて送受信する。さらに言い換えると、ＵＥ＿Ａ１０は、ＴＦＴによって識別されたユーザデータを、ＴＦＴに関連づけたＲＢを用いて送受信する。
【０３４５】
また、ＵＥ＿Ａ１０は、ＴＦＴで識別できないユーザデータを、デフォルトベアラを用いて送受信してもよい。
【０３４６】
また、ＵＥ＿Ａ１０は、デフォルトベアラに関連付けられてＴＦＴを予め記憶しておいてもよい。
【０３４７】
また、本実施形態におけるモビリティタイプとは、モビリティの粒度を示す情報であってもよい。
【０３４８】
［１．３．通信手続きの説明］
次に、本実施形態における通信手続きを、図２２を用いて説明する。
【０３４９】
本実施形態における通信手続きは、図２２に示すように、まずＰＤＮ接続手続き（Ｓ２２００）を実行する。ＵＥ＿Ａ１０、及び又はｅＮＢ＿Ａ４５、及び又はＭＭＥ＿Ａ４０、及び又はＳＧＷ＿Ａ３５、及び又はＰＧＷ＿Ａ３０は、ＰＤＮ接続手続き（Ｓ２２００）において、ＰＤＮコネクションを確立してもよく、ＵＥ＿Ａ１０のモビリティタイプを決定してもよい。
【０３５０】
なお、本通信手続きにおけるＰＤＮ接続手続きは、ＵＥ＿Ａ１０がコアネットワーク＿Ａ９０に初期接続するためのアタッチ手続きの中で実行されてもよい。その場合、ＰＤＮ接続要求メッセージはＵＥ＿Ａ１０がＭＭＥ＿Ａ４０に送信するアタッチ要求メッセージに含まれて送受信されてもよい。さらに、デフォルトＥＰＳベアラコンテキストアクティブ化要求メッセージは、ＭＭＥ＿Ａ４０がＵＥ＿Ａ１０に送信するアタッチ受諾メッセージに含まれて送受信されてもよい。さらに、デフォルトＥＰＳベアラコンテキストアクティブ化受諾メッセージは、ＵＥ＿Ａ１０がＭＭＥ＿Ａ４０に送信するアタッチ完了メッセージに含まれて送受信されてもよい。
【０３５１】
次に、モビリティタイプ変更手続き（Ｓ２２０６）を実行してもよい。ＵＥ＿Ａ１０、及び又はｅＮＢ＿Ａ４５、及び又はＭＭＥ＿Ａ４０、及び又はＳＧＷ＿Ａ３５、及び又はＰＧＷ＿Ａ３０は、モビリティタイプ変更手続きにより、ＵＥ＿Ａ１０のモビリティタイ
プを変更してもよい。
【０３５２】
ここで、各手続きの詳細手順を説明する前に、重複説明を避けるために本実施形態特有の用語や、各手続きに用いる主要な識別情報を予め説明する。
【０３５３】
本実施形態におけるモビリティタイプとは、モビリティの粒度を示す情報であってもよい。
【０３５４】
また、ＵＥ＿Ａ１０及び又はＭＭＥ＿Ａ４０は、ＵＥ＿Ａ１０のモビリティに関する能力を示す情報を管理してもよい。なお、ＵＥ＿Ａ１０のモビリティに関する能力を示す情報は、モビリティタイプを用いて示される情報であってよい。言い換えると、ＵＥ＿Ａ１０の識別情報とモビリティタイプとは対応づけられて管理されてもよい。なお、本実施形態では、こうしたＵＥ＿Ａ１０のモビリティに関する能力を示す情報を第１の識別情報として説明する。
【０３５５】
また、ＵＥ＿Ａ１０及び又はＭＭＥ＿Ａ４０は、コアネットワーク＿Ａ９０のモビリティに関する能力を示す情報を管理してもよい。なお、コアネットワーク＿Ａ９０のモビリティに関する能力を示す情報は、モビリティタイプを用いて示される情報であってよい。言い換えると、コアネットワーク＿Ａ９０の識別情報とモビリティタイプとは対応づけられて管理されてもよい。なお、本実施形態では、こうしたコアネットワーク＿Ａ９０のモビリティに関する能力を示す情報を第２の識別情報として説明する。
【０３５６】
また、ＵＥ＿Ａ１０及び又はＭＭＥ＿Ａ４０は、ＵＥ＿Ａ１０が要求するモビリティを示す情報を管理してもよい。なお、ＵＥ＿Ａ１０が要求するモビリティを示す情報は、モビリティタイプを用いて示される情報であってよい。言い換えると、ＵＥ＿Ａ１０の識別情報とモビリティタイプとは対応づけられて管理されてもよい。なお、本実施形態では、こうした、ＵＥ＿Ａ１０が要求するモビリティを示す情報を第３の識別情報として説明する。
【０３５７】
また、ＵＥ＿Ａ１０及び又はＭＭＥ＿Ａ４０は、ＵＥ＿Ａ１０に対してコアネットワーク＿Ａ９０が許可するモビリティを示す情報を管理してもよい。なお、ＵＥ＿Ａ１０に対してコアネットワーク＿Ａ９０が許可するモビリティを示す情報は、モビリティタイプを用いて示される情報であってよい。言い換えると、ＵＥ＿Ａ１０の識別情報とモビリティタイプとは対応づけられて管理されてもよい。ここで、コアネットワーク＿Ａ９０が許可するモビリティタイプとは、オペレータポリシーや加入者情報などを基にＭＭＥ＿Ａ４０が許可するモビリティタイプであってよい。したがって、コアネットワーク＿Ａ９０が許可するモビリティとは、言い換えるとＭＭＥ＿Ａ４０、及び／又はオペレータポリシー、及び／又は加入者情報が許可するモビリティタイプであってよい。なお、本実施形態では、こうした、ＵＥ＿Ａ１０に対してコアネットワーク＿Ａ９０が許可するモビリティを示す情報を第４の識別情報として説明する。
【０３５８】
また、ＵＥ＿Ａ１０及び又はＭＭＥ＿Ａ４０は、ＰＤＮコネクションやＥＰＳベアラなどのＵＥ＿Ａ１０が確立する通信路に対して要求するモビリティを示す情報を管理してもよい。なお、ＰＤＮコネクションやＥＰＳベアラなどのＵＥ＿Ａ１０が確立する通信路に対して要求するモビリティを示す情報は、モビリティタイプを用いて示される情報であってよい。言い換えると、ＵＥ＿Ａ１０の確立する通信路の識別情報と、モビリティタイプとは対応づけられて管理されてもよい。ここで、通信路の識別情報は、ＡＰＮやＩＰアドレスやＰＤＮコネクションＩＤなどのＰＤＮコネクションを識別する識別情報や、ＥＰＳベアラＩＤ等のＥＰＳベアラの識別情報などであってよい。なお、本実施形態では、こうした、ＰＤＮコネクションやＥＰＳベアラなどのＵＥ＿Ａ１０が確立する通信路に対して
要求するモビリティを示す情報を第５の識別情報として説明する。
【０３５９】
また、ＵＥ＿Ａ１０及び又はＭＭＥ＿Ａ４０は、ＰＤＮコネクションやＥＰＳベアラなどのＵＥ＿Ａ１０が確立する通信路に対して許可するモビリティを示す情報を管理してもよい。なお、ＰＤＮコネクションやＥＰＳベアラなどのＵＥ＿Ａ１０が確立する通信路に対して許可するモビリティを示す情報は、モビリティタイプを用いて示される情報であってよい。言い換えると、ＵＥ＿Ａ１０の確立する通信路の識別情報と、モビリティタイプとは対応づけられて管理されてもよい。ここで、通信路の識別情報は、ＡＰＮやＩＰアドレスやＰＤＮコネクションＩＤなどのＰＤＮコネクションを識別する識別情報や、ＥＰＳベアラＩＤ等のＥＰＳベアラの識別情報などであってよい。なお、本実施形態では、こうした、ＰＤＮコネクションやＥＰＳベアラなどのＵＥ＿Ａ１０が確立する通信路に対して許可するモビリティを示す情報を第６の識別情報として説明する。
【０３６０】
また、ＵＥ＿Ａ１０及び又はＭＭＥ＿Ａ４０は、ＵＥ＿Ａ１０のＰＤＮコネクション確立後のモビリティを示す情報の変更を許可することを示す情報を管理してもよい。なお、ＵＥ＿Ａ１０のＰＤＮコネクション確立後のモビリティを示す情報の変更を許可することを示す情報は、モビリティタイプを用いて示される情報であってよい。言い換えると、ＵＥ＿Ａ１０の識別情報とモビリティタイプとは対応づけられて管理されてもよい。なお、本実施形態では、こうしたＵＥ＿Ａ１０のＰＤＮコネクション確立後のモビリティを示す情報の変更を許可することを示す情報を第７の識別情報として説明する。
【０３６１】
また、ＵＥ＿Ａ１０及び又はＭＭＥ＿Ａ４０は、コアネットワーク＿Ａ９０のＰＤＮコネクション確立後のモビリティを示す情報の変更を許可することを示す情報を管理してもよい。なお、コアネットワーク＿Ａ９０のＰＤＮコネクション確立後のモビリティを示す情報の変更を許可することを示す情報は、モビリティタイプを用いて示される情報であってよい。言い換えると、コアネットワーク＿Ａ９０の識別情報とモビリティタイプとは対応づけられて管理されてもよい。なお、本実施形態では、こうしたコアネットワーク＿Ａ９０のＰＤＮコネクション確立後のモビリティを示す情報の変更を許可することを示す情報を第８の識別情報として説明する。
【０３６２】
また、ＵＥ＿Ａ１０及び又はＭＭＥ＿Ａ４０は、モビリティを示す情報の変更を要求することを示す情報を管理してもよい。なお、モビリティを示す情報の変更を要求することを示す情報は、要求する変更後のモビリティタイプを用いて示される情報であってよい。言い換えると、ＵＥ＿Ａ１０、及び又は、コアネットワーク＿Ａ９０の識別情報と要求する変更後のモビリティタイプとは対応づけられて管理されてもよい。また、モビリティを示す情報の変更は、ＵＥ＿Ａ１０、及び又は、コアネットワーク＿Ａ９０に対して行うものであってもよく、ＵＥ＿Ａ１０、及び又は、コアネットワーク＿Ａ９０が持つ通信路に対して行うものであってもよい。なお、本実施形態では、こうしたモビリティを示す情報の変更を要求することを示す情報を第９の識別情報として説明する。
【０３６３】
また、ＵＥ＿Ａ１０及び又はＭＭＥ＿Ａ４０は、モビリティを示す情報の変更が承認されたことを示す情報を管理してもよい。なお、モビリティを示す情報の変更が承認されたことを示す情報は、承認された変更後のモビリティタイプを用いて示される情報であってよい。言い換えると、ＵＥ＿Ａ１０、及び又は、コアネットワーク＿Ａ９０の識別情報と承認された変更後のモビリティタイプとは対応づけられて管理されてもよい。また、モビリティを示す情報の変更は、ＵＥ＿Ａ１０、及び又は、コアネットワーク＿Ａ９０に対して行うものであってもよく、ＵＥ＿Ａ１０、及び又は、コアネットワーク＿Ａ９０が持つ通信路に対して行うものであってもよい。なお、本実施形態では、こうしたモビリティを示す情報の変更が承認されたことを示す情報を第１０の識別情報として説明する。
【０３６４】
ここで、第１の識別情報は、予めＵＥ＿Ａ１０に設定される識別情報であってよい。
【０３６５】
また、第２の識別情報は、オペレータポリシーや通信事業者の運用に応じてコアネットワーク＿Ａ９０及び又はＭＭＥ＿Ａ４０に設定される識別情報であって良い。
【０３６６】
また、第３の識別情報は、予めＵＥ＿Ａ１０に設定される識別情報であってもよいし、第１の識別情報に基づいて決定される識別情報であってよい。したがって、第１の識別情報と同じモビリティタイプであってよい。もしくはＵＥポリシーに応じて設定される第１の識別情報とは異なるモビリティタイプであってもよい。
【０３６７】
また、第４の識別情報は、オペレータポリシーや通信事業者の運用に応じてコアネットワーク＿Ａ９０及び又はＭＭＥ＿Ａ４０に設定される識別情報であって良い。加えて、第３の識別情報に基づいて決定される識別情報であってもよい。
【０３６８】
また、第５の識別情報は、予めＵＥ＿Ａ１０に設定される識別情報であってもよいし、第１の識別情報に基づいて決定される識別情報であってよい。したがって、第１の識別情報と同じモビリティタイプであってよい。もしくはＵＥポリシーに応じて設定される第１の識別情報とは異なるモビリティタイプであってもよい。加えて、アプリケーションに応じて決定される識別情報であってもよい。なお、ＵＥ＿Ａ１０は複数の通信路が確立可能であり、ＵＥ＿Ａ１０は、各通信路に対して異なるモビリティタイプを示す第５の識別情報を記憶してもよい。
【０３６９】
また、第６の識別情報は、オペレータポリシーや通信事業者の運用に応じてコアネットワーク＿Ａ９０及び又はＭＭＥ＿Ａ４０に設定される識別情報であって良い。加えて、第１の識別情報に基づいて決定される識別情報であってもよい。加えて、アプリケーションに応じて決定される識別情報であってもよい。なお、ＵＥ＿Ａ１０は複数の通信路が確立可能であり、コアネットワーク＿Ａ９０は、各通信路に対して異なるモビリティタイプを示す第６の識別情報を記憶してもよい。また、ＵＥ＿Ａ１０は、１つ以上のこれらの識別情報をＵＥコンテキストに記憶してもよい。さらに、ＵＥ＿Ａ１０は、第５の識別情報及び又は第６の識別情報を、ＵＥコンテキストにおいてＰＤＮコネクション毎に記憶してもよい。より具体的には、アプリケーションを識別する情報や、ＴＦＴ（Ｔｒａｆｆｉｃ  Ｆｌｏｗ  Ｔｅｍｐｌａｔｅ）等のフローを識別する情報や、ＥＰＳベアラＩＤ等のベアラ識別情報と対応づけて記憶しても良い。
【０３７０】
また、第７の識別情報は、予めＵＥ＿Ａ１０に設定される識別情報であってもよいし、ＵＥポリシーに基づいて決定される識別情報であってよい。
【０３７１】
また、第８の識別情報は、オペレータポリシーや通信事業者の運用に応じてコアネットワーク＿Ａ９０及び又はＭＭＥ＿Ａ４０に設定される識別情報であって良い。加えて、第７の識別情報に基づいて決定される識別情報であってもよい。
【０３７２】
また、第９の識別情報は、第１から第６の識別情報の内の１以上の識別情報、及び又は、ＵＥポリシー、及び又は、オペレータポリシーや通信事業者の運用に基づいて決定される識別情報であってよい。したがって、第９の識別情報は、第１の識別情報、及び又は、第３の識別情報、及び又は、第５の識別情報と同じモビリティタイプであってもよいし、第２の識別情報、及び又は、第４の識別情報、及び又は、第６の識別情報とは異なるモビリティタイプであってもよい。また、第９の識別情報は、第１の識別情報、及び又は、第３の識別情報、及び又は、第５の識別情報とは異なるモビリティタイプであってもよいし、第２の識別情報、及び又は、第４の識別情報、及び又は、第６の識別情報と同じモビリティタイプであってもよい。
【０３７３】
また、第１０の識別情報は、第９の識別情報、及び又は、ＵＥポリシー、及び又は、オペレータポリシーや通信事業者の運用に基づいて決定される識別情報であってよい。したがって、第１０の識別情報は、第９の識別情報と同じモビリティタイプであってもよいし、第９の識別情報とは異なるモビリティタイプであってもよい。また、第１０の識別情報は、モビリティタイプの変更が承認されたことを示す識別情報であってもよく、モビリティタイプの変更が承認されなかったことを示す識別情報であってもよく、モビリティタイプの変更が承認されなかった理由を示す識別情報であってもよい。
【０３７４】
なお、ＵＥ＿Ａ１０は、１つ以上のこれらの識別情報をＵＥコンテキストに記憶してもよい。さらに、ＵＥ＿Ａ１０は、第５の識別情報及び又は第６の識別情報を、ＵＥコンテキストにおいてＰＤＮコネクション毎に記憶してもよい。より具体的には、アプリケーションを識別する情報や、ＴＦＴ（Ｔｒａｆｆｉｃ  Ｆｌｏｗ  Ｔｅｍｐｌａｔｅ）等のフローを識別する情報や、ＥＰＳベアラＩＤ等のベアラ識別情報と対応づけて記憶しても良い。
【０３７５】
さらに、ＭＭＥ＿Ａ４０は、１つ以上のこれらの識別情報をＭＭＥコンテキストに記憶してもよい。さらに、ＭＭＥ＿Ａ４０は、第５の識別情報及び又は第６の識別情報を、ＭＭＥコンテキストにおいてＰＤＮコネクション毎に記憶してもよい。より具体的には、アプリケーションを識別する情報や、ＴＦＴ（Ｔｒａｆｆｉｃ  Ｆｌｏｗ  Ｔｅｍｐｌａｔｅ）等のフローを識別する情報や、ＥＰＳベアラＩＤ等のベアラ識別情報と対応づけて記憶しても良い。
【０３７６】
次に、モビリティタイプの具体的な例を説明する。例えば、第１のタイプは、コアネットワーク＿Ａ９０が、ＵＥ＿Ａ１０の３ＧＰＰアクセスネットワーク内のモビリティをサポートすることを示すタイプであってもよい。
【０３７７】
第２のタイプは、ＵＥ＿Ａ１０のｎｏｎ−３ＧＰＰアクセスネットワーク内のモビリティをサポートすることを示すタイプであってよい。
【０３７８】
第３のタイプは、コアネットワーク＿Ａ９０が、ＵＥ＿Ａ１０の３ＧＰＰアクセスネットワークとｎｏｎ−３ＧＰＰアクセスネットワーク間のモビリティをサポートすることを示すタイプであってよい。
【０３７９】
第４のタイプは、ＵＥ＿Ａ１０のモビリティをサポートしないことを示す情報であってもよい。
【０３８０】
第５のタイプは、アクティブモード時のハンドオーバーをサポートすることを示すタイプであってよい。
【０３８１】
第６のタイプは、アクティブモード時のハンドオーバーは許可しないことを示すタイプであってよい。
【０３８２】
第６のタイプは、アクティブモード時のハンドオーバーは許可せず、アイドルモード時のハンドオーバーは許可することを示すタイプであってよい。
【０３８３】
第７のタイプは、アイドルモード時のハンドオーバーは許可することを示すタイプであってよい。
【０３８４】
なお、モビリティタイプが示す情報は上記に限らない。また、上記の１から７のタイプ
を任意に組み合わせたものをモビリティタイプの一つとしてもよい。
【０３８５】
なお、上述した各識別情報に対応するモビリティタイプは異なるモビリティタイプであってもよいし、同一のモビリティタイプであってもよい。
【０３８６】
なお、ＵＥ＿Ａ１０、及び又は、ｅＮＢ＿Ａ４５、及び又は、ＭＭＥ＿Ａ４０、及び又は、ＳＧＷ＿Ａ３５、及び又は、ＰＧＷ＿Ａ３０が各識別情報を保持する場合、ＵＥ＿Ａ１０、及び又は、ｅＮＢ＿Ａ４５、及び又は、ＭＭＥ＿Ａ４０、及び又は、ＳＧＷ＿Ａ３５、及び又は、ＰＧＷ＿Ａ３０は、各識別情報が示す能力を有してもよい。
【０３８７】
また、本実施形態において、第１から第８の識別情報のうちの２つ以上の識別情報を同一の制御メッセージに含めて送信する場合には、各識別情報をそれぞれ含めて送信してもよいし、各識別情報が示す意味を併せ持つ一つの識別情報として制御メッセージにふくめてもよい。
【０３８８】
なお、各識別情報は、フラグ又はパラメータとして構成される情報要素であってよい。
【０３８９】
［１．３．２．ＰＤＮ接続手続き例］
次に、ＰＤＮ接続手続きの例について説明する。なお、ＰＤＮ接続手続きはＵＥ＿Ａ１０が主導して開始する手続きである。なお、ＰＤＮ接続手続きでは、ＵＥ＿Ａ１０が、ＰＤＮ＿Ａ５との間でユーザデータの送受信を行う通信路を確立するための手続きである。言い換えると、ＰＤＮ接続手続きは、ＵＥ＿Ａ１０が、ＰＧＷ＿Ａ３０との間で、ユーザデータの送受信に用いるＰＤＮコネクションを確立するための手続きである。
【０３９０】
なお、ＵＥ＿Ａ１０がＰＤＮ接続手続きは、端末電源投入時など、コアネットワーク＿Ａ９０へ初期接続時に実行するアタッチ手続き内で実行されてもよいし。アタッチ後、任意のタイミングで実行されてもよい。
【０３９１】
ＵＥ＿Ａ１０は、ＰＤＮ接続手続きの完了により、ＰＧＷ＿Ａ３０との間でＰＤＮコネクションを確立する。
【０３９２】
なお、ＵＥ＿Ａ１０、及び又は、コアネットワーク＿Ａ９０は、ＰＤＮ接続手続きを複数回行うことで、複数のＰＤＮコネクションを確立することができる。
【０３９３】
ＵＥ＿Ａ１０、及び又は、コアネットワーク＿Ａ９０は、確立済みのＰＤＮコネクションとは異なるモビリティタイプを示す識別情報を各メッセージに含めてＰＤＮ接続手続きを行うことにより、モビリティタイプが異なるＰＤＮコネクションを新たに確立することができる。なお、確立済みのＰＤＮコネクションとは異なるモビリティタイプを示す識別情報とは、第１から第８の識別情報のいずれであってもよい。
【０３９４】
もしくは、ＰＤＮコネクションの確立毎にモビリティタイプを決定するのではなく、アタッチ手続き時に実行するＰＤＮ接続手続きにおいてモビリティタイプ決定し、その後確立するＰＤＮコネクションはすべて同様のモビリティタイプとしてもよい。
【０３９５】
つまり、アタッチ手続き以降に実行するＰＤＮ接続手続きではモビリティタイプを決定するための各識別情報の送受信、及び各識別情報の送受信に基づく各処理を実行しなくてもよい。言い換えると、ＵＥ＿Ａ１０に対するモビリティタイプをアタッチ手続き内で実行するＰＤＮ接続手続きにおいて決定してもよい。
【０３９６】
次に、ＰＤＮ接続手続き例の詳細を説明する。
【０３９７】
以下、図２３を用いてＰＤＮ接続手続きの手順の例を説明する。
【０３９８】
まず、ＵＥ＿Ａ１０はＰＤＮ接続要求メッセージをＭＭＥ＿Ａ４０に送信する（Ｓ２３０２）。なお、ＵＥ＿Ａ１０はＰＤＮ接続要求メッセージをｅＮＢ＿Ａ４５に送信し、送信されたＰＤＮ接続要求メッセージはｅＮＢ＿Ａ４５を介してＭＭＥ＿Ａ４０に転送されてもよい。
【０３９９】
ＵＥ＿Ａ１０は、すくなくとも第１の識別情報、及び又は、第３の識別情報、及び又は、第５の識別情報、及び又は、第７の識別情報をＰＤＮ接続要求メッセージに含めても良い。ＵＥ＿Ａ１０は、第１の識別情報、及び又は、第３の識別情報、及び又は、第５の識別情報、及び又は、第７の識別情報を含めてＰＤＮ接続要求メッセージを送信することにより、モビリティタイプの変更が可能なＰＤＮコネクションの確立を要求してもよいし、要求するＵＥ＿Ａ１０のモビリティタイプを示してもよい。
【０４００】
例えば、ＵＥ＿Ａ１０は、ＵＥ＿Ａ１０のモビリティタイプとして、第１から第７のタイプのいずれかのタイプ、及び又は、第１から第７のタイプの内任意のものを組合せたタイプのモビリティタイプのＰＤＮコネクション、及び又は、デフォルトベアラの確立を要求してもよい。
【０４０１】
また、ＵＥ＿Ａ１０は、第１から第７のタイプのいずれかのタイプではなくそれ以外のタイプのモビリティタイプのＰＤＮコネクション、及び又は、デフォルトベアラの確立を要求してもよい。
【０４０２】
また、ＵＥ＿Ａ１０はＰＤＮ接続要求メッセージにＡＰＮを含めて送信してもよい。なお、ＵＥ＿Ａ１０は、異なるＡＰＮをＰＤＮ接続要求メッセージに含めることにより、異なるＰＤＮコネクションを確立することを要求してもよい。
【０４０３】
もしくは、ＵＥ＿Ａ１０はアタッチ手続きにおいてＰＤＮ接続手続きを実行する場合、他の方法によりＡＰＮをコアネットワーク＿Ａ９０に通知してもよい。例えば、ＵＥ＿Ａ１０は、ＰＤＮ接続要求メッセージにＡＰＮを含めるのではなく、アタッチ手続き内でＵＥ＿Ａ１０がコアネットワーク＿Ａ９０に送信するその他の制御メッセージに含めてＡＰＮを送信してもよい。
【０４０４】
ＭＭＥ＿Ａ４０は、ＰＤＮ接続要求メッセージを受信する。さらに、ＭＭＥ＿Ａ４０は、ＰＤＮ接続要求メッセージの受信に基づいて、第１の識別情報、及び又は、第３の識別情報、及び又は、第５の識別情報、及び又は、第７の識別情報を取得する。
【０４０５】
ＭＭＥ＿Ａ４０は、ＰＤＮ接続要求メッセージに含まれる情報、及び又は、加入者情報、及び又は、オペレータポリシー、及び又は、ＭＭＥ＿Ａ４０がもつ識別情報に基づいて、ＵＥ＿Ａ１０に対してＰＤＮコネクションの確立、及び又は、ＵＥ＿Ａ１０のモビリティタイプを決定してもよい。
【０４０６】
例えば、ＭＭＥ＿Ａ４０は、第３の識別情報、及び又は、第５の識別情報で示されたモビリティタイプを、ＵＥ＿Ａ１０のモビリティタイプとして決定してもよい。
【０４０７】
また、ＭＭＥ＿Ａ４０は、第３の識別情報、及び又は、第５の識別情報で示されたモビリティタイプではなく、デフォルトのモビリティタイプ、及び又は、加入者情報やオペレータポリシーに基づいたモビリティタイプを、ＵＥ＿Ａ１０のモビリティタイプとして決定してもよい。
【０４０８】
また、ＭＭＥ＿Ａ４０は、第１の識別情報、及び又は、第７の識別情報の受信に基づいて、モビリティタイプの変更が可能なＰＤＮコネクション、及び又は、デフォルトベアラを確立することを決定してもよい。
【０４０９】
なお、ＭＭＥ＿Ａ４０は、ＵＥ＿Ａ１０のモビリティタイプとして、第１から第７のタイプのいずれかのタイプ、及び又は、第１から第７のタイプの内任意のものを組合せたタイプを示してもよい。
【０４１０】
また、ＭＭＥ＿Ａ４０は、ＵＥ＿Ａ１０のモビリティタイプとして、第１から第７のタイプのいずれかのタイプではなくそれ以外のタイプを示してよい。
【０４１１】
なお、ＵＥ＿Ａ１０のモビリティタイプは、確立するＰＤＮコネクションに対応するモビリティタイプであってもよく、デフォルトベアラに対応するモビリティタイプであってもよく、ＥＰＳベアラに対応するモビリティタイプであってもよい。
【０４１２】
また、ＭＭＥ＿Ａ４０は、決定したＵＥ＿Ａ１０のモビリティタイプを、第４の識別情報、及び又は、第６の識別情報に含めて送信してもよい。
【０４１３】
さらに、ＭＭＥ＿Ａ４０は、第４の識別情報、及び又は、第６の識別情報をＴＦＴと対応づけて送信してもよい。
【０４１４】
なお、ＵＥ＿Ａ１０のモビリティタイプの決定は、上記に限らない。
【０４１５】
ＭＭＥ＿Ａ４０は、ＰＤＮ接続要求メッセージの受信、及び又は、モビリティタイプの決定に基づいて、ＳＧＷ＿Ａ３５にセッション生成要求メッセージを送信する（Ｓ２３０４）。
【０４１６】
ＭＭＥ＿Ａ４０は、すくなくとも第１の識別情報、及び又は、第３の識別情報、及び又は、第５の識別情報、及び又は、第７の識別情報、及び又は、第４の識別情報、及び又は、第６の識別情報をセッション生成要求メッセージに含めて送信してもよい。
【０４１７】
ここで、上記の説明では、ＭＭＥ＿Ａ４０がモビリティタイプを決定すると説明したが、ＭＭＥ＿Ａ４０ではなく、ＰＧＷ＿Ａ３０がＵＥ＿Ａ１０のモビリティタイプを決定してもよい。その場合、ＭＭＥ＿Ａ４０は第４の識別情報、及び又は、第６の識別情報を含めずにセッション生成要求メッセージを送信してもよい。
【０４１８】
ＳＧＷ＿Ａ３５は、セッション生成要求メッセージを受信する。さらに、ＳＧＷ＿Ａ３５は、セッション生成要求メッセージの受信に基づいて、第１の識別情報、及び又は、第３の識別情報、及び又は、第５の識別情報、及び又は、第７の識別情報、及び又は、第４の識別情報、及び又は、第６の識別情報を取得する。
【０４１９】
ＳＧＷ＿Ａ３５は、セッション生成要求メッセージの受信に基づいて、ＰＧＷ＿Ａ３０にセッション生成要求メッセージを送信する（Ｓ２３０６）。
【０４２０】
ＳＧＷ＿Ａ３５は、すくなくとも第１の識別情報、及び又は、第３の識別情報、及び又は、第５の識別情報、及び又は、第７の識別情報、及び又は、第４の識別情報、及び又は、第６の識別情報をセッション生成要求メッセージに含めて送信してもよい。
【０４２１】
ＰＧＷ＿Ａ３０は、セッション生成要求メッセージを受信する。さらに、ＰＧＷ＿Ａ３
０は、セッション生成要求メッセージの受信に基づいて、第１の識別情報、及び又は、第３の識別情報、及び又は、第５の識別情報、及び又は、第７の識別情報、及び又は、第４の識別情報、及び又は、第６の識別情報を取得する。
【０４２２】
ＰＧＷ＿Ａ３０は、セッション生成要求メッセージに含まれる情報、及び又は、加入者情報、及び又は、オペレータポリシー、及び又は、ＰＧＷ＿Ａ３０がもつ識別情報に基づいて、ＵＥ＿Ａ１０に対してモビリティタイプを決定してもよい。
【０４２３】
例えば、ＰＧＷ＿Ａ３０は、第３の識別情報、及び又は、第５の識別情報で示されたモビリティタイプを、ＵＥ＿Ａ１０のモビリティタイプとして決定してもよい。
【０４２４】
また、ＰＧＷ＿Ａ３０は、第３の識別情報、及び又は、第５の識別情報で示されたモビリティタイプではなく、デフォルトのモビリティタイプ、及び又は、加入者情報やオペレータポリシーに基づいたモビリティタイプを、ＵＥ＿Ａ１０のモビリティタイプとして決定してもよい。
【０４２５】
また、ＰＧＷ＿Ａ３０は、第１の識別情報、及び又は、第７の識別情報の受信に基づいて、モビリティタイプの変更が可能なＰＤＮコネクション、及び又は、デフォルトベアラを確立することを決定してもよい。
【０４２６】
なお、ＰＧＷ＿Ａ３０は、ＵＥ＿Ａ１０のモビリティタイプとして、第１から第７のタイプのいずれかのタイプ、及び又は、第１から第７のタイプの内任意のものを組合せたタイプを示してもよい。
【０４２７】
また、ＰＧＷ＿Ａ３０は、ＵＥ＿Ａ１０のモビリティタイプとして、第１から第７のタイプのいずれかのタイプではなくそれ以外のタイプを示してよい。
【０４２８】
なお、ＵＥ＿Ａ１０のモビリティタイプは、確立するＰＤＮコネクションに対応するモビリティタイプであってもよく、デフォルトベアラに対応するモビリティタイプであってもよく、ＥＰＳベアラに対応するモビリティタイプであってもよい。
【０４２９】
また、ＰＧＷ＿Ａ３０は、決定したＵＥ＿Ａ１０のモビリティタイプを、第４の識別情報、及び又は、第６の識別情報に含めて送信してもよい。
【０４３０】
さらに、ＰＧＷ＿Ａ３０は、第４の識別情報、及び又は、第６の識別情報をＴＦＴと対応づけて送信してもよい。
【０４３１】
なお、ＵＥ＿Ａ１０のモビリティタイプの決定は、上記に限らない。
【０４３２】
ここで、上記の説明では、ＰＧＷ＿Ａ３０がＵＥ＿Ａ１０のモビリティタイプを決定する場合について説明したが、ＭＭＥ＿Ａ４０が、ＵＥ＿Ａ１０のモビリティタイプを決定した場合、ＰＧＷ＿Ａ３０はＵＥ＿Ａ１０のモビリティタイプを決定しなくもよい。
【０４３３】
言い換えると、ＰＧＷ＿Ａ３０は、第４の識別情報、及び又は、第６の識別情報を受信した場合、ＵＥ＿Ａ１０のモビリティタイプを決定しなくてもよい。
【０４３４】
ＰＧＷ＿Ａ３０は、セッション生成要求メッセージの受信、及び又は、モビリティタイプの決定に基づいて、ＳＧＷ＿Ａ３５にセッション生成応答メッセージを送信する（Ｓ２３１０）。
【０４３５】
ＰＧＷ＿Ａ３０は、すくなくとも第２の識別情報、及び又は、第４の識別情報、及び又は、第６の識別情報、及び又は、第８の識別情報をセッション生成応答メッセージに含めても良い。
【０４３６】
なお、セッション生成応答メッセージは、セッション生成要求メッセージに対応する応答メッセージであってもよい。
【０４３７】
ＳＧＷ＿Ａ３５は、セッション生成応答メッセージを受信する。さらに、ＳＧＷ＿Ａ３５は、セッション生成応答メッセージの受信に基づいて、第２の識別情報、及び又は、第４の識別情報、及び又は、第６の識別情報、及び又は、第８の識別情報を取得する。
【０４３８】
ＳＧＷ＿Ａ３５は、セッション生成応答メッセージの受信に基づいて、ＭＭＥ＿Ａ４０にセッション生成応答メッセージを送信する（Ｓ２３１２）。
【０４３９】
ＳＧＷ＿Ａ３５は、すくなくとも第２の識別情報、及び又は、第４の識別情報、及び又は、第６の識別情報、及び又は、第８の識別情報をセッション生成応答メッセージに含めても良い。
【０４４０】
ＭＭＥ＿Ａ４０は、セッション生成応答メッセージを受信する。さらに、ＭＭＥ＿Ａ４０は、セッション生成応答メッセージの受信に基づいて、第２の識別情報、及び又は、第４の識別情報、及び又は、第６の識別情報、及び又は、第８の識別情報を取得する。
【０４４１】
ＭＭＥ＿Ａ４０は、セッション生成応答メッセージの受信に基づいて、ｅＮＢ＿Ａ４５にデフォルトＥＰＳベアラコンテキストアクティブ化要求メッセージを送信する（Ｓ２３１４）。
【０４４２】
ＭＭＥ＿Ａ４０は、すくなくとも第２の識別情報、及び又は、第４の識別情報、及び又は、第６の識別情報、及び又は、第８の識別情報をデフォルトＥＰＳベアラコンテキストアクティブ化要求メッセージに含めても良い。
【０４４３】
なお、デフォルトＥＰＳベアラコンテキストアクティブ化要求メッセージは、ＰＤＮ接続要求メッセージに対する応答メッセージであってよい。
【０４４４】
また、ＭＭＥ＿Ａ４０はデフォルトＥＰＳベアラコンテキストアクティブ化要求メッセージにＡＰＮ、及び又は、ＰＤＮアドレス、及び又は、ＥＰＳベアラＩＤを含めて送信してもよい。
【０４４５】
なお、ＭＭＥ＿Ａ４０は、ＡＰＮ、及び又は、ＰＤＮアドレス、及び又は、ＥＰＳベアラＩＤをデフォルトＥＰＳベアラコンテキストアクティブ化要求メッセージに含めることにより、確立するＰＤＮコネクション、及び又は、デフォルトベアラを識別してもよい。例えば、ＭＭＥ＿Ａ４０は、異なるＡＰＮ、及び又は、異なるＰＤＮアドレス、及び又は、異なるＥＰＳベアラＩＤをデフォルトＥＰＳベアラコンテキストアクティブ化要求メッセージに含めることにより、異なるＰＤＮコネクションを確立することを示してもしてもよい。
【０４４６】
また、ＭＭＥ＿Ａ４０は、送信したＡＰＮ、及び又は、ＰＤＮアドレス、及び又は、ＥＰＳベアラＩＤをＭＭＥコンテキストに記憶してもよい。
【０４４７】
また、ＭＭＥ＿Ａ４０は、送信した各識別情報が示す情報を、送信したＡＰＮ、及び又は、ＰＤＮアドレス、及び又は、ＥＰＳベアラＩＤと対応づけて記憶してもよい。
【０４４８】
ｅＮＢ＿Ａ４５は、デフォルトＥＰＳベアラコンテキストアクティブ化要求メッセージを受信し、デフォルトＥＰＳベアラコンテキストアクティブ化要求メッセージを含めたＲＲＣメッセージをＵＥ＿Ａ１０に送信する（Ｓ２３１６）。なお、ＲＲＣメッセージは、ＲＲＣコネクション再設定要求メッセージであって良い。
【０４４９】
ＵＥ＿Ａ１０は、デフォルトＥＰＳベアラコンテキストアクティブ化要求メッセージを含むＲＲＣメッセージを受信する。さらに、第２の識別情報、及び又は、第４の識別情報、及び又は、第６の識別情報、及び又は、第８の識別情報がデフォルトＥＰＳベアラコンテキストアクティブ化要求メッセージに含まれている場合には、ＵＥ＿Ａ１０は各識別情報を取得する。
【０４５０】
また、ＵＥ＿Ａ１０は、デフォルトＥＰＳベアラコンテキストアクティブ化要求メッセージの受信に基づいて、ＡＰＮ、及び又は、ＰＤＮアドレス、及び又は、ＥＰＳベアラＩＤを受信してもよい。
【０４５１】
なお、ＵＥ＿Ａ１０は、受信するＡＰＮ、及び又は、ＰＤＮアドレス、及び又は、ＥＰＳベアラＩＤに基づいて、確立するＰＤＮコネクション、及び又は、デフォルトベアラを識別してもよい。例えば、ＵＥ＿Ａ１０は、異なるＡＰＮ、及び又は、異なるＰＤＮアドレス、及び又は、異なるＥＰＳベアラＩＤを受信することに基づいて、異なるＰＤＮコネクション、及び又は、デフォルトベアラを確立することを認識してもよい。
【０４５２】
また、ＵＥ＿Ａ１０は、受信したＡＰＮ、及び又は、ＰＤＮアドレス、及び又は、ＥＰＳベアラＩＤをＵＥコンテキストに記憶してもよい。
【０４５３】
また、ＵＥ＿Ａ１０は、受信した各識別情報が示す情報を、受信したＡＰＮ、及び又は、ＰＤＮアドレス、及び又は、ＥＰＳベアラＩＤと対応づけて記憶してもよい。
【０４５４】
ＵＥ＿Ａ１０は、デフォルトＥＰＳベアラコンテキストアクティブ化要求メッセージの受信、及び又は、デフォルトＥＰＳベアラコンテキストアクティブ化要求メッセージに含まれる情報に基づいて、モビリティタイプの変更が可能なＰＤＮコネクション、及び又は、デフォルトベアラの確立、及び又は、決定されたＵＥ＿Ａ１０のモビリティタイプを認識してもよい。
【０４５５】
より詳細には、ＵＥ＿Ａ１０は、第２の識別情報、及び又は、第８の識別情報の受信に基づいて、モビリティタイプの変更が可能なＰＤＮコネクション、及び又は、デフォルトベアラが確立されたことを認識してもよい。
【０４５６】
また、ＵＥ＿Ａ１０は、受信した第４の識別情報、及び又は、第６の識別情報が示すモビリティタイプをＵＥ＿Ａ１０のモビリティタイプとして認識してもよい。
【０４５７】
また、受信したＲＲＣメッセージに応答するために、ＵＥ＿Ａ１０はＲＲＣメッセージをｅＮＢ＿Ａ４５に送信する（Ｓ２３１８）。ＲＲＣメッセージは、ＲＲＣコネクション再設定完了メッセージであってよい。
【０４５８】
ｅＮＢ＿Ａ４５は、ＲＲＣコネクション再設定メッセージを受信し、受信に基づいてベアラ設定メッセージをＭＭＥ＿Ａ４０に送信する（Ｓ２３２０）。
【０４５９】
また、ＵＥ＿Ａ１０は、デフォルトＥＰＳベアラコンテキストアクティブ化要求メッセージの受信に基づいて、デフォルトＥＰＳベアラコンテキストアクティブ化受諾メッセー
ジを含むＲＲＣメッセージをｅＮＢ＿Ａ４５に送信する（Ｓ２３２２）。ここで、デフォルトＥＰＳベアラコンテキストアクティブ化受諾メッセージは、デフォルトＥＰＳベアラコンテキストアクティブ化要求メッセージに対する応答メッセージであってよい。
【０４６０】
なお、デフォルトＥＰＳベアラコンテキストアクティブ化受諾メッセージを含めて送信するＲＲＣメッセージは、Ｄｉｒｅｃｔ  Ｔｒａｎｓｆｅｒメッセージであってよい。
【０４６１】
ｅＮＢ＿４５は、デフォルトＥＰＳベアラコンテキストアクティブ化受諾メッセージが含まれるＲＲＣメッセージを受信し、デフォルトＥＰＳベアラコンテキストアクティブ化受諾メッセージをＭＭＥ＿Ａ４０に送信する（Ｓ２３２４）。
【０４６２】
ＭＭＥ＿Ａ４０は、デフォルトＥＰＳベアラコンテキストアクティブ化受諾メッセージを受信する。
【０４６３】
ＭＭＥ＿Ａ４０は、デフォルトＥＰＳベアラコンテキストアクティブ化受諾メッセージの受信に基づいて、ＳＧＷ＿Ａ３５にベアラ変更要求メッセージを送信してもよい（Ｓ２３２６）。
【０４６４】
ＳＧＷ＿Ａ３５は、ベアラ変更要求メッセージを受信する。
【０４６５】
ＳＧＷ＿Ａ３５は、ベアラ変更要求メッセージの受信に基づいて、ＭＭＥ＿Ａ４０にベアラ変更応答メッセージを送信する（Ｓ３２２８）。
【０４６６】
なお、ベアラ変更応答メッセージは、ベアラ変更要求メッセージに対する応答メッセージであってよい。
【０４６７】
ＭＭＥ＿Ａ４０は、ベアラ変更応答メッセージを受信する。
【０４６８】
以上の手順により、ＵＥ＿Ａ１０はネットワークへ接続し、ＰＤＮ接続手続きを完了する。ＰＤＮ接続手続きの完了に伴い、ＵＥ＿Ａ１０、及び又は、コアネットワーク＿Ａ９０は、ＰＤＮコネクション、及び又は、デフォルトベアラを確立する。また、ＵＥ＿Ａ１０、及び又は、コアネットワーク＿Ａ９０は、ＰＤＮ接続手続きの完了に伴い、ＥＰＳベアラを確立してもよい。
【０４６９】
言い換えると、ＵＥ＿Ａ１０、及び又は、コアネットワーク＿Ａ９０は、デフォルトＥＰＳベアラコンテキストアクティブ化要求メッセージ、及び又は、デフォルトＥＰＳベアラコンテキストアクティブ化受諾メッセージの送受信に基づいて、ＰＤＮコネクション、及び又は、デフォルトベアラを確立する。
【０４７０】
また、ＰＤＮ接続手続きの完了に伴い、ＵＥ＿Ａ１０、及び又は、コアネットワーク＿Ａ９０は確立したＰＤＮコネクション、及び又は、デフォルトベアラに対応するＵＥ＿Ａ１０のモビリティタイプ、及び又は、ＥＰＳベアラに対応するＵＥ＿Ａ１０のモビリティタイプを決定してもよい。
【０４７１】
なお、ＵＥ＿Ａ１０は、ＰＤＮ接続手続きにより、図２１で説明したＵＥコンテキストをコアネットワーク＿Ａ９０から取得し、記憶することができる。
【０４７２】
より詳細には、ＵＥ＿Ａ１０は、ＰＤＮ接続手続きにより、選択されたＵＥ＿Ａ１０のモビリティタイプをコアネットワーク＿Ａ９０から取得し、ＰＤＮコネクションごとのＵＥコンテキスト、及び又は、ベアラごとのＵＥコンテキストに記憶することができる。
【０４７３】
言い換えると、ＵＥ＿Ａ１０は、デフォルトＥＰＳベアラコンテキストアクティブ化要求メッセージの受信、及び又は、デフォルトＥＰＳベアラコンテキストアクティブ化受諾メッセージの送信に基づいて、確立するＰＤＮコネクション、及び又は、デフォルトベアラ、及び又は、ＥＰＳベアラに対応づけて選択されたＵＥ＿Ａ１０のモビリティタイプ、及び又は、モビリティタイプに関する情報を記憶することができる。
【０４７４】
より詳細には、ＵＥ＿Ａ１０は、デフォルトＥＰＳベアラコンテキストアクティブ化要求メッセージの受信、及び又は、デフォルトＥＰＳベアラコンテキストアクティブ化受諾メッセージの受信に基づいて、選択されたＵＥ＿Ａ１０のモビリティタイプ、及び又は、モビリティタイプに関する情報をＰＤＮコネクションごとのＵＥコンテキスト、及び又は、ベアラごとのＵＥコンテキストに記憶することができる。
【０４７５】
なお、モビリティタイプに関する情報とは、第２の識別情報、及び又は、第４の識別情報、及び又は、第６の識別情報、及び又は、第８の識別情報であってもよい。
【０４７６】
また、ＭＭＥ＿Ａ４０は、ＰＤＮ接続手続きにより、選択されたＵＥ＿Ａ１０のモビリティタイプをＰＤＮコネクションごとのＭＭＥコンテキスト、及び又は、ＥＰＳベアラごとのＭＭＥコンテキストに記憶することができる。
【０４７７】
言い換えると、ＭＭＥ＿Ａ４０は、デフォルトＥＰＳベアラコンテキストアクティブ化要求メッセージの受信、及び又は、デフォルトＥＰＳベアラコンテキストアクティブ化受諾メッセージの受信に基づいて、確立するＰＤＮコネクション、及び又は、デフォルトベアラに対応づけて選択されたＵＥ＿Ａ１０のモビリティタイプ、及び又は、モビリティタイプに関する情報を記憶することができる。
【０４７８】
より詳細には、ＭＭＥ＿Ａ４０は、デフォルトＥＰＳベアラコンテキストアクティブ化要求メッセージの受信、及び又は、デフォルトＥＰＳベアラコンテキストアクティブ化受諾メッセージの受信に基づいて、選択されたＵＥ＿Ａ１０のモビリティタイプ、及び又は、モビリティタイプに関する情報をＰＤＮコネクションごとのＭＭＥコンテキスト、及び又は、ＥＰＳベアラごとのＭＭＥコンテキストに記憶することができる。
【０４７９】
また、ＳＧＷ＿Ａ３５、及び又は、ＰＧＷ＿Ａ３０は、ＰＤＮ接続手続きにより、選択されたＵＥ＿Ａ１０のモビリティタイプをＰＤＮコネクションごとのＥＰＳベアラコンテキスト、及び又は、ＥＰＳベアラごとのＥＰＳベアラコンテキストに記憶することができる。
【０４８０】
なお、ＵＥ＿Ａ１０は上述したＰＤＮ接続手続きを複数回実行して複数のＰＤＮコネクションを確立してもよい。その際、ＰＤＮコネクション手続きにおいて決定され、送受信される各識別情報は、ＰＤＮ接続手続き毎に異なる識別情報であってよい。
【０４８１】
例えば、ＡＰＮ、ＩＰアドレス、ベアラＩＤは、ＰＤＮ接続毎に異なる情報であってよい。さらに、第1から第１０の識別情報の一部又はすべてはＰＤＮ接続毎に異なる情報であってよい。
【０４８２】
上記したＰＤＮ接続により、ＵＥ＿Ａ１０に対するモビリティタイプ、もしくはＵＥ＿Ａ１０が確立するＰＤＮコネクションに対するモビリティタイプを決定することができる。
【０４８３】
［１．３．２．１．ＰＤＮ接続手続きの変形例］
上述したＰＤＮ接続手続き例におけるコアネットワーク＿Ａ９０は、図２を用いて説明したＭＭＥ＿Ａ４０、ＳＧＷ＿Ａ３５、ＰＧＷ＿Ａ３０を含む構成のコアネットワークの場合のＰＤＮ接続手続きを説明したが、コアネットワーク＿Ａ９０はこれらとは異なる別の制御装置を含んで構成されるものであってもよい。
【０４８４】
その場合、本手続きで説明したＵＥ＿Ａ１０が送信するＰＤＮ接続要求メッセージやデフォルトＥＰＳベアラコンテキストアクティブ化受諾メッセージなどのＮＡＳメッセージは、ＭＭＥ＿Ａ４０ではなく、コアネットワーク＿Ａ９０内の制御装置が受信する。
【０４８５】
したがって、これまで説明したＭＭＥ＿Ａ４０のＮＡＳメッセージの受信および処理は、コアネットワーク＿Ａ９０内の制御装置が行うものとして置き換えることができる。
【０４８６】
さらに、これまで説明したＭＭＥ＿Ａ４０のデフォルトＥＰＳベアラコンテキストアクティブ化要求メッセージなどのＮＡＳメッセージの送信および処理は、コアネットワーク＿Ａ９０内の制御装置が行うものとして置き換えることができる。
【０４８７】
［１．３．３．モビリティタイプ変更手続き例］
まず、モビリティタイプ変更手続きの例について説明する。なお、モビリティタイプ変更手続きはＵＥ＿Ａ１０、及び又は、コアネットワーク＿Ａ９０が主導して開始する手続きである。言い換えると、モビリティタイプ変更手続きには、ＵＥ＿Ａ１０が主導して開始する手続きと、ＭＭＥ＿Ａ４０、及び又は、ＰＧＷ＿Ａ３０が主導して開始する手続きがある。
【０４８８】
なお、モビリティタイプ変更手続きは、ＵＥ＿Ａ１０、及び又は、ＭＭＥ＿Ａ４０、及び又は、ＰＧＷ＿Ａ３０が、ＵＥ＿Ａ１０のモビリティタイプを変更するための手続きである。
【０４８９】
なお、ＵＥ＿Ａ１０、及び又は、ＭＭＥ＿Ａ４０、及び又は、ＰＧＷ＿Ａ３０がモビリティタイプ変更手続きを開始は、アタッチ手続き、及び又は、ＰＤＮ接続手続きの完了時であってよい。また、これに関わらず、ＵＥ＿Ａ１０、及び又は、ＭＭＥ＿Ａ４０、及び又は、ＰＧＷ＿Ａ３０は、ＵＥ＿Ａ１０がコアネットワーク＿Ａ９０に接続している状態であれば任意のタイミングでモビリティタイプ変更手続きを開始してもよい。
【０４９０】
なお、モビリティタイプ変更手続きを開始するトリガは、ＵＥ＿Ａ１０の操作であってもよいし、オペレータポリシーであってもよいし、加入者情報であってもよい。
【０４９１】
より詳細には、ＵＥ＿Ａ１０主導のモビリティタイプ変更手続きを開始するトリガは、ＵＥ＿Ａ１０の操作に基づくものであってもよい。
【０４９２】
また、コアネットワーク＿Ａ９０主導のモビリティタイプ変更手続きを開始するトリガは、ＵＥ＿Ａ１０が送信するベアラリソース変更要求メッセージの受信に基づくものではなく、オペレータのネットワークポリシーや加入者情報に基づくものであってもよい。
【０４９３】
ＵＥ＿Ａ１０、及び又は、ＭＭＥ＿Ａ４０、及び又は、ＰＧＷ＿Ａ３０は、モビリティタイプ変更手続きの完了により、新たなモビリティタイプに基づくハンドオーバーが可能になる。
【０４９４】
なお以下では、ＵＥ＿Ａ１０主導のモビリティタイプ変更手続きの詳細を、第１のモビリティタイプ変更手続き例として説明する。更に、コアネットワーク＿Ａ９０主導のモビリティタイプ変更手続きの詳細を第２のモビリティタイプ変更手続き例として説明する。
【０４９５】
［１．３．３．１．第１のモビリティタイプ変更手続き例］
第１のモビリティタイプ変更手続きは、ＵＥ＿Ａ１０主導のモビリティタイプ変更手続きである。
【０４９６】
以下、図２４を用いて第１のモビリティタイプ変更手続きの手順の例を説明する。
【０４９７】
まず、ＵＥ＿Ａ１０はベアラリソース変更要求メッセージをＭＭＥ＿Ａ４０に送信する（Ｓ２４０２）。なお、ＵＥ＿Ａ１０はベアラリソース変更要求メッセージをｅＮＢ＿Ａ４５に送信し、送信されたベアラリソース変更要求メッセージはｅＮＢ＿Ａ４５を介してＭＭＥ＿Ａ４０に転送されてもよい。
【０４９８】
ＵＥ＿Ａ１０は、すくなくとも第９の識別情報をベアラリソース変更要求メッセージに含めても良い。ＵＥ＿Ａ１０は、第９の識別情報を含めてベアラリソース変更要求メッセージを送信することにより、ＵＥ＿Ａ１０のモビリティタイプの変更を要求してもよいし、要求する変更後のＵＥ＿Ａ１０のモビリティタイプを要求してもよい。
【０４９９】
なお、第９の識別情報は、ＵＥ＿Ａ１０がコアネットワーク＿Ａ９０から取得した第２の識別情報、及び又は、第４の識別情報、及び又は、第６の識別情報が示すモビリティタイプとは異なるモビリティタイプを示す情報であってよい。
【０５００】
例えば、ＵＥ＿Ａ１０は、ＵＥ＿Ａ１０のモビリティタイプを、第１から第７のタイプのいずれかのタイプ、及び又は、第１から第７のタイプの内任意のものを組合せたタイプへ変更することを要求してもよいし、第１から第７のタイプのいずれかのタイプではなくそれ以外のタイプへ変更することを要求してもよい。
【０５０１】
ＭＭＥ＿Ａ４０は、ベアラリソース変更要求メッセージを受信する。さらに、ＭＭＥ＿Ａ４０は、ベアラリソース変更要求メッセージの受信に基づいて、第９の識別情報を取得する。
【０５０２】
ＭＭＥ＿Ａ４０は、ベアラリソース変更要求メッセージに含まれる情報、及び又は、加入者情報、及び又は、オペレータポリシー、及び又は、ＭＭＥ＿Ａ４０がもつ識別情報に基づいて、ＵＥ＿Ａ１０に対してモビリティタイプの変更、及び又は、変更後のＵＥ＿Ａ１０のモビリティタイプを決定してもよい。
【０５０３】
例えば、ＭＭＥ＿Ａ４０は、第９の識別情報で示されたモビリティタイプを、変更後のＵＥ＿Ａ１０のモビリティタイプとして決定してもよい。
【０５０４】
また、ＭＭＥ＿Ａ４０は、第９の識別情報で示されたモビリティタイプではなく、デフォルトのモビリティタイプ、及び又は、加入者情報やオペレータポリシーに基づいたモビリティタイプを、変更後のＵＥ＿Ａ１０のモビリティタイプとして決定してもよい。
【０５０５】
なお、ＭＭＥ＿Ａ４０は、ＵＥ＿Ａ１０のモビリティタイプとして、第１から第７のタイプのいずれかのタイプ、及び又は、第１から第７のタイプの内任意のものを組合せたタイプを示してもよい。
【０５０６】
また、ＭＭＥ＿Ａ４０は、ＵＥ＿Ａ１０のモビリティタイプとして、第１から第７のタイプのいずれかのタイプではなくそれ以外のタイプを示してよい。
【０５０７】
なお、ＵＥ＿Ａ１０のモビリティタイプは、ＰＤＮコネクションに対応するモビリティ
タイプであってもよく、デフォルトベアラに対応するモビリティタイプであってもよく、ＥＰＳベアラに対応するモビリティタイプであってもよい。
【０５０８】
また、ＭＭＥ＿Ａ４０は、変更後のＵＥ＿Ａ１０のモビリティタイプを、第１０の識別情報に含めて送信してもよい。
【０５０９】
なお、ＵＥ＿Ａ１０のモビリティタイプの変更方法は、上記に限らない。
【０５１０】
ＭＭＥ＿Ａ４０は、ベアラリソース変更要求メッセージの受信、及び又は、モビリティタイプの決定に基づいて、ＳＧＷ＿Ａ３５にベアラリソースコマンドメッセージを送信する（Ｓ２４０４）。
【０５１１】
ＭＭＥ＿Ａ４０は、すくなくとも第９の識別情報、及び又は、第１０の識別情報をベアラリソースコマンドメッセージに含めて送信してもよい。
【０５１２】
ここで、上記の説明では、ＭＭＥ＿Ａ４０が、ＵＥ＿Ａ１０のモビリティタイプの変更を決定すると説明したが、ＭＭＥ＿Ａ４０ではなく、ＰＧＷ＿Ａ３０がＵＥ＿Ａ１０のモビリティタイプの変更を決定してもよい。その場合、ＭＭＥ＿Ａ４０は第１０の識別情報を含めずにベアラリソースコマンドメッセージを送信してもよい。
【０５１３】
ＳＧＷ＿Ａ３５は、ベアラリソースコマンドメッセージを受信する。さらに、ＳＧＷ＿Ａ３５は、ベアラリソースコマンドメッセージの受信に基づいて、第９の識別情報、及び又は、第１０の識別情報を取得する。
【０５１４】
ＳＧＷ＿Ａ３５は、ベアラリソースコマンドメッセージの受信に基づいて、ＰＧＷ＿Ａ３０にベアラリソースコマンドメッセージを送信する（Ｓ２４０６）。
【０５１５】
ＳＧＷ＿Ａ３５は、すくなくとも第９の識別情報、及び又は、第１０の識別情報をベアラリソースコマンドメッセージに含めて送信してもよい。
【０５１６】
ＰＧＷ＿Ａ３０は、ベアラリソースコマンドメッセージを受信する。さらに、ＰＧＷ＿Ａ３０は、ベアラリソースコマンドメッセージの受信に基づいて、第９の識別情報、及び又は、第１０の識別情報を取得する。
【０５１７】
ＰＧＷ＿Ａ３０は、ベアラリソースコマンドメッセージに含まれる情報、及び又は、加入者情報、及び又は、オペレータポリシー、及び又は、ＰＧＷ＿Ａ３０がもつ識別情報に基づいて、ＵＥ＿Ａ１０に対してモビリティタイプの変更、及び又は、変更後のＵＥ＿Ａ１０のモビリティタイプを決定してもよい。
【０５１８】
例えば、ＰＧＷ＿Ａ３０は、第９の識別情報で示されたモビリティタイプを、変更後のＵＥ＿Ａ１０のモビリティタイプとして決定してもよい。
【０５１９】
また、ＰＧＷ＿Ａ３０は、第９の識別情報で示されたモビリティタイプではなく、デフォルトのモビリティタイプ、及び又は、加入者情報やオペレータポリシーに基づいたモビリティタイプを、変更後のＵＥ＿Ａ１０のモビリティタイプとして決定してもよい。
【０５２０】
なお、ＰＧＷ＿Ａ３０は、ＵＥ＿Ａ１０のモビリティタイプとして、第１から第７のタイプのいずれかのタイプ、及び又は、第１から第７のタイプの内任意のものを組合せたタイプを示してもよい。
【０５２１】
また、ＰＧＷ＿Ａ３０は、ＵＥ＿Ａ１０のモビリティタイプとして、第１から第７のタイプのいずれかのタイプではなくそれ以外のタイプを示してよい。
【０５２２】
なお、ＵＥ＿Ａ１０のモビリティタイプは、ＰＤＮコネクションに対応するモビリティタイプであってもよく、デフォルトベアラに対応するモビリティタイプであってもよく、ＥＰＳベアラに対応するモビリティタイプであってもよい。
【０５２３】
また、ＰＧＷ＿Ａ３０は、変更後のＵＥ＿Ａ１０のモビリティタイプを、第１０の識別情報に含めて送信してもよい。
【０５２４】
なお、ＵＥ＿Ａ１０のモビリティタイプの変更方法は、上記に限らない。
【０５２５】
ここで、上記の説明では、ＰＧＷ＿Ａ３０が、ＵＥ＿Ａ１０のモビリティタイプの変更を決定する場合について説明したが、ＭＭＥ＿Ａ４０が、ＵＥ＿Ａ１０のモビリティタイプの変更を決定した場合、ＰＧＷ＿Ａ３０はＵＥ＿Ａ１０のモビリティタイプの変更を決定しなくもよい。
【０５２６】
言い換えると、ＰＧＷ＿Ａ３０は、第１０の識別情報を受信した場合、ＵＥ＿Ａ１０のモビリティタイプの変更を決定しなくてもよい。
【０５２７】
ＰＧＷ＿Ａ３０は、ベアラリソースコマンドメッセージの受信、及び又は、モビリティタイプの決定に基づいて、ＳＧＷ＿Ａ３５にベアラ更新要求メッセージを送信する（Ｓ２４１０）。
【０５２８】
ＰＧＷ＿Ａ３０は、すくなくとも第１０の識別情報をベアラ更新要求メッセージに含めても良い。
【０５２９】
なお、ベアラ更新要求メッセージは、ベアラリソースコマンドメッセージに対応する応答メッセージであってもよい。
【０５３０】
ＳＧＷ＿Ａ３５は、ベアラ更新要求メッセージを受信する。さらに、ＳＧＷ＿Ａ３５は、ベアラ更新要求メッセージの受信に基づいて、第１０の識別情報を取得する。
【０５３１】
ＳＧＷ＿Ａ３５は、ベアラ更新要求メッセージの受信に基づいて、ＭＭＥ＿Ａ４０にベアラ更新要求メッセージを送信する（Ｓ２４１２）。
【０５３２】
ＳＧＷ＿Ａ３５は、すくなくとも第１０の識別情報をベアラ更新要求メッセージに含めても良い。
【０５３３】
ＭＭＥ＿Ａ４０は、ベアラ更新要求メッセージを受信する。さらに、ＭＭＥ＿Ａ４０は、ベアラ更新要求メッセージの受信に基づいて、第１０の識別情報を取得する。
【０５３４】
ＭＭＥ＿Ａ４０は、ベアラ更新要求メッセージの受信に基づいて、ｅＮＢ＿Ａ４５にＥＰＳベアラコンテキスト変更要求メッセージを送信する（Ｓ２４１４）。
【０５３５】
ＭＭＥ＿Ａ４０は、すくなくとも第１０の識別情報をＥＰＳベアラコンテキスト変更要求メッセージに含めても良い。
【０５３６】
なお、ＥＰＳベアラコンテキスト変更要求メッセージは、ベアラリソース変更要求メッセージに対する応答メッセージであってよい。
【０５３７】
ｅＮＢ＿Ａ４５は、ＥＰＳベアラコンテキスト変更要求メッセージを受信し、ＥＰＳベアラコンテキスト変更要求メッセージを含めたＲＲＣメッセージをＵＥ＿Ａ１０に送信する（Ｓ２４１６）。なお、ＲＲＣメッセージは、ＲＲＣコネクション再設定要求メッセージであって良い。
【０５３８】
ＵＥ＿Ａ１０は、ＥＰＳベアラコンテキスト変更要求メッセージを含むＲＲＣメッセージを受信する。さらに、第１０の識別情報がＥＰＳベアラコンテキスト変更要求メッセージに含まれている場合には、ＵＥ＿Ａ１０は各識別情報を取得する。
【０５３９】
ＵＥ＿Ａ１０は、ＥＰＳベアラコンテキスト変更要求メッセージの受信、及び又は、ＥＰＳベアラコンテキスト変更要求メッセージに含まれる情報に基づいて、ＵＥ＿Ａ１０のモビリティタイプの変更の承認、及び又は、変更後のＵＥ＿Ａ１０のモビリティタイプを認識してもよい。
【０５４０】
より詳細には、ＵＥ＿Ａ１０は、第１０の識別情報の受信に基づいて、ＵＥ＿Ａ１０のモビリティタイプの変更が承認されたことを認識してもよい。
【０５４１】
また、ＵＥ＿Ａ１０は、受信した第１０の識別情報が示すモビリティタイプを変更後のＵＥ＿Ａ１０のモビリティタイプとして認識してもよい。
【０５４２】
また、受信したＲＲＣメッセージに応答するために、ＵＥ＿Ａ１０はＲＲＣメッセージをｅＮＢ＿Ａ４５に送信する（Ｓ２４１８）。ＲＲＣメッセージは、ＲＲＣコネクション再設定完了メッセージであってよい。
【０５４３】
ｅＮＢ＿Ａ４５は、ＲＲＣコネクション再設定メッセージを受信し、受信に基づいてベアラ設定メッセージをＭＭＥ＿Ａ４０に送信する（Ｓ２４２０）。
【０５４４】
また、ＵＥ＿Ａ１０は、ＥＰＳベアラコンテキスト変更要求メッセージの受信に基づいて、ＥＰＳベアラコンテキスト変更受諾メッセージを含むＲＲＣメッセージをｅＮＢ＿Ａ４５に送信する（Ｓ２４２２）。ここで、ＥＰＳベアラコンテキスト変更受諾メッセージは、ＥＰＳベアラコンテキスト変更要求メッセージに対する応答メッセージであってよい。
【０５４５】
なお、ＥＰＳベアラコンテキスト変更受諾メッセージを含めて送信するＲＲＣメッセージは、Ｄｉｒｅｃｔ  Ｔｒａｎｓｆｅｒメッセージであってよい。
【０５４６】
ｅＮＢ＿４５は、ＥＰＳベアラコンテキスト変更受諾メッセージが含まれるＲＲＣメッセージを受信し、ＥＰＳベアラコンテキスト変更受諾メッセージをＭＭＥ＿Ａ４０に送信する（Ｓ２４２４）。
【０５４７】
ＭＭＥ＿Ａ４０は、ＥＰＳベアラコンテキスト変更受諾メッセージを受信する。
【０５４８】
ＭＭＥ＿Ａ４０は、ＥＰＳベアラコンテキスト変更受諾メッセージの受信に基づいて、ＳＧＷ＿Ａ３５にベアラ変更応答メッセージを送信してもよい（Ｓ２４２６）。
【０５４９】
なお、ベアラ変更応答メッセージは、ベアラ変更要求メッセージに対する応答メッセージであってもよい。
【０５５０】
ＳＧＷ＿Ａ３５は、ベアラ変更応答メッセージを受信する。
【０５５１】
ＳＧＷ＿Ａ３５は、ベアラ変更応答メッセージの受信に基づいて、ＰＧＷ＿Ａ３０にベアラ変更応答メッセージを送信する（Ｓ２４２８）。
【０５５２】
ＰＧＷ＿Ａ３０は、ベアラ変更応答メッセージを受信する。
【０５５３】
以上の手順により、ＵＥ＿Ａ１０、及び又は、コアネットワーク＿Ａ９０は、第１のモビリティタイプ変更手続きを完了する。第１のモビリティタイプ変更手続きの完了に伴い、ＵＥ＿Ａ１０、及び又は、コアネットワーク＿Ａ９０は、ＵＥ＿Ａ１０のモビリティタイプを変更してもよい。
【０５５４】
なお、ＵＥ＿Ａ１０は、第１のモビリティタイプ変更手続きにより、受信した変更後のＵＥ＿Ａ１０のモビリティタイプを、図２１で説明したＵＥコンテキストに記憶することができる。
【０５５５】
より詳細には、ＵＥ＿Ａ１０は、第１のモビリティタイプ変更手続きにより、変更後のＵＥ＿Ａ１０のモビリティタイプをコアネットワーク＿Ａ９０から取得し、ＰＤＮコネクションごとのＵＥコンテキスト、及び又は、ベアラごとのＵＥコンテキストに記憶することができる。
【０５５６】
また、ＭＭＥ＿Ａ４０は、第１のモビリティタイプ手続きにより、変更後のＵＥ＿Ａ１０のモビリティタイプを、ＰＤＮコネクションごとのＭＭＥコンテキスト、及び又は、ベアラごとのＭＭＥコンテキストに記憶することができる。
【０５５７】
また、ＳＧＷ＿Ａ３５、及び又は、ＰＧＷ＿Ａ３０は、第１のモビリティタイプ手続きにより、変更後のＵＥ＿Ａ１０のモビリティタイプを、ＰＤＮコネクションごとのＥＰＳベアラコンテキスト、及び又は、ＥＰＳベアラごとのＥＰＳベアラコンテキストに記憶することができる。
【０５５８】
［１．３．３．２．第２のモビリティタイプ変更手続き例］
第２のモビリティタイプ変更手続きは、コアネットワーク＿Ａ９０主導のモビリティタイプ変更手続きである。
【０５５９】
以下、図２５を用いて第２のモビリティタイプ変更手続きの手順の例を説明する。
【０５６０】
ＭＭＥ＿Ａ４０は、ＳＧＷ＿Ａ３５にベアラリソースコマンドメッセージを送信してもよい（Ｓ２５０４）。
【０５６１】
ＭＭＥ＿Ａ４０は、すくなくとも第９の識別情報をベアラリソースコマンドメッセージに含めて送信してもよい。
【０５６２】
ＭＭＥ＿Ａ４０は、第９の識別情報を含めてベアラリソースコマンドメッセージを送信することにより、ＵＥ＿Ａ１０のモビリティタイプの変更を要求してもよいし、要求する変更後のＵＥ＿Ａ１０のモビリティタイプを示してもよい。
【０５６３】
例えば、ＭＭＥ＿Ａ４０は、ＵＥ＿Ａ１０のモビリティタイプを、第１から第７のタイプのいずれかのタイプ、及び又は、第１から第７のタイプの内任意のものを組合せたタイプへ変更することを要求してもよいし、第１から第７のタイプのいずれかのタイプではなくそれ以外のタイプへ変更することを要求してもよい。
【０５６４】
ＳＧＷ＿Ａ３５は、ベアラリソースコマンドメッセージを受信する。さらに、ＳＧＷ＿Ａ３５は、ベアラリソースコマンドメッセージの受信に基づいて、第９の識別情報を取得する。
【０５６５】
ＳＧＷ＿Ａ３５は、ベアラリソースコマンドメッセージの受信に基づいて、ＰＧＷ＿Ａ３０にベアラリソースコマンドメッセージを送信してもよい（Ｓ２５０６）。
【０５６６】
ＳＧＷ＿Ａ３５は、すくなくとも第９の識別情報をベアラリソースコマンドメッセージに含めて送信してもよい。
【０５６７】
ＰＧＷ＿Ａ３０は、ベアラリソースコマンドメッセージを受信する。さらに、ＰＧＷ＿Ａ３０は、ベアラリソースコマンドメッセージの受信に基づいて、第９の識別情報を取得する。
【０５６８】
ＰＧＷ＿Ａ３０は、ベアラリソースコマンドメッセージの受信に基づいて、ＳＧＷ＿Ａ３５にベアラ更新要求メッセージを送信する（Ｓ２５１０）。
【０５６９】
ＰＧＷ＿Ａ３０は、すくなくとも第９の識別情報をベアラ更新要求メッセージに含めても良い。
【０５７０】
なお、ＰＧＷ＿Ａ３０は、ベアラリソースコマンドメッセージの受信に基づかず、オペレータポリシーや加入者情報に基づいて、ＳＧＷ＿Ａ３５にベアラ更新要求メッセージを送信してもよい。
【０５７１】
言い換えると、ＰＧＷ＿Ａ３０は、ベアラリソースコマンドメッセージの受信に基づかず、オペレータポリシーや加入者情報に基づいて、第２のモビリティタイプ変更手続きを開始してもよい。
【０５７２】
その場合、ＭＭＥ＿Ａ４０、及び又は、ＳＧＷ＿Ａ３５、及び又は、ＰＧＷ＿Ａ３０が送受信するベアラリソースコマンドメッセージは省略することができる。
【０５７３】
また、ＰＧＷ＿Ａ３０は、第９の識別情報を含めてベアラ更新要求メッセージを送信することにより、ＵＥ＿Ａ１０のモビリティタイプの変更を要求してもよいし、要求する変更後のＵＥ＿Ａ１０のモビリティタイプを示してもよい。
【０５７４】
例えば、ＰＧＷ＿Ａ３０は、ＵＥ＿Ａ１０のモビリティタイプを、第１から第７のタイプのいずれかのタイプ、及び又は、第１から第７のタイプの内任意のものを組合せたタイプへ変更することを要求してもよいし、第１から第７のタイプのいずれかのタイプではなくそれ以外のタイプへ変更することを要求してもよい。
【０５７５】
ＳＧＷ＿Ａ３５は、ベアラ更新要求メッセージを受信する。さらに、ＳＧＷ＿Ａ３５は、ベアラ更新要求メッセージの受信に基づいて、第９の識別情報を取得する。
【０５７６】
ＳＧＷ＿Ａ３５は、ベアラ更新要求メッセージの受信に基づいて、ＭＭＥ＿Ａ４０にベアラ更新要求メッセージを送信する（Ｓ２５１２）。
【０５７７】
ＳＧＷ＿Ａ３５は、すくなくとも第９の識別情報をベアラ更新要求メッセージに含めても良い。
【０５７８】
ＭＭＥ＿Ａ４０は、ベアラ更新要求メッセージを受信する。さらに、ＭＭＥ＿Ａ４０は
、ベアラ更新要求メッセージの受信に基づいて、第９の識別情報を取得する。
【０５７９】
ＭＭＥ＿Ａ４０は、ベアラ更新要求メッセージの受信に基づいて、ｅＮＢ＿Ａ４５にＥＰＳベアラコンテキスト変更要求メッセージを送信する（Ｓ２１１４）。
【０５８０】
ＭＭＥ＿Ａ４０は、すくなくとも第９の識別情報をＥＰＳベアラコンテキスト変更要求メッセージに含めても良い。
【０５８１】
ＭＭＥ＿Ａ４０は、第９の識別情報を含めてＥＰＳベアラコンテキスト変更要求メッセージを送信することにより、ＵＥ＿Ａ１０のモビリティタイプの変更を要求してもよいし、要求する変更後のＵＥ＿Ａ１０のモビリティタイプを示してもよい。
【０５８２】
なお、第９の識別情報は、ＭＭＥ＿Ａ４０、及び又は、ＰＧＷ＿Ａ３０がＵＥ＿Ａ１０に以前送信した第２の識別情報、及び又は、第４の識別情報、及び又は、第６の識別情報が示すモビリティタイプとは異なるモビリティタイプを示す情報であってよい。
【０５８３】
また、第９の識別情報は、ＭＭＥ＿Ａ４０、及び又は、ＰＧＷ＿Ａ３０が記憶している第２の識別情報、及び又は、第４の識別情報、及び又は、第６の識別情報が示すモビリティタイプとは異なるモビリティタイプを示す情報であってよい。
【０５８４】
ｅＮＢ＿Ａ４５は、ＥＰＳベアラコンテキスト変更要求メッセージを受信し、ＥＰＳベアラコンテキスト変更要求メッセージを含めたＲＲＣメッセージをＵＥ＿Ａ１０に送信する（Ｓ２５１６）。なお、ＲＲＣメッセージは、ＲＲＣコネクション再設定要求メッセージであって良い。
【０５８５】
ＵＥ＿Ａ１０は、ＥＰＳベアラコンテキスト変更要求メッセージを含むＲＲＣメッセージを受信する。さらに、第９の識別情報がＥＰＳベアラコンテキスト変更要求メッセージに含まれている場合には、ＵＥ＿Ａ１０は各識別情報を取得する。
【０５８６】
ＵＥ＿Ａ１０は、ＥＰＳベアラコンテキスト変更要求メッセージの受信、及び又は、ＥＰＳベアラコンテキスト変更要求メッセージに含まれる情報、及び又は、ＵＥ＿Ａ１０がもつ識別情報に基づいて、ＵＥ＿Ａ１０のモビリティタイプの変更、及び又は、変更後のＵＥ＿Ａ１０のモビリティタイプを決定してもよい。
【０５８７】
例えば、ＵＥ＿Ａ１０は、第９の識別情報で示されたモビリティタイプを、変更後のＵＥ＿Ａ１０のモビリティタイプとして決定してもよい。
【０５８８】
また、ＵＥ＿Ａ１０は、第９の識別情報で示されたモビリティタイプではなく、ＵＥ＿Ａ１０が望むモビリティタイプを、変更後のＵＥ＿Ａ１０のモビリティタイプとして決定してもよい。
【０５８９】
なお、ＵＥ＿Ａ１０は、ＵＥ＿Ａ１０のモビリティタイプとして、第１から第７のタイプのいずれかのタイプ、及び又は、第１から第７のタイプの内任意のものを組合せたタイプを示してもよい。
【０５９０】
また、ＵＥ＿Ａ１０は、ＵＥ＿Ａ１０のモビリティタイプとして、第１から第７のタイプのいずれかのタイプではなくそれ以外のタイプを示してよい。
【０５９１】
なお、ＵＥ＿Ａ１０のモビリティタイプは、ＰＤＮコネクションに対応するモビリティタイプであってもよく、デフォルトベアラに対応するモビリティタイプであってもよい。
【０５９２】
また、ＵＥ＿Ａ１０は、変更後のＵＥ＿Ａ１０のモビリティタイプを、第１０の識別情報に含めて送信してもよい。
【０５９３】
なお、ＵＥ＿Ａ１０のモビリティタイプの変更方法は、上記に限らない。
【０５９４】
また、受信したＲＲＣメッセージに応答するために、ＵＥ＿Ａ１０はＲＲＣメッセージをｅＮＢ＿Ａ４５に送信する（Ｓ２５１８）。ＲＲＣメッセージは、ＲＲＣコネクション再設定完了メッセージであってよい。
【０５９５】
ｅＮＢ＿Ａ４５は、ＲＲＣコネクション再設定メッセージを受信し、受信に基づいてベアラ設定メッセージをＭＭＥ＿Ａ４０に送信する（Ｓ２５２０）。
【０５９６】
また、ＵＥ＿Ａ１０は、ＥＰＳベアラコンテキスト変更要求メッセージの受信に基づいて、ＥＰＳベアラコンテキスト変更受諾メッセージを含むＲＲＣメッセージをｅＮＢ＿Ａ４５に送信する（Ｓ２５２２）。
【０５９７】
ＵＥ＿Ａ１０、すくなくとも第１０の識別情報をＥＰＳベアラコンテキスト変更受諾メッセージに含めて送信してもよい。
【０５９８】
ここで、ＥＰＳベアラコンテキスト変更受諾メッセージは、ＥＰＳベアラコンテキスト変更要求メッセージに対する応答メッセージであってよい。
【０５９９】
なお、ＥＰＳベアラコンテキスト変更受諾メッセージを含めて送信するＲＲＣメッセージは、Ｄｉｒｅｃｔ  Ｔｒａｎｓｆｅｒメッセージであってよい。
【０６００】
ｅＮＢ＿４５は、ＥＰＳベアラコンテキスト変更受諾メッセージが含まれるＲＲＣメッセージを受信し、ＥＰＳベアラコンテキスト変更受諾メッセージをＭＭＥ＿Ａ４０に送信する（Ｓ２５２４）。
【０６０１】
ＭＭＥ＿Ａ４０は、ＥＰＳベアラコンテキスト変更受諾メッセージを受信する。さらに、ＭＭＥ＿Ａ４０は、ＥＰＳベアラコンテキスト変更受諾メッセージの受信に基づいて、第１０の識別情報を取得する。
【０６０２】
ＭＭＥ＿Ａ４０は、ＥＰＳベアラコンテキスト変更受諾メッセージの受信、及び又は、ＥＰＳベアラコンテキスト変更受諾メッセージに含まれる情報に基づいて、ＵＥ＿Ａ１０のモビリティタイプの変更の承認、及び又は、変更後のＵＥ＿Ａ１０のモビリティタイプを認識してもよい。
【０６０３】
より詳細には、ＭＭＥ＿Ａ４０は、第１０の識別情報の受信に基づいて、ＵＥ＿Ａ１０のモビリティタイプの変更が承認されたことを認識してもよい。
【０６０４】
また、ＭＭＥ＿Ａ４０は、受信した第１０の識別情報が示すモビリティタイプを変更後のＵＥ＿Ａ１０のモビリティタイプとして認識してもよい。
【０６０５】
ＭＭＥ＿Ａ４０は、ＥＰＳベアラコンテキスト変更受諾メッセージの受信に基づいて、ＳＧＷ＿Ａ３５にベアラ変更応答メッセージを送信する（Ｓ２５２６）。
【０６０６】
ＭＭＥ＿Ａ４０、すくなくとも第１０の識別情報をベアラ変更応答メッセージに含めて送信してもよい。
【０６０７】
なお、ベアラ変更応答メッセージは、ベアラ変更要求メッセージに対する応答メッセージであってもよい。
【０６０８】
ＳＧＷ＿Ａ３５は、ベアラ変更応答メッセージを受信する。さらに、ＳＧＷ＿Ａ３５は、ベアラ変更応答メッセージの受信に基づいて、第１０の識別情報を取得する。
【０６０９】
ＳＧＷ＿Ａ３５は、ベアラ変更応答メッセージの受信に基づいて、ＰＧＷ＿Ａ３０にベアラ変更応答メッセージを送信する（Ｓ２５２８）。
【０６１０】
ＳＧＷ＿Ａ３５は、すくなくとも、第１０の識別情報をベアラ変更応答メッセージに含めて送信してもよい。
【０６１１】
ＰＧＷ＿Ａ３０は、ベアラ変更応答メッセージを受信する。さらに、ＰＧＷ＿Ａ３０は、ベアラ変更応答メッセージの受信に基づいて、第１０の識別情報を取得する。
【０６１２】
ＰＧＷ＿Ａ３０は、ＥＰＳベアラコンテキスト変更受諾メッセージの受信、及び又は、ＥＰＳベアラコンテキスト変更受諾メッセージに含まれる情報に基づいて、ＵＥ＿Ａ１０のモビリティタイプの変更の承認、及び又は、変更後のＵＥ＿Ａ１０のモビリティタイプを認識してもよい。
【０６１３】
より詳細には、ＰＧＷ＿Ａ３０は、第１０の識別情報の受信に基づいて、ＵＥ＿Ａ１０のモビリティタイプの変更が承認されたことを認識してもよい。
【０６１４】
また、ＰＧＷ＿Ａ３０は、受信した第１０の識別情報が示すモビリティタイプを変更後のＵＥ＿Ａ１０のモビリティタイプとして認識してもよい。
【０６１５】
以上の手順により、ＵＥ＿Ａ１０、及び又は、コアネットワーク＿Ａ９０は、第２のモビリティタイプ変更手続きを完了する。第２のモビリティタイプ変更手続きの完了に伴い、ＵＥ＿Ａ１０、及び又は、コアネットワーク＿Ａ９０は、ＵＥ＿Ａ１０のモビリティタイプを変更してもよい。
【０６１６】
なお、ＵＥ＿Ａ１０は、第２のモビリティタイプ変更手続きにより、変更後のＵＥ＿Ａ１０のモビリティタイプを、図２１で説明したＵＥコンテキストに記憶することができる。
【０６１７】
より詳細には、ＵＥ＿Ａ１０は、第２のモビリティタイプ変更手続きにより、変更後のＵＥ＿Ａ１０のモビリティタイプを、ＰＤＮコネクションごとのＵＥコンテキスト、及び又は、ベアラごとのＵＥコンテキストに記憶することができる。
【０６１８】
また、ＭＭＥ＿Ａ４０は、第２のモビリティタイプ変更手続きにより、変更後のＵＥ＿Ａ１０のモビリティタイプをＵＥ＿Ａ１０から取得し、ＰＤＮコネクションごとのＭＭＥコンテキスト、及び又は、ベアラごとのＭＭＥコンテキストに記憶することができる。
【０６１９】
また、ＳＧＷ＿Ａ３５、及び又は、ＰＧＷ＿Ａ３０は、第２のモビリティタイプ変更手続きにより、変更後のＵＥ＿Ａ１０のモビリティタイプをＵＥ＿Ａ１０から取得し、ＰＤＮコネクションごとのＥＰＳベアラコンテキスト、及び又は、ＥＰＳベアラごとのＥＰＳベアラコンテキストに記憶することができる。
【０６２０】
［１．３．３．３．モビリティタイプ変更手続きの変形例］
上述したモビリティタイプ変更手続き例におけるコアネットワーク＿Ａ９０は、図２を用いて説明したＭＭＥ＿Ａ４０、ＳＧＷ＿Ａ３５、ＰＧＷ＿Ａ３０を含む構成のコアネットワークの場合の送受信方法変更手続きを説明したが、コアネットワーク＿Ａ９０は別の装置を含んで構成されるものであってもよい。
【０６２１】
その場合、本手続きで説明したＵＥ＿Ａ１０が送信するベアラリソース変更要求メッセージやＥＰＳベアラコンテキスト変更受諾メッセージなどのＮＡＳメッセージは、ＭＭＥ＿Ａ４０ではなく、コアネットワーク＿Ａ９０内の装置が受信する。
【０６２２】
したがって、これまで説明したＭＭＥ＿Ａ４０のＮＡＳメッセージの受信および処理は、コアネットワーク＿Ａ９０内の装置が行うものとして置き換えることができる。
【０６２３】
さらに、これまで説明したＭＭＥ＿Ａ４０のＥＰＳベアラコンテキスト変更要求メッセージなどのＮＡＳメッセージの送信および処理は、コアネットワーク＿Ａ９０内の装置が行うものとして置き換えることができる。
【０６２４】
［１．３．４．ハンドオーバー手続き例］
ＵＥ＿Ａ１０、及び又は、コアネットワーク＿Ａ９０は、ＵＥ＿Ａ１０のモビリティタイプをもとに、ハンドオーバー手続きを行ってよい。
【０６２５】
例えば、アクティブモードのハンドオーバーをサポートするモビリティタイプにより接続した場合、ＵＥ＿Ａ１０は、ハンドオーバー手続きを実行し、異なる基地局接続を切り替えて通信を継続してもよい。
【０６２６】
また、アクティブモードのハンドオーバーを許可しないモビリティタイプにより接続した場合、ＵＥ＿Ａ１０は、ハンドオーバー手続きにおいて、コアネットワーク＿Ａ９０から通信を切断するための制御メッセージを受信するなどして、ＰＤＮコネクションの切断、又はコアネットワーク＿Ａ９０からのデタッチを実行してもよい。なお、その際には、ＵＥ＿Ａ１０はＵＥコンテキストを削除してもよい。一方で、ＭＭＥ＿Ａ４０は、ＵＥ＿Ａ１０に対するＭＭＥコンテキストを削除してもよい。
【０６２７】
例えば、アクティブモードのハンドオーバーをサポートするモビリティタイプにより接続した場合、ＵＥ＿Ａ１０は、ハンドオーバー手続きを実行し、異なる基地局接続を切り替えて通信を継続してもよい。
【０６２８】
また、アクティブモードのハンドオーバーを許可しないモビリティタイプにより接続した場合、ＵＥ＿Ａ１０は、ハンドオーバー手続きにおいて、コアネットワーク＿Ａ９０から通信を切断するための制御メッセージを受信するなどして、ＰＤＮコネクションの切断、又はコアネットワーク＿Ａ９０からのデタッチを実行してもよい。なお、その際には、ＵＥ＿Ａ１０はＵＥコンテキストを削除してもよい。一方で、ＭＭＥ＿Ａ４０は、ＵＥ＿Ａ１０に対するＭＭＥコンテキストを削除してもよい。
【０６２９】
また、ＰＤＮコネクション毎に異なるモビリティタイプを決定している場合には、ＵＥ＿Ａ１０はハンドオーバー時にＰＤＮコネクション毎に異なる処理を行ってもよい。
【０６３０】
例えば、アクティブモードのハンドオーバーをサポートするモビリティタイプにより確立したＰＤＮコネクションに対しては、ＵＥ＿Ａ１０は、ハンドオーバー手続きを実行し、異なる基地局接続を切り替えて通信を継続してもよい。
【０６３１】
また、アクティブモードのハンドオーバーを許可しないモビリティタイプにより確立し
たＰＤＮコネクションに対しては、ＵＥ＿Ａ１０は、ハンドオーバー手続きにおいて、コアネットワーク＿Ａ９０から通信を切断するための制御メッセージを受信するなどして、ＰＤＮコネクションを切断してもよい。
【０６３２】
その際、コアネットワーク＿Ａ９０は、切断するＰＤＮコネクションを識別する情報を制御メッセージに含めて送信してもよい。なお、制御メッセージを送信するコアネットワーク＿Ａ９０内の制御装置は、ＭＭＥ＿Ａ４０であってよい。ＵＥ＿Ａ１０は、受信した情報に基づいて切断するＰＤＮコネクションを識別してもよい。
【０６３３】
ここで、ＰＤＮコネクションを識別する情報は、ベアラＩＤ、及び／又はＡＰＮ、及び／又はＩＰアドレスなどであってもよい。
【０６３４】
もしくは、ＰＤＮコネクションを識別する情報は、モビリティタイプであってもよい。ＵＥ＿Ａ１０はモビリティタイプを受信し、受信したモビリティタイプに適合するＰＤＮコネクションを、ＵＥコンテキストを基に選択してもよい。
【０６３５】
また、ＰＤＮコネクションの切断する際には、ＵＥ＿Ａ１０はＵＥコンテキストのうち、切断するＰＤＮコネクションに対応する情報を削除してもよい。一方で、ＭＭＥ＿Ａ４０は、ＵＥ＿Ａ１０に対するＭＭＥコンテキストのうち、切断するＰＤＮコネクションに対応する情報を削除してもよい。
【０６３６】
例えば、アクティブモードのハンドオーバーをサポートするモビリティタイプにより接続した場合、ＵＥ＿Ａ１０は、ハンドオーバー手続きを実行し、異なる基地局接続を切り替えて通信を継続してもよい。
【０６３７】
また、アクティブモードのハンドオーバーを許可しないモビリティタイプにより接続した場合、ＵＥ＿Ａ１０は、ハンドオーバー手続きにおいて、コアネットワーク＿Ａ９０から通信を切断するための制御メッセージを受信するなどして、ＰＤＮコネクションの切断、又はコアネットワーク＿Ａ９０からのデタッチを実行してもよい。なお、その際には、ＵＥ＿Ａ１０はＵＥコンテキストを削除してもよい。一方で、ＭＭＥ＿Ａ４０は、ＵＥ＿Ａ１０に対するＭＭＥコンテキストを削除してもよい。
【０６３８】
なお、こうしたＰＤＮコネクションを削除するための制御メッセージ及び／又はＵＥ＿Ａ１０がデタッチするための制御メッセージは、ハンドオーバーおいてコアネットワーク＿Ａ９０がＵＥ＿Ａ１０に送信する制御メッセージでなくてもよい。
【０６３９】
例えば、ＵＥ＿Ａ１０が送信するトラッキングエリア更新要求に対する応答メッセージであってもよいし、デタッチ要求メッセージであってもよいし、ベアラ削除要求メッセージであってもよい。
【０６４０】
さらに、ＵＥ＿Ａ１０は、移動に伴い接続する基地局が変更した場合には、アクティブモードのハンドオーバーを許可しないモビリティタイプ、及び／又はアイドルモードのハンドオーバーを許可しないモビリティタイプのＰＤＮコネクションを削除してもよい。さらに、ＰＤＮコネクションの削除においては、ＵＥコンテキストに含まれる、削除するＰＤＮコネクションに対応する情報は削除してもよい。なお、こうしたＰＤＮコネクションに対応する情報は、ベアラＩＤやＩＰアドレスやＡＰＮなどであってよい。
【０６４１】
以上のように、モビリティタイプに応じた通信制御を実行してもよい。
【０６４２】
［２．変形例］
本発明に関わる装置で動作するプログラムは、本発明に関わる実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、一時的にＲａｎｄｏｍ  Ａｃｃｅｓｓ  Ｍｅｍｏｒｙ（ＲＡＭ）などの揮発性メモリあるいはフラッシュメモリなどの不揮発性メモリやＨａｒｄ  Ｄｉｓｋ  Ｄｒｉｖｅ（ＨＤＤ）、あるいはその他の記憶装置システムに格納される。
【０６４３】
尚、本発明に関わる実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０６４４】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、本発明は当該技術による新たな集積回路を用いることも可能である。
【０６４５】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０６４６】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０６４７】
１  通信システム
５  ＰＤＮ＿Ａ
１０  ＵＥ＿Ａ
２０  ＵＴＲＡＮ＿Ａ
２２  ｅＮＢ（ＵＴＲＡＮ）＿Ａ
２４  ＲＮＣ＿Ａ
２５  ＧＥＲＡＮ＿Ａ
２６  ＢＳＳ＿Ａ
３０  ＰＧＷ＿Ａ
３５  ＳＧＷ＿Ａ
４０  ＭＭＥ＿Ａ
４５  ｅＮＢ＿Ａ
５０  ＨＳＳ＿Ａ
５５  ＡＡＡ＿Ａ
６０  ＰＣＲＦ＿Ａ
６５  ｅＰＤＧ＿Ａ
７０  ＷＬＡＮ  ＡＮａ
７２  ＷＬＡＮ  ＡＰａ
７４  ＴＷＡＧ＿Ａ
７５  ＷＬＡＮ  ＡＮｂ
７６  ＷＬＡＮ  ＡＰｂ
８０  ＬＴＥ  ＡＮ＿Ａ
９０  コアネットワーク＿Ａ
１００  ＣＩＯＴ  ＡＮ＿Ａ
【図１】
2019068113.tif 000003
【図２】
2019068113.tif 000004
【図３】
2019068113.tif 000005
【図４】
2019068113.tif 000006
【図５】
2019068113.tif 000007
【図６】
2019068113.tif 000008
【図７】
2019068113.tif 000009
【図８】
2019068113.tif 000010
【図９】
2019068113.tif 000011
【図１０】
2019068113.tif 000012
【図１１】
2019068113.tif 000013
【図１２】
2019068113.tif 000014
【図１３】
2019068113.tif 000015
【図１４】
2019068113.tif 000016
【図１５】
2019068113.tif 000017
【図１６】
2019068113.tif 000018
【図１７】
2019068113.tif 000019
【図１８】
2019068113.tif 000020
【図１９】
2019068113.tif 000021
【図２０】
2019068113.tif 000022
【図２１】
2019068113.tif 000023
【図２２】
2019068113.tif 000024
【図２３】
2019068113.tif 000025
【図２４】
2019068113.tif 000026
【図２５】
2019068113.tif 000027